(57)【要約】【課題】  等価直列抵抗の制御を容易に且つ精度良く行うことが可能な積層コンデンサ、及び、積層コンデンサの等価直列抵抗調整方法を提供すること。【解決手段】    積層体１は、複数の誘電体層と、第１及び第２の内部電極４１〜４４，６１〜６４とが交互に積層されることにより構成される。第１の内部電極４１〜４４は、第１の接続導体７を介して互いに電気的に接続されている。第１の内部電極４１は、引き出し導体５３を介して第１の端子電極３に電気的に接続されている。第２の内部電極６１〜６４は、第２の接続導体９を介して互いに電気的に接続されている。第２の内部電極６４は、引き出し導体７３を介して第２の端子電極５に電気的に接続されている。【選択図】  図２
2006253419.tif 000002
【特許請求の範囲】
【請求項１】
複数の誘電体層と複数の内部電極とが交互に積層された積層体と、当該積層体に形成された複数の端子電極と、を備えた積層コンデンサであって、
前記複数の内部電極は、交互に配置される複数の第１の内部電極と複数の第２の内部電極とを含み、
前記複数の端子電極は、互いに電気的に絶縁された第１及び第２の端子電極を含み、
前記複数の第１の内部電極は、前記積層体の表面に形成された接続導体を介して互いに電気的に接続され、
前記複数の第２の内部電極は、前記積層体の表面に形成された接続導体を介して互いに電気的に接続され、
前記複数の第１の内部電極のうち１つ以上当該第１の内部電極の総数よりも１つ少ない数以下の第１の内部電極は、引き出し導体を介して前記第１の端子電極に電気的に接続され、
前記複数の第２の内部電極のうち１つ以上当該第２の内部電極の総数よりも１つ少ない数以下の第２の内部電極は、引き出し導体を介して前記第２の端子電極に電気的に接続され、
前記引き出し導体を介して前記第１の端子電極に電気的に接続される前記第１の内部電極の数及び前記引き出し導体を介して前記第２の端子電極に電気的に接続される前記第２の内部電極の数の少なくとも一方の数を調整することにより、等価直列抵抗が所望の値に設定されていることを特徴とする積層コンデンサ。
【請求項２】
複数の誘電体層と複数の内部電極とが交互に積層された積層体と、当該積層体に形成された複数の端子電極と、を備えた積層コンデンサであって、
前記複数の内部電極は、交互に配置される複数の第１の内部電極と複数の第２の内部電極とを含み、
前記複数の端子電極は、互いに電気的に絶縁された第１及び第２の端子電極を含み、
前記複数の第１の内部電極は、前記積層体の表面に形成された接続導体を介して互いに電気的に接続され、
前記複数の第２の内部電極は、前記積層体の表面に形成された接続導体を介して互いに電気的に接続され、
前記複数の第１の内部電極のうち１つ以上当該第１の内部電極の総数よりも１つ少ない数以下の第１の内部電極は、引き出し導体を介して前記第１の端子電極に電気的に接続され、
前記複数の第２の内部電極のうち１つ以上当該第２の内部電極の総数よりも１つ少ない数以下の第２の内部電極は、引き出し導体を介して前記第２の端子電極に電気的に接続され、
前記引き出し導体を介して前記第１の端子電極に電気的に接続される前記第１の内部電極の前記積層体の積層方向での位置及び前記引き出し導体を介して前記第２の端子電極に電気的に接続される前記第２の内部電極の前記積層体の積層方向での位置の少なくとも一方の位置を調整することにより、等価直列抵抗が所望の値に設定されていることを特徴とする積層コンデンサ。
【請求項３】
複数の誘電体層と複数の内部電極とが交互に積層された積層体と、当該積層体に形成された前記複数の端子電極と、を備えた積層コンデンサであって、
前記複数の内部電極は、交互に配置される複数の第１の内部電極と複数の第２の内部電極とを含み、
前記複数の端子電極は、少なくとも３つの端子電極を含み、
前記複数の第１の内部電極は、前記積層体の表面に形成された接続導体を介して互いに電気的に接続され、
前記複数の第２の内部電極は、前記積層体の表面に形成された接続導体を介して互いに電気的に接続され、
前記複数の第１の内部電極のうち少なくとも２つの第１の内部電極は、前記少なくとも３つの端子電極のうちの２つ以上当該端子電極の総数よりも少なくとも１つ少ない数以下のそれぞれ異なる端子電極に引き出し導体を介して電気的に接続され、
前記複数の第２の内部電極のうち少なくとも１つの第２の内部電極は、前記第１の内部電極に前記引き出し導体を介して電気的に接続された前記端子電極以外の残りの端子電極に引き出し導体を介して電気的に接続され、
前記引き出し導体を介して前記端子電極に電気的に接続される前記第１の内部電極及び前記第２の内部電極の少なくとも一方の内部電極の数を調整することにより、等価直列抵抗が所望の値に設定されていることを特徴とする積層コンデンサ。
【請求項４】
複数の誘電体層と複数の内部電極とが交互に積層された積層体と、当該積層体に形成された前記複数の端子電極と、を備えた積層コンデンサであって、
前記複数の内部電極は、交互に配置される複数の第１の内部電極と複数の第２の内部電極とを含み、
前記複数の端子電極は、少なくとも３つの端子電極を含み、
前記複数の第１の内部電極は、前記積層体の表面に形成された接続導体を介して互いに電気的に接続され、
前記複数の第２の内部電極は、前記積層体の表面に形成された接続導体を介して互いに電気的に接続され、
前記複数の第１の内部電極のうち少なくとも２つの第１の内部電極は、前記少なくとも３つの端子電極のうちの２つ以上当該端子電極の総数よりも少なくとも１つ少ない数以下のそれぞれ異なる端子電極に引き出し導体を介して電気的に接続され、
前記複数の第２の内部電極のうち少なくとも１つの第２の内部電極は、前記第１の内部電極に前記引き出し導体を介して電気的に接続された前記端子電極以外の残りの端子電極に引き出し導体を介して電気的に接続され、
前記引き出し導体を介して前記端子電極に電気的に接続される前記第１の内部電極及び前記第２の内部電極の少なくとも一方の内部電極の前記積層体の積層方向での位置を調整することにより、等価直列抵抗が所望の値に設定されていることを特徴とする積層コンデンサ。
【請求項５】
複数の誘電体層と複数の内部電極とが交互に積層された積層体と、当該積層体に形成された複数の端子電極と、を備えた積層コンデンサであって、
前記複数の内部電極は、交互に配置される複数の第１の内部電極と複数の第２の内部電極とを含み、
前記複数の端子電極は、少なくとも３つの端子電極を含み、
前記複数の第１の内部電極は、前記積層体の表面に形成された接続導体を介して互いに電気的に接続され、
前記複数の第２の内部電極は、前記積層体の表面に形成された接続導体を介して互いに電気的に接続され、
前記複数の第１の内部電極のうち少なくとも１つの第１の内部電極は、前記少なくとも３つの端子電極のうちの２つ以上当該端子電極の総数よりも少なくとも１つ少ない数以下の端子電極にそれぞれ引き出し導体を介して電気的に接続され、
前記複数の第２の内部電極のうち少なくとも１つの第２の内部電極は、前記第１の内部電極に前記引き出し導体を介して電気的に接続された前記端子電極以外の残りの端子電極に引き出し導体を介して電気的に接続され、
前記引き出し導体を介して前記端子電極に電気的に接続される前記第１の内部電極及び第２の内部電極の少なくとも一方の内部電極の数を調整することにより、等価直列抵抗が所望の値に設定されていることを特徴とする積層コンデンサ。
【請求項６】
複数の誘電体層と複数の内部電極とが交互に積層された積層体と、当該積層体に形成された複数の端子電極と、を備えた積層コンデンサであって、
前記複数の内部電極は、交互に配置される複数の第１の内部電極と複数の第２の内部電極とを含み、
前記複数の端子電極は、少なくとも３つの端子電極を含み、
前記複数の第１の内部電極は、前記積層体の表面に形成された接続導体を介して互いに電気的に接続され、
前記複数の第２の内部電極は、前記積層体の表面に形成された接続導体を介して互いに電気的に接続され、
前記複数の第１の内部電極のうち少なくとも１つの第１の内部電極は、前記少なくとも３つの端子電極のうちの２つ以上当該端子電極の総数よりも少なくとも１つ少ない数以下の端子電極にそれぞれ引き出し導体を介して電気的に接続され、
前記複数の第２の内部電極のうち少なくとも１つの第２の内部電極は、前記第１の内部電極に前記引き出し導体を介して電気的に接続された前記端子電極以外の残りの端子電極に引き出し導体を介して電気的に接続され、
前記引き出し導体を介して前記端子電極に電気的に接続される前記第１の内部電極及び第２の内部電極の少なくとも一方の内部電極の前記積層体の積層方向での位置を調整することにより、等価直列抵抗が所望の値に設定されていることを特徴とする積層コンデンサ。
【請求項７】
前記複数の端子電極は、２つ以上の第１の端子電極と２つ以上の第２の端子電極とを含んでおり、
前記複数の第１の内部電極は、前記引き出し導体及び前記接続導体を通して前記２つ以上の第１の端子電極に電気的に接続され、
前記複数の第２の内部電極は、前記引き出し導体及び前記接続導体を通して前記２つ以上の第２の端子電極に電気的に接続されていることを特徴とする請求項３〜請求項６のいずれか一項に記載の積層コンデンサ。
【請求項８】
前記複数の第１の内部電極同士を電気的に接続する前記接続導体の数と前記複数の第２の内部電極同士を電気的に接続する前記接続導体の数とをそれぞれ更に調整することにより、等価直列抵抗が所望の値に設定されていることを特徴とする請求項１〜請求項７の何れか一項に記載の積層コンデンサ。
【請求項９】
前記複数の第１の内部電極同士は、並列接続されており、
前記複数の第２の内部電極同士は、並列接続されていることを特徴とする請求項１〜請求項８のいずれか一項に記載の積層コンデンサ。
【請求項１０】
前記複数の第１及び第２の内部電極のうち少なくとも一部の前記第１及び第２の内部電極にスリットが形成され、
前記スリットは、当該スリットが形成された前記第１及び第２の内部電極それぞれにおいて、当該スリットを挟んで対向する領域を電流が互いに逆向きに流れるように形成されていることを特徴とする請求項１〜請求項９の何れか一項に記載の積層コンデンサ。
【請求項１１】
複数の誘電体層と複数の内部電極とが交互に積層された積層体と、当該積層体に形成された複数の端子電極と、を備えた積層コンデンサであって、
交互に配置される第１の数の第１の内部電極と第２の数の第２の内部電極とを前記複数の内部電極として含むコンデンサ部を有しており、
前記複数の端子電極は、互いに電気的に絶縁された第１及び第２の端子電極を含み、
前記第１の数の第１の内部電極は、前記積層体の表面に形成された接続導体を介して互いに電気的に接続され、
前記第２の数の第２の内部電極は、前記積層体の表面に形成された接続導体を介して互いに電気的に接続され、
前記第１の数の第１の内部電極のうち１つ以上前記第１の数よりも１つ少ない数以下の第１の内部電極は、引き出し導体を介して前記第１の端子電極に電気的に接続され、
前記第２の数の第２の内部電極のうち１つ以上前記第２の数よりも１つ少ない数以下の第２の内部電極は、引き出し導体を介して前記第２の端子電極に電気的に接続され、
前記引き出し導体を介して前記第１の端子電極に電気的に接続される前記第１の内部電極の数及び前記引き出し導体を介して前記第２の端子電極に電気的に接続される前記第２の内部電極の数の少なくとも一方の数を調整することにより、等価直列抵抗が所望の値に設定されていることを特徴とする積層コンデンサ。
【請求項１２】
複数の誘電体層と複数の内部電極とが交互に積層された積層体と、当該積層体に形成された複数の端子電極と、を備えた積層コンデンサであって、
交互に配置される第１の数の第１の内部電極と第２の数の第２の内部電極とを前記複数の内部電極として含むコンデンサ部を有しており、
前記複数の端子電極は、互いに電気的に絶縁された第１及び第２の端子電極を含み、
前記第１の数の第１の内部電極は、前記積層体の表面に形成された接続導体を介して互いに電気的に接続され、
前記第２の数の第２の内部電極は、前記積層体の表面に形成された接続導体を介して互いに電気的に接続され、
前記第１の数の第１の内部電極のうち１つ以上前記第１の数よりも１つ少ない数以下の第１の内部電極は、引き出し導体を介して前記第１の端子電極に電気的に接続され、
前記第２の数の第２の内部電極のうち１つ以上前記第２の数よりも１つ少ない数以下の第２の内部電極は、引き出し導体を介して前記第２の端子電極に電気的に接続され、
前記引き出し導体を介して前記第１の端子電極に電気的に接続される前記第１の内部電極の前記積層体の積層方向での位置及び前記引き出し導体を介して前記第２の端子電極に電気的に接続される前記第２の内部電極の前記積層体の積層方向での位置のいずれか一方の位置を調整することにより、等価直列抵抗が所望の値に設定されていることを特徴とする積層コンデンサ。
【請求項１３】
複数の誘電体層と複数の内部電極とが交互に積層された積層体と、当該積層体に形成された複数の端子電極と、を備えた積層コンデンサであって、
交互に配置される第１の数の第１の内部電極と第２の数の第２の内部電極とを前記複数の内部電極として含むコンデンサ部を有しており、
前記第１の数の第１の内部電極は、前記積層体の表面に形成された接続導体を介して互いに電気的に接続され、
前記第２の数の第２の内部電極は、前記積層体の表面に形成された接続導体を介して互いに電気的に接続され、
前記第１の数の第１の内部電極のうち１つ以上前記第１の数よりも１つ少ない数以下の第１の内部電極は、前記複数の端子電極のうちそれぞれ異なる端子電極に引き出し導体を介して電気的に接続され、
前記第２の数の第２の内部電極のうち１つ以上前記第２の数よりも１つ少ない数以下の第２の内部電極は、前記第１の内部電極に前記引き出し導体を介して電気的に接続された前記端子電極以外の残りの端子電極のうちそれぞれ異なる端子電極に引き出し導体を介して電気的に接続され、
前記引き出し導体を介して前記端子電極に電気的に接続される前記第１の内部電極及び前記第２の内部電極の少なくとも一方の内部電極の数を調整することにより、等価直列抵抗が所望の値に設定されていることを特徴とする積層コンデンサ。
【請求項１４】
複数の誘電体層と複数の内部電極とが交互に積層された積層体と、当該積層体に形成された複数の端子電極と、を備えた積層コンデンサであって、
交互に配置される第１の数の第１の内部電極と第２の数の第２の内部電極とを前記複数の内部電極として含むコンデンサ部を有しており、
前記第１の数の第１の内部電極は、前記積層体の表面に形成された接続導体を介して互いに電気的に接続され、
前記第２の数の第２の内部電極は、前記積層体の表面に形成された接続導体を介して互いに電気的に接続され、
前記第１の数の第１の内部電極のうち１つ以上前記第１の数よりも１つ少ない数以下の第１の内部電極は、前記複数の端子電極のうちそれぞれ異なる端子電極に引き出し導体を介して電気的に接続され、
前記第２の数の第２の内部電極のうち１つ以上前記第２の数よりも１つ少ない数以下の第２の内部電極は、前記第１の内部電極に前記引き出し導体を介して電気的に接続された前記端子電極以外の残りの端子電極のうちそれぞれ異なる端子電極に引き出し導体を介して電気的に接続され、
前記引き出し導体を介して前記端子電極に電気的に接続される前記第１の内部電極及び前記第２の内部電極の少なくとも一方の内部電極の前記積層体の積層方向での位置を調整することにより、等価直列抵抗が所望の値に設定されていることを特徴とする積層コンデンサ。
【請求項１５】
複数の誘電体層と複数の内部電極とが交互に積層された積層体と、当該積層体に形成された複数の端子電極と、を備えた積層コンデンサであって、
交互に配置される第１の数の第１の内部電極と第２の数の第２の内部電極とを前記複数の内部電極として含むコンデンサ部を有しており、
前記第１の数の第１の内部電極は、前記積層体の表面に形成された接続導体を介して互いに電気的に接続され、
前記第２の数の第２の内部電極は、前記積層体の表面に形成された接続導体を介して互いに電気的に接続され、
前記第１の数の第１の内部電極のうち１つ以上前記第１の数よりも１つ少ない数以下の第１の内部電極は、前記複数の端子電極のうち少なくとも１つの端子電極にそれぞれ引き出し導体を介して電気的に接続され、
前記第２の数の第２の内部電極のうち１つ以上前記第２の数よりも１つ少ない数以下の第２の内部電極は、前記第１の内部電極に前記引き出し導体を介して電気的に接続された前記端子電極以外の残りの端子電極のうち少なくとも１つの端子電極にそれぞれ引き出し導体を介して電気的に接続され、
前記引き出し導体を介して前記端子電極に電気的に接続される前記第１の内部電極及び第２の内部電極の少なくとも一方の内部電極の数を調整することにより、等価直列抵抗が所望の値に設定されていることを特徴とする積層コンデンサ。
【請求項１６】
複数の誘電体層と複数の内部電極とが交互に積層された積層体と、当該積層体に形成された複数の端子電極と、を備えた積層コンデンサであって、
交互に配置される第１の数の第１の内部電極と第２の数の第２の内部電極とを前記複数の内部電極として含むコンデンサ部を有しており、
前記第１の数の第１の内部電極は、前記積層体の表面に形成された接続導体を介して互いに電気的に接続され、
前記第２の数の第２の内部電極は、前記積層体の表面に形成された接続導体を介して互いに電気的に接続され、
前記第１の数の第１の内部電極のうち１つ以上前記第１の数よりも１つ少ない数以下の第１の内部電極は、前記複数の端子電極のうち少なくとも１つの端子電極にそれぞれ引き出し導体を介して電気的に接続され、
前記第２の数の第２の内部電極のうち１つ以上前記第２の数よりも１つ少ない数以下の第２の内部電極は、前記第１の内部電極に前記引き出し導体を介して電気的に接続された前記端子電極以外の残りの端子電極のうち少なくとも１つの端子電極にそれぞれ引き出し導体を介して電気的に接続され、
前記引き出し導体を介して前記端子電極に電気的に接続される前記第１の内部電極及び前記第２の内部電極の少なくとも一方の内部電極の前記積層体の積層方向での位置を調整することにより、等価直列抵抗が所望の値に設定されていることを特徴とする積層コンデンサ。
【請求項１７】
前記第１の数の第１の内部電極同士を電気的に接続する前記接続導体の数と前記第２の数の第２の内部電極同士を電気的に接続する前記接続導体の数とをそれぞれ更に調整することにより、等価直列抵抗が所望の値に設定されていることを特徴とする請求項１１〜請求項１６の何れか一項に記載の積層コンデンサ。
【請求項１８】
前記複数の第１の内部電極同士は、並列接続されており、
前記複数の第２の内部電極同士は、並列接続されていることを特徴とする請求項１１〜請求項１７のいずれか一項に記載の積層コンデンサ。
【請求項１９】
前記第１の数の第１の内部電極のうち少なくとも一部の前記第１の内部電極、及び前記第２の数の第２の内部電極のうち少なくとも一部の前記第２の内部電極にスリットが形成され、
前記スリットは、当該スリットが形成された前記第１及び第２の内部電極それぞれにおいて、当該スリットを挟んで対向する領域を電流が互いに逆向きに流れるように形成されていることを特徴とする請求項１１〜請求項１８の何れか一項に記載の積層コンデンサ。
【請求項２０】
複数の誘電体層と複数の内部電極とが交互に積層された積層体と、当該積層体に形成された複数の端子電極と、を備えた積層コンデンサの等価直列抵抗調整方法であって、
前記複数の内部電極は、交互に配置される複数の第１の内部電極と複数の第２の内部電極とを含み、
前記複数の端子電極は、互いに電気的に絶縁された第１及び第２の端子電極を含んでおり、
前記複数の第１の内部電極を、前記積層体の表面に形成された接続導体を介して互いに電気的に接続し、
前記複数の第２の内部電極を、前記積層体の表面に形成された接続導体を介して互いに電気的に接続し、
前記複数の第１の内部電極のうち１つ以上当該第１の内部電極の総数よりも１つ少ない数以下の第１の内部電極を、引き出し導体を介して前記第１の端子電極に電気的に接続し、
前記複数の第２の内部電極のうち１つ以上当該第２の内部電極の総数よりも１つ少ない数以下の第２の内部電極を、引き出し導体を介して前記第２の端子電極に電気的に接続し、
前記引き出し導体を介して前記第１の端子電極に電気的に接続される前記第１の内部電極の数及び前記引き出し導体を介して前記第２の端子電極に電気的に接続される前記第２の内部電極の数の少なくとも一方の数を調整することにより、等価直列抵抗を所望の値に設定することを特徴とする積層コンデンサの等価直列抵抗調整方法。
【請求項２１】
複数の誘電体層と複数の内部電極とが交互に積層された積層体と、当該積層体に形成された複数の端子電極と、を備えた積層コンデンサの等価直列抵抗調整方法であって、
前記複数の内部電極は、交互に配置される複数の第１の内部電極と複数の第２の内部電極とを含み、
前記複数の端子電極は、互いに電気的に絶縁された第１及び第２の端子電極を含んでおり、
前記複数の第１の内部電極を、前記積層体の表面に形成された接続導体を介して互いに電気的に接続し、
前記複数の第２の内部電極を、前記積層体の表面に形成された接続導体を介して互いに電気的に接続し、
前記複数の第１の内部電極のうち１つ以上当該第１の内部電極の総数よりも１つ少ない数以下の第１の内部電極を、引き出し導体を介して前記第１の端子電極に電気的に接続し、
前記複数の第２の内部電極のうち１つ以上当該第２の内部電極の総数よりも１つ少ない数以下の第２の内部電極を、引き出し導体を介して前記第２の端子電極に電気的に接続し、
前記引き出し導体を介して前記第１の端子電極に電気的に接続される前記第１の内部電極の前記積層体の積層方向での位置及び前記引き出し導体を介して前記第２の端子電極に電気的に接続される前記第２の内部電極の前記積層体の積層方向での位置の少なくとも一方の位置を調整することにより、等価直列抵抗を所望の値に設定することを特徴とする積層コンデンサの等価直列抵抗調整方法。
【請求項２２】
複数の誘電体層と複数の内部電極とが交互に積層された積層体と、当該積層体に形成された前記複数の端子電極と、を備えた積層コンデンサの等価直列抵抗調整方法であって、
前記複数の内部電極は、交互に配置される複数の第１の内部電極と複数の第２の内部電極とを含み、
前記複数の端子電極は、少なくとも３つの端子電極を含んでおり、
前記複数の第１の内部電極を、前記積層体の表面に形成された接続導体を介して互いに電気的に接続し、
前記複数の第２の内部電極を、前記積層体の表面に形成された接続導体を介して互いに電気的に接続し、
前記複数の第１の内部電極のうち少なくとも２つの第１の内部電極を、前記少なくとも３つの端子電極のうちの２つ以上当該端子電極の総数よりも少なくとも１つ少ない数以下のそれぞれ異なる端子電極に引き出し導体を介して電気的に接続し、
前記複数の第２の内部電極のうち少なくとも１つの第２の内部電極を、前記第１の内部電極に前記引き出し導体を介して電気的に接続された前記端子電極以外の残りの端子電極に引き出し導体を介して電気的に接続し、
前記引き出し導体を介して前記端子電極に電気的に接続される前記第１の内部電極及び前記第２の内部電極の少なくとも一方の内部電極の数を調整することにより、等価直列抵抗を所望の値に設定することを特徴とする積層コンデンサの等価直列抵抗調整方法。
【請求項２３】
複数の誘電体層と複数の内部電極とが交互に積層された積層体と、当該積層体に形成された前記複数の端子電極と、を備えた積層コンデンサの等価直列抵抗調整方法であって、
前記複数の内部電極は、交互に配置される複数の第１の内部電極と複数の第２の内部電極とを含み、
前記複数の端子電極は、少なくとも３つの端子電極を含んでおり、
前記複数の第１の内部電極を、前記積層体の表面に形成された接続導体を介して互いに電気的に接続し、
前記複数の第２の内部電極を、前記積層体の表面に形成された接続導体を介して互いに電気的に接続し、
前記複数の第１の内部電極のうち少なくとも２つの第１の内部電極を、前記少なくとも３つの端子電極のうちの２つ以上当該端子電極の総数よりも少なくとも１つ少ない数以下のそれぞれ異なる端子電極に引き出し導体を介して電気的に接続し、
前記複数の第２の内部電極のうち少なくとも１つの第２の内部電極を、前記第１の内部電極に前記引き出し導体を介して電気的に接続された前記端子電極以外の残りの端子電極に引き出し導体を介して電気的に接続し、
前記引き出し導体を介して前記端子電極に電気的に接続される前記第１の内部電極及び前記第２の内部電極の少なくとも一方の内部電極の前記積層体の積層方向での位置を調整することにより、等価直列抵抗を所望の値に設定することを特徴とする積層コンデンサの等価直列抵抗調整方法。
【請求項２４】
複数の誘電体層と複数の内部電極とが交互に積層された積層体と、当該積層体に形成された複数の端子電極と、を備えた積層コンデンサの等価直列抵抗調整方法であって、
前記複数の内部電極は、交互に配置される複数の第１の内部電極と複数の第２の内部電極とを含み、
前記複数の端子電極は、少なくとも３つの端子電極を含んでおり、
前記複数の第１の内部電極を、前記積層体の表面に形成された接続導体を介して互いに電気的に接続し、
前記複数の第２の内部電極を、前記積層体の表面に形成された接続導体を介して互いに電気的に接続し、
前記複数の第１の内部電極のうち少なくとも１つの第１の内部電極を、前記少なくとも３つの端子電極のうちの２つ以上当該端子電極の総数よりも少なくとも１つ少ない数以下の端子電極にそれぞれ引き出し導体を介して電気的に接続し、
前記複数の第２の内部電極のうち少なくとも１つの第２の内部電極を、前記第１の内部電極に前記引き出し導体を介して電気的に接続された前記端子電極以外の残りの端子電極に引き出し導体を介して電気的に接続し、
前記引き出し導体を介して前記端子電極に電気的に接続される前記第１の内部電極及び第２の内部電極の少なくとも一方の内部電極の数を調整することにより、等価直列抵抗を所望の値に設定することを特徴とする積層コンデンサの等価直列抵抗調整方法。
【請求項２５】
複数の誘電体層と複数の内部電極とが交互に積層された積層体と、当該積層体に形成された複数の端子電極と、を備えた積層コンデンサの等価直列抵抗調整方法であって、
前記複数の内部電極は、交互に配置される複数の第１の内部電極と複数の第２の内部電極とを含み、
前記複数の端子電極は、少なくとも３つの端子電極を含んでおり、
前記複数の第１の内部電極を、前記積層体の表面に形成された接続導体を介して互いに電気的に接続し、
前記複数の第２の内部電極を、前記積層体の表面に形成された接続導体を介して互いに電気的に接続し、
前記複数の第１の内部電極のうち少なくとも１つの第１の内部電極を、前記少なくとも３つの端子電極のうちの２つ以上当該端子電極の総数よりも少なくとも１つ少ない数以下の端子電極にそれぞれ引き出し導体を介して電気的に接続し、
前記複数の第２の内部電極のうち少なくとも１つの第２の内部電極を、前記第１の内部電極に前記引き出し導体を介して電気的に接続された前記端子電極以外の残りの端子電極に引き出し導体を介して電気的に接続し、
前記引き出し導体を介して前記端子電極に電気的に接続される前記第１の内部電極及び第２の内部電極の少なくとも一方の内部電極の前記積層体の積層方向での位置を調整することにより、等価直列抵抗を所望の値に設定することを特徴とする積層コンデンサの等価直列抵抗調整方法。
【請求項２６】
複数の誘電体層と複数の内部電極とが交互に積層された積層体と、当該積層体に形成された複数の端子電極と、を備えた積層コンデンサの等価直列抵抗調整方法であって、
交互に配置される第１の数の第１の内部電極と第２の数の第２の内部電極とを前記複数の内部電極として含むコンデンサ部を有しており、
前記複数の端子電極は、互いに電気的に絶縁された第１及び第２の端子電極を含み、
前記第１の数の第１の内部電極を、前記積層体の表面に形成された接続導体を介して互いに電気的に接続し、
前記第２の数の第２の内部電極を、前記積層体の表面に形成された接続導体を介して互いに電気的に接続し、
前記第１の数の第１の内部電極のうち１つ以上前記第１の数よりも１つ少ない数以下の第１の内部電極を、引き出し導体を介して前記第１の端子電極に電気的に接続し、
前記第２の数の第２の内部電極のうち１つ以上前記第２の数よりも１つ少ない数以下の第２の内部電極を、引き出し導体を介して前記第２の端子電極に電気的に接続し、
前記引き出し導体を介して前記第１の端子電極に電気的に接続される前記第１の内部電極の数及び前記引き出し導体を介して前記第２の端子電極に電気的に接続される前記第２の内部電極の数の少なくとも一方の数を調整することにより、等価直列抵抗を所望の値に設定することを特徴とする積層コンデンサの等価直列抵抗調整方法。
【請求項２７】
複数の誘電体層と複数の内部電極とが交互に積層された積層体と、当該積層体に形成された複数の端子電極と、を備えた積層コンデンサの等価直列抵抗調整方法であって、
交互に配置される第１の数の第１の内部電極と第２の数の第２の内部電極とを前記複数の内部電極として含むコンデンサ部を有しており、
前記複数の端子電極は、互いに電気的に絶縁された第１及び第２の端子電極を含み、
前記第１の数の第１の内部電極を、前記積層体の表面に形成された接続導体を介して互いに電気的に接続し、
前記第２の数の第２の内部電極を、前記積層体の表面に形成された接続導体を介して互いに電気的に接続し、
前記第１の数の第１の内部電極のうち１つ以上前記第１の数よりも１つ少ない数以下の第１の内部電極を、引き出し導体を介して前記第１の端子電極に電気的に接続し、
前記第２の数の第２の内部電極のうち１つ以上前記第２の数よりも１つ少ない数以下の第２の内部電極を、引き出し導体を介して前記第２の端子電極に電気的に接続し、
前記引き出し導体を介して前記第１の端子電極に電気的に接続される前記第１の内部電極の前記積層体の積層方向での位置及び前記引き出し導体を介して前記第２の端子電極に電気的に接続される前記第２の内部電極の前記積層体の積層方向での位置の少なくとも一方を調整することにより、等価直列抵抗を所望の値に設定することを特徴とする積層コンデンサの等価直列抵抗調整方法。
【請求項２８】
複数の誘電体層と複数の内部電極とが交互に積層された積層体と、当該積層体に形成された複数の端子電極と、を備えた積層コンデンサの等価直列抵抗調整方法であって、
交互に配置される第１の数の第１の内部電極と第２の数の第２の内部電極とを前記複数の内部電極として含むコンデンサ部を有しており、
前記第１の数の第１の内部電極を、前記積層体の表面に形成された接続導体を介して互いに電気的に接続し、
前記第２の数の第２の内部電極を、前記積層体の表面に形成された接続導体を介して互いに電気的に接続し、
前記第１の数の第１の内部電極のうち１つ以上前記第１の数よりも１つ少ない数以下の第１の内部電極を、前記複数の端子電極のうちそれぞれ異なる端子電極に引き出し導体を介して電気的に接続し、
前記第２の数の第２の内部電極のうち１つ以上前記第２の数よりも１つ少ない数以下の第２の内部電極を、前記第１の内部電極に前記引き出し導体を介して電気的に接続された前記端子電極以外の残りの端子電極のうちそれぞれ異なる端子電極に引き出し導体を介して電気的に接続し、
前記引き出し導体を介して前記端子電極に電気的に接続される前記第１の内部電極及び前記第２の内部電極の少なくとも一方の内部電極の数を調整することにより、等価直列抵抗を所望の値に設定することを特徴とする積層コンデンサの等価直列抵抗調整方法。
【請求項２９】
複数の誘電体層と複数の内部電極とが交互に積層された積層体と、当該積層体に形成された複数の端子電極と、を備えた積層コンデンサの等価直列抵抗調整方法であって、
交互に配置される第１の数の第１の内部電極と第２の数の第２の内部電極とを前記複数の内部電極として含むコンデンサ部を有しており、
前記第１の数の第１の内部電極を、前記積層体の表面に形成された接続導体を介して互いに電気的に接続し、
前記第２の数の第２の内部電極を、前記積層体の表面に形成された接続導体を介して互いに電気的に接続し、
前記第１の数の第１の内部電極のうち１つ以上前記第１の数よりも１つ少ない数以下の第１の内部電極を、前記複数の端子電極のうちそれぞれ異なる端子電極に引き出し導体を介して電気的に接続し、
前記第２の数の第２の内部電極のうち１つ以上前記第２の数よりも１つ少ない数以下の第２の内部電極を、前記第１の内部電極に前記引き出し導体を介して電気的に接続された前記端子電極以外の残りの端子電極のうちそれぞれ異なる端子電極に引き出し導体を介して電気的に接続し、
前記引き出し導体を介して前記端子電極に電気的に接続される前記第１の内部電極及び前記第２の内部電極の少なくとも一方の内部電極の前記積層体の積層方向での位置を調整することにより、等価直列抵抗を所望の値に設定することを特徴とする積層コンデンサの等価直列抵抗調整方法。
【請求項３０】
複数の誘電体層と複数の内部電極とが交互に積層された積層体と、当該積層体に形成された複数の端子電極と、を備えた積層コンデンサの等価直列抵抗調整方法であって、
交互に配置される第１の数の第１の内部電極と第２の数の第２の内部電極とを前記複数の内部電極として含むコンデンサ部を有しており、
前記第１の数の第１の内部電極を、前記積層体の表面に形成された接続導体を介して互いに電気的に接続し、
前記第２の数の第２の内部電極を、前記積層体の表面に形成された接続導体を介して互いに電気的に接続し、
前記第１の数の第１の内部電極のうち１つ以上前記第１の数よりも１つ少ない数以下の第１の内部電極を、前記複数の端子電極のうち少なくとも１つの端子電極にそれぞれ引き出し導体を介して電気的に接続し、
前記第２の数の第２の内部電極のうち１つ以上前記第２の数よりも１つ少ない数以下の第２の内部電極を、前記第１の内部電極に前記引き出し導体を介して電気的に接続された前記端子電極以外の残りの端子電極のうち少なくとも１つの端子電極にそれぞれ引き出し導体を介して電気的に接続し、
前記引き出し導体を介して前記端子電極に電気的に接続される前記第１の内部電極及び第２の内部電極の少なくとも一方の内部電極の数を調整することにより、等価直列抵抗を所望の値に設定することを特徴とする積層コンデンサの等価直列抵抗調整方法。
【請求項３１】
複数の誘電体層と複数の内部電極とが交互に積層された積層体と、当該積層体に形成された複数の端子電極と、を備えた積層コンデンサの等価直列抵抗調整方法であって、
交互に配置される第１の数の第１の内部電極と第２の数の第２の内部電極とを前記複数の内部電極として含むコンデンサ部を有しており、
前記第１の数の第１の内部電極を、前記積層体の表面に形成された接続導体を介して互いに電気的に接続し、
前記第２の数の第２の内部電極を、前記積層体の表面に形成された接続導体を介して互いに電気的に接続し、
前記第１の数の第１の内部電極のうち１つ以上前記第１の数よりも１つ少ない数以下の第１の内部電極を、前記複数の端子電極のうち少なくとも１つの端子電極にそれぞれ引き出し導体を介して電気的に接続し、
前記第２の数の第２の内部電極のうち１つ以上前記第２の数よりも１つ少ない数以下の第２の内部電極を、前記第１の内部電極に前記引き出し導体を介して電気的に接続された前記端子電極以外の残りの端子電極のうち少なくとも１つの端子電極にそれぞれ引き出し導体を介して電気的に接続し、
前記引き出し導体を介して前記端子電極に電気的に接続される前記第１の内部電極及び前記第２の内部電極の少なくとも一方の内部電極の前記積層体の積層方向での位置を調整することにより、等価直列抵抗を所望の値に設定することを特徴とする積層コンデンサの等価直列抵抗調整方法。
【発明の詳細な説明】
【技術分野】
【０００１】
本発明は、積層コンデンサ、及び、積層コンデンサの等価直列抵抗調整方法に関するものである。
【背景技術】
【０００２】
この種の積層コンデンサとして、複数の誘電体層と複数の内部電極とが交互に積層された積層体と、当該積層体に形成された複数の端子電極とを備えたものが知られている（例えば、特許文献１参照）。
【０００３】
デジタル電子機器に搭載されている中央処理装置（ＣＰＵ）に供給用の電源においては低電圧化が進む一方で負荷電流は増大している。従って、負荷電流の急激な変化に対して電源電圧の変動を許容値内に抑えることが非常に困難になったため、デカップリングコンデンサと呼ばれる積層コンデンサが電源に接続されるようになった。そして、負荷電流の過渡的な変動時にこの積層コンデンサからＣＰＵに電流を供給して、電源電圧の変動を抑えるようにしている。
【０００４】
近年、ＣＰＵの動作周波数の更なる高周波数化に伴って、負荷電流は高速でより大きなものとなっており、デカップリングコンデンサに用いられる積層コンデンサには、大容量化と共に等価直列抵抗（ＥＳＲ）を大きくしたいという要求がある。特許文献１に記載された積層コンデンサでは、端子電極を内部抵抗層を含む多層構造とすることにより、ＥＳＲを大きくしている。
【特許文献１】特開２００４−０４７９８３号公報
【発明の開示】
【発明が解決しようとする課題】
【０００５】
しかしながら、特許文献１に記載された積層コンデンサでは、等価直列抵抗を所望の値に制御するに際して、以下のような問題点が存在する。すなわち、特許文献１に記載された積層コンデンサでは、等価直列抵抗を所望の値に制御するためには、端子電極に含まれる内部抵抗層の厚みや当該内部抵抗層の材料組成を調整しなければならず、等価直列抵抗の制御が極めて困難となる。
【０００６】
本発明は、等価直列抵抗の制御を容易に且つ精度良く行うことが可能な積層コンデンサ、及び積層コンデンサの等価直列抵抗調整方法を提供することを課題とする。
【課題を解決するための手段】
【０００７】
ところで、一般的な積層コンデンサにあっては、すべての内部電極は引き出し導体を介して対応する端子電極に接続されている。このため、引き出し導体が内部電極の数だけ存在することとなり、等価直列抵抗が小さくなってしまう。積層コンデンサの大容量化を図るために誘電体層及び内部電極の積層数を多くすると、引き出し導体の数も多くなる。引き出し導体の抵抗成分は端子電極に対して並列接続されることとなるため、引き出し導体の数が多くなるに従い、積層コンデンサの等価直列抵抗がさらに小さくなってしまう。このように、積層コンデンサの大容量化と、等価直列抵抗を大きくするということとは、相反する要求である。
【０００８】
そこで、本発明者等は、大容量化と等価直列抵抗を大きくしたいとの要求を満たし得る積層コンデンサについて鋭意研究を行った。その結果、本発明者等は、誘電体層及び内部電極の積層数を同じとしても、内部電極を積層体の表面に形成された接続導体で接続し且つ引き出し導体の数を変えることができれば、等価直列抵抗を所望の値に調節することが可能となるという新たな事実を見出すに至った。また、本発明者等は、内部電極を積層体の表面に形成された接続導体で接続し且つ積層体の積層方向での引き出し導体の位置を変えることができれば、等価直列抵抗を所望の値に調節することが可能となるという新たな事実を見出すに至った。特に、引き出し導体の数を内部電極の数よりも少なくすれば、等価直列抵抗を大きくする方向での調整が可能となる。
【０００９】
かかる研究結果を踏まえ、本発明に係る積層コンデンサは、複数の誘電体層と複数の内部電極とが交互に積層された積層体と、当該積層体に形成された複数の端子電極と、を備えた積層コンデンサであって、複数の内部電極は、交互に配置される複数の第１の内部電極と複数の第２の内部電極とを含み、複数の端子電極は、互いに電気的に絶縁された第１及び第２の端子電極を含み、複数の第１の内部電極は、積層体の表面に形成された接続導体を介して互いに電気的に接続され、複数の第２の内部電極は、積層体の表面に形成された接続導体を介して互いに電気的に接続され、複数の第１の内部電極のうち１つ以上当該第１の内部電極の総数よりも１つ少ない数以下の第１の内部電極は、引き出し導体を介して第１の端子電極に電気的に接続され、複数の第２の内部電極のうち１つ以上当該第２の内部電極の総数よりも１つ少ない数以下の第２の内部電極は、引き出し導体を介して第２の端子電極に電気的に接続され、引き出し導体を介して第１の端子電極に電気的に接続される第１の内部電極の数及び引き出し導体を介して第２の端子電極に電気的に接続される第２の内部電極の数の少なくとも一方の数を調整することにより、等価直列抵抗が所望の値に設定されていることを特徴とする。
【００１０】
一方、本発明に係る積層コンデンサの等価直列抵抗調整方法は、複数の誘電体層と複数の内部電極とが交互に積層された積層体と、当該積層体に形成された複数の端子電極と、を備えた積層コンデンサの等価直列抵抗調整方法であって、複数の内部電極は、交互に配置される複数の第１の内部電極と複数の第２の内部電極とを含み、複数の端子電極は、互いに電気的に絶縁された第１及び第２の端子電極を含んでおり、複数の第１の内部電極を、積層体の表面に形成された接続導体を介して互いに電気的に接続し、複数の第２の内部電極を、積層体の表面に形成された接続導体を介して互いに電気的に接続し、複数の第１の内部電極のうち１つ以上当該第１の内部電極の総数よりも１つ少ない数以下の第１の内部電極を、引き出し導体を介して第１の端子電極に電気的に接続し、複数の第２の内部電極のうち１つ以上当該第２の内部電極の総数よりも１つ少ない数以下の第２の内部電極を、引き出し導体を介して第２の端子電極に電気的に接続し、引き出し導体を介して第１の端子電極に電気的に接続される第１の内部電極の数及び引き出し導体を介して第２の端子電極に電気的に接続される第２の内部電極の数の少なくとも一方の数を調整することにより、等価直列抵抗を所望の値に設定することを特徴とする。
【００１１】
これら、本発明に係る積層コンデンサ及び積層コンデンサの等価直列抵抗調整方法それぞれによれば、引き出し導体を介して第１の端子電極に電気的に接続される第１の内部電極の数及び引き出し導体を介して第２の端子電極に電気的に接続される第２の内部電極の数の少なくとも一方の数を調整することにより、等価直列抵抗が所望の値に設定されるので、等価直列抵抗の制御を容易に且つ精度良く行うことができる。
【００１２】
本発明に係る積層コンデンサは、複数の誘電体層と複数の内部電極とが交互に積層された積層体と、当該積層体に形成された複数の端子電極と、を備えた積層コンデンサであって、複数の内部電極は、交互に配置される複数の第１の内部電極と複数の第２の内部電極とを含み、複数の端子電極は、互いに電気的に絶縁された第１及び第２の端子電極を含み、複数の第１の内部電極は、積層体の表面に形成された接続導体を介して互いに電気的に接続され、複数の第２の内部電極は、積層体の表面に形成された接続導体を介して互いに電気的に接続され、複数の第１の内部電極のうち１つ以上当該第１の内部電極の総数よりも１つ少ない数以下の第１の内部電極は、引き出し導体を介して第１の端子電極に電気的に接続され、複数の第２の内部電極のうち１つ以上当該第２の内部電極の総数よりも１つ少ない数以下の第２の内部電極は、引き出し導体を介して第２の端子電極に電気的に接続され、引き出し導体を介して第１の端子電極に電気的に接続される第１の内部電極の積層体の積層方向での位置及び引き出し導体を介して第２の端子電極に電気的に接続される第２の内部電極の積層体の積層方向での位置の少なくとも一方の位置を調整することにより、等価直列抵抗が所望の値に設定されていることを特徴とする。
【００１３】
一方、本発明に係る積層コンデンサの等価直列抵抗調整方法は、複数の誘電体層と複数の内部電極とが交互に積層された積層体と、当該積層体に形成された複数の端子電極と、を備えた積層コンデンサの等価直列抵抗調整方法であって、複数の内部電極は、交互に配置される複数の第１の内部電極と複数の第２の内部電極とを含み、複数の端子電極は、互いに電気的に絶縁された第１及び第２の端子電極を含んでおり、複数の第１の内部電極を、積層体の表面に形成された接続導体を介して互いに電気的に接続し、複数の第２の内部電極を、積層体の表面に形成された接続導体を介して互いに電気的に接続し、複数の第１の内部電極のうち１つ以上当該第１の内部電極の総数よりも１つ少ない数以下の第１の内部電極を、引き出し導体を介して第１の端子電極に電気的に接続し、複数の第２の内部電極のうち１つ以上当該第２の内部電極の総数よりも１つ少ない数以下の第２の内部電極を、引き出し導体を介して第２の端子電極に電気的に接続し、引き出し導体を介して第１の端子電極に電気的に接続される第１の内部電極の積層体の積層方向での位置及び引き出し導体を介して第２の端子電極に電気的に接続される第２の内部電極の積層体の積層方向での位置の少なくとも一方の位置を調整することにより、等価直列抵抗を所望の値に設定することを特徴とする。
【００１４】
これら、本発明に係る積層コンデンサ及び積層コンデンサの等価直列抵抗調整方法それぞれによれば、引き出し導体を介して第１の端子電極に電気的に接続される第１の内部電極の積層体の積層方向での位置及び引き出し導体を介して第２の端子電極に電気的に接続される第２の内部電極の積層体の積層方向での位置の少なくとも一方の位置を調整することにより、等価直列抵抗が所望の値に設定されるので、等価直列抵抗の制御を容易に且つ精度良く行うことができる。
【００１５】
本発明に係る積層コンデンサは、複数の誘電体層と複数の内部電極とが交互に積層された積層体と、当該積層体に形成された複数の端子電極と、を備えた積層コンデンサであって、複数の内部電極は、交互に配置される複数の第１の内部電極と複数の第２の内部電極とを含み、複数の端子電極は、少なくとも３つの端子電極を含み、複数の第１の内部電極は、積層体の表面に形成された接続導体を介して互いに電気的に接続され、複数の第２の内部電極は、積層体の表面に形成された接続導体を介して互いに電気的に接続され、複数の第１の内部電極のうち少なくとも２つの第１の内部電極は、少なくとも３つの端子電極のうちの２つ以上当該端子電極の総数よりも少なくとも１つ少ない数以下のそれぞれ異なる端子電極に引き出し導体を介して電気的に接続され、複数の第２の内部電極のうち少なくとも１つの第２の内部電極は、第１の内部電極に引き出し導体を介して電気的に接続された端子電極以外の残りの端子電極に引き出し導体を介して電気的に接続され、引き出し導体を介して端子電極に電気的に接続される第１の内部電極及び第２の内部電極の少なくとも一方の内部電極の数を調整することにより、等価直列抵抗が所望の値に設定されていることを特徴とする。
【００１６】
一方、本発明に係る積層コンデンサの等価直列抵抗調整方法は、複数の誘電体層と複数の内部電極とが交互に積層された積層体と、当該積層体に形成された複数の端子電極と、を備えた積層コンデンサの等価直列抵抗調整方法であって、複数の内部電極は、交互に配置される複数の第１の内部電極と複数の第２の内部電極とを含み、複数の端子電極は、少なくとも３つの端子電極を含んでおり、複数の第１の内部電極を、積層体の表面に形成された接続導体を介して互いに電気的に接続し、複数の第２の内部電極を、積層体の表面に形成された接続導体を介して互いに電気的に接続し、複数の第１の内部電極のうち少なくとも２つの第１の内部電極を、少なくとも３つの端子電極のうちの２つ以上当該端子電極の総数よりも少なくとも１つ少ない数以下のそれぞれ異なる端子電極に引き出し導体を介して電気的に接続し、複数の第２の内部電極のうち少なくとも１つの第２の内部電極を、第１の内部電極に引き出し導体を介して電気的に接続された端子電極以外の残りの端子電極に引き出し導体を介して電気的に接続し、引き出し導体を介して端子電極に電気的に接続される第１の内部電極及び第２の内部電極の少なくとも一方の内部電極の数を調整することにより、等価直列抵抗を所望の値に設定することを特徴とする。
【００１７】
これら、本発明に係る積層コンデンサ及び積層コンデンサの等価直列抵抗調整方法それぞれによれば、引き出し導体を介して端子電極に電気的に接続される第１の内部電極及び第２の内部電極の少なくとも一方の内部電極の数を調整することにより、等価直列抵抗が所望の値に設定されるので、等価直列抵抗の制御を容易に且つ精度良く行うことができる。
【００１８】
本発明に係る積層コンデンサは、複数の誘電体層と複数の内部電極とが交互に積層された積層体と、当該積層体に形成された複数の端子電極と、を備えた積層コンデンサであって、複数の内部電極は、交互に配置される複数の第１の内部電極と複数の第２の内部電極とを含み、複数の端子電極は、少なくとも３つの端子電極を含み、複数の第１の内部電極は、積層体の表面に形成された接続導体を介して互いに電気的に接続され、複数の第２の内部電極は、積層体の表面に形成された接続導体を介して互いに電気的に接続され、複数の第１の内部電極のうち少なくとも２つの第１の内部電極は、少なくとも３つの端子電極のうちの２つ以上当該端子電極の総数よりも少なくとも１つ少ない数以下のそれぞれ異なる端子電極に引き出し導体を介して電気的に接続され、複数の第２の内部電極のうち少なくとも１つの第２の内部電極は、第１の内部電極に引き出し導体を介して電気的に接続された端子電極以外の残りの端子電極に引き出し導体を介して電気的に接続され、引き出し導体を介して端子電極に電気的に接続される第１の内部電極及び第２の内部電極の少なくとも一方の内部電極の積層体の積層方向での位置を調整することにより、等価直列抵抗が所望の値に設定されていることを特徴とする。
【００１９】
一方、本発明に係る積層コンデンサの等価直列抵抗調整方法は、複数の誘電体層と複数の内部電極とが交互に積層された積層体と、当該積層体に形成された複数の端子電極と、を備えた積層コンデンサの等価直列抵抗調整方法であって、複数の内部電極は、交互に配置される複数の第１の内部電極と複数の第２の内部電極とを含み、複数の端子電極は、少なくとも３つの端子電極を含んでおり、複数の第１の内部電極を、積層体の表面に形成された接続導体を介して互いに電気的に接続し、複数の第２の内部電極を、積層体の表面に形成された接続導体を介して互いに電気的に接続し、複数の第１の内部電極のうち少なくとも２つの第１の内部電極を、少なくとも３つの端子電極のうちの２つ以上当該端子電極の総数よりも少なくとも１つ少ない数以下のそれぞれ異なる端子電極に引き出し導体を介して電気的に接続し、複数の第２の内部電極のうち少なくとも１つの第２の内部電極を、第１の内部電極に引き出し導体を介して電気的に接続された端子電極以外の残りの端子電極に引き出し導体を介して電気的に接続し、引き出し導体を介して端子電極に電気的に接続される第１の内部電極及び第２の内部電極の少なくとも一方の内部電極の積層体の積層方向での位置を調整することにより、等価直列抵抗を所望の値に設定することを特徴とする。
【００２０】
これら、本発明に係る積層コンデンサ及び積層コンデンサの等価直列抵抗調整方法それぞれによれば、引き出し導体を介して端子電極に電気的に接続される第１の内部電極及び第２の内部電極の少なくとも一方の内部電極の積層体の積層方向での位置を調整することにより、等価直列抵抗が所望の値に設定されるので、等価直列抵抗の制御を容易に且つ精度良く行うことができる。
【００２１】
本発明に係る積層コンデンサは、複数の誘電体層と複数の内部電極とが交互に積層された積層体と、当該積層体に形成された複数の端子電極と、を備えた積層コンデンサであって、複数の内部電極は、交互に配置される複数の第１の内部電極と複数の第２の内部電極とを含み、複数の端子電極は、少なくとも３つの端子電極を含み、複数の第１の内部電極は、積層体の表面に形成された接続導体を介して互いに電気的に接続され、複数の第２の内部電極は、積層体の表面に形成された接続導体を介して互いに電気的に接続され、複数の第１の内部電極のうち少なくとも１つの第１の内部電極は、少なくとも３つの端子電極のうちの２つ以上当該端子電極の総数よりも少なくとも１つ少ない数以下の端子電極にそれぞれ引き出し導体を介して電気的に接続され、複数の第２の内部電極のうち少なくとも１つの第２の内部電極は、第１の内部電極に引き出し導体を介して電気的に接続された端子電極以外の残りの端子電極に引き出し導体を介して電気的に接続され、引き出し導体を介して端子電極に電気的に接続される第１の内部電極及び第２の内部電極の少なくとも一方の内部電極の数を調整することにより、等価直列抵抗が所望の値に設定されていることを特徴とする。
【００２２】
一方、本発明に係る積層コンデンサの等価直列抵抗調整方法は、複数の誘電体層と複数の内部電極とが交互に積層された積層体と、当該積層体に形成された複数の端子電極と、を備えた積層コンデンサの等価直列抵抗調整方法であって、複数の内部電極は、交互に配置される複数の第１の内部電極と複数の第２の内部電極とを含み、複数の端子電極は、少なくとも３つの端子電極を含んでおり、複数の第１の内部電極を、積層体の表面に形成された接続導体を介して互いに電気的に接続し、複数の第２の内部電極を、積層体の表面に形成された接続導体を介して互いに電気的に接続し、複数の第１の内部電極のうち少なくとも１つの第１の内部電極を、少なくとも３つの端子電極のうちの２つ以上当該端子電極の総数よりも少なくとも１つ少ない数以下の端子電極にそれぞれ引き出し導体を介して電気的に接続し、複数の第２の内部電極のうち少なくとも１つの第２の内部電極を、第１の内部電極に引き出し導体を介して電気的に接続された端子電極以外の残りの端子電極に引き出し導体を介して電気的に接続し、引き出し導体を介して端子電極に電気的に接続される第１の内部電極及び第２の内部電極の少なくとも一方の内部電極の数を調整することにより、等価直列抵抗を所望の値に設定することを特徴とする。
【００２３】
これら、本発明に係る積層コンデンサ及び積層コンデンサの等価直列抵抗調整方法それぞれによれば、引き出し導体を介して端子電極に電気的に接続される第１の内部電極及び第２の内部電極の少なくとも一方の内部電極の数を調整することにより、等価直列抵抗が所望の値に設定されるので、等価直列抵抗の制御を容易に且つ精度良く行うことができる。
【００２４】
本発明に係る積層コンデンサは、複数の誘電体層と複数の内部電極とが交互に積層された積層体と、当該積層体に形成された複数の端子電極と、を備えた積層コンデンサであって、複数の内部電極は、交互に配置される複数の第１の内部電極と複数の第２の内部電極とを含み、複数の端子電極は、少なくとも３つの端子電極を含み、複数の第１の内部電極は、積層体の表面に形成された接続導体を介して互いに電気的に接続され、複数の第２の内部電極は、積層体の表面に形成された接続導体を介して互いに電気的に接続され、複数の第１の内部電極のうち少なくとも１つの第１の内部電極は、少なくとも３つの端子電極のうちの２つ以上当該端子電極の総数よりも少なくとも１つ少ない数以下の端子電極にそれぞれ引き出し導体を介して電気的に接続され、複数の第２の内部電極のうち少なくとも１つの第２の内部電極は、第１の内部電極に引き出し導体を介して電気的に接続された端子電極以外の残りの端子電極に引き出し導体を介して電気的に接続され、引き出し導体を介して端子電極に電気的に接続される第１の内部電極及び第２の内部電極の少なくとも一方の内部電極の積層体の積層方向での位置を調整することにより、等価直列抵抗が所望の値に設定されていることを特徴とする。
【００２５】
一方、本発明に係る積層コンデンサの等価直列抵抗調整方法は、複数の誘電体層と複数の内部電極とが交互に積層された積層体と、当該積層体に形成された複数の端子電極と、を備えた積層コンデンサの等価直列抵抗調整方法であって、複数の内部電極は、交互に配置される複数の第１の内部電極と複数の第２の内部電極とを含み、複数の端子電極は、少なくとも３つの端子電極を含んでおり、複数の第１の内部電極を、積層体の表面に形成された接続導体を介して互いに電気的に接続し、複数の第２の内部電極を、積層体の表面に形成された接続導体を介して互いに電気的に接続し、複数の第１の内部電極のうち少なくとも１つの第１の内部電極を、少なくとも３つの端子電極のうちの２つ以上当該端子電極の総数よりも少なくとも１つ少ない数以下の端子電極にそれぞれ引き出し導体を介して電気的に接続し、複数の第２の内部電極のうち少なくとも１つの第２の内部電極を、第１の内部電極に引き出し導体を介して電気的に接続された端子電極以外の残りの端子電極に引き出し導体を介して電気的に接続し、引き出し導体を介して端子電極に電気的に接続される第１の内部電極及び第２の内部電極の少なくとも一方の内部電極の積層体の積層方向での位置を調整することにより、等価直列抵抗を所望の値に設定することを特徴とする。
【００２６】
これら、本発明に係る積層コンデンサ及び積層コンデンサの等価直列抵抗調整方法それぞれによれば、引き出し導体を介して端子電極に電気的に接続される第１の内部電極及び第２の内部電極の少なくとも一方の内部電極の積層体の積層方向での位置を調整することにより、等価直列抵抗が所望の値に設定されるので、等価直列抵抗の制御を容易に且つ精度良く行うことができる。
【００２７】
また、複数の端子電極は、２つ以上の第１の端子電極と２つ以上の第２の端子電極とを含んでおり、複数の第１の内部電極は、引き出し導体及び上記接続導体を通して２つ以上の第１の端子電極に電気的に接続され、複数の第２の内部電極は、引き出し導体及び上記接続導体を通して２つ以上の第２の端子電極に電気的に接続されていることが好ましい。
【００２８】
また、複数の第１の内部電極同士を電気的に接続する接続導体の数と複数の第２の内部電極同士を電気的に接続する接続導体の数とをそれぞれ更に調整することにより、等価直列抵抗が所望の値に設定されていることが好ましい。この場合、等価直列抵抗の制御をより一層精度良く行うことができる。
【００２９】
また、複数の第１の内部電極同士は、並列接続されており、複数の第２の内部電極同士は、並列接続されていることが好ましい。この場合、各第１の内部電極や各第２の内部電極の抵抗値にバラツキが生じても、積層コンデンサ全体での等価直列抵抗への影響が少なく、等価直列抵抗の制御の精度低下を抑制することができる。
【００３０】
また、複数の第１及び第２の内部電極のうち少なくとも一部の第１及び第２の内部電極にスリットが形成され、スリットは、当該スリットが形成された第１及び第２の内部電極それぞれにおいて、当該スリットを挟んで対向する領域を電流が互いに逆向きに流れるように形成されていることが好ましい。この場合、電流に起因して発生する磁界が相殺され、等価直列インダクタンスの低減を図ることが可能となる。
【００３１】
本発明に係る積層コンデンサは、複数の誘電体層と複数の内部電極とが交互に積層された積層体と、当該積層体に形成された複数の端子電極と、を備えた積層コンデンサであって、交互に配置される第１の数の第１の内部電極と第２の数の第２の内部電極とを複数の内部電極として含むコンデンサ部を有しており、複数の端子電極は、互いに電気的に絶縁された第１及び第２の端子電極を含み、第１の数の第１の内部電極は、積層体の表面に形成された接続導体を介して互いに電気的に接続され、第２の数の第２の内部電極は、積層体の表面に形成された接続導体を介して互いに電気的に接続され、第１の数の第１の内部電極のうち１つ以上第１の数よりも１つ少ない数以下の第１の内部電極は、引き出し導体を介して第１の端子電極に電気的に接続され、第２の数の第２の内部電極のうち１つ以上第２の数よりも１つ少ない数以下の第２の内部電極は、引き出し導体を介して第２の端子電極に電気的に接続され、引き出し導体を介して第１の端子電極に電気的に接続される第１の内部電極の数及び引き出し導体を介して第２の端子電極に電気的に接続される第２の内部電極の数の少なくとも一方の数を調整することにより、等価直列抵抗が所望の値に設定されていることを特徴とする。
【００３２】
一方、本発明に係る積層コンデンサの等価直列抵抗調整方法は、複数の誘電体層と複数の内部電極とが交互に積層された積層体と、当該積層体に形成された複数の端子電極と、を備えた積層コンデンサの等価直列抵抗調整方法であって、交互に配置される第１の数の第１の内部電極と第２の数の第２の内部電極とを複数の内部電極として含むコンデンサ部を有しており、複数の端子電極は、互いに電気的に絶縁された第１及び第２の端子電極を含み、第１の数の第１の内部電極を、積層体の表面に形成された接続導体を介して互いに電気的に接続し、第２の数の第２の内部電極を、積層体の表面に形成された接続導体を介して互いに電気的に接続し、第１の数の第１の内部電極のうち１つ以上第１の数よりも１つ少ない数以下の第１の内部電極を、引き出し導体を介して第１の端子電極に電気的に接続し、第２の数の第２の内部電極のうち１つ以上第２の数よりも１つ少ない数以下の第２の内部電極を、引き出し導体を介して第２の端子電極に電気的に接続し、引き出し導体を介して第１の端子電極に電気的に接続される第１の内部電極の数及び引き出し導体を介して第２の端子電極に電気的に接続される第２の内部電極の数の少なくとも一方の数を調整することにより、等価直列抵抗を所望の値に設定することを特徴とする。
【００３３】
これら、本発明に係る積層コンデンサ及び積層コンデンサの等価直列抵抗調整方法それぞれによれば、引き出し導体を介して第１の端子電極に電気的に接続される第１の内部電極の数及び引き出し導体を介して第２の端子電極に電気的に接続される第２の内部電極の数の少なくとも一方の数を調整することにより、等価直列抵抗が所望の値に設定されるので、等価直列抵抗の制御を容易に且つ精度良く行うことができる。
【００３４】
本発明に係る積層コンデンサは、複数の誘電体層と複数の内部電極とが交互に積層された積層体と、当該積層体に形成された複数の端子電極と、を備えた積層コンデンサであって、交互に配置される第１の数の第１の内部電極と第２の数の第２の内部電極とを複数の内部電極として含むコンデンサ部を有しており、複数の端子電極は、互いに電気的に絶縁された第１及び第２の端子電極を含み、第１の数の第１の内部電極は、積層体の表面に形成された接続導体を介して互いに電気的に接続され、第２の数の第２の内部電極は、積層体の表面に形成された接続導体を介して互いに電気的に接続され、第１の数の第１の内部電極のうち１つ以上第１の数よりも１つ少ない数以下の第１の内部電極は、引き出し導体を介して第１の端子電極に電気的に接続され、第２の数の第２の内部電極のうち１つ以上第２の数よりも１つ少ない数以下の第２の内部電極は、引き出し導体を介して第２の端子電極に電気的に接続され、引き出し導体を介して第１の端子電極に電気的に接続される第１の内部電極の積層体の積層方向での位置及び引き出し導体を介して第２の端子電極に電気的に接続される第２の内部電極の積層体の積層方向での位置のいずれか一方の位置を調整することにより、等価直列抵抗が所望の値に設定されていることを特徴とする。
【００３５】
一方、本発明に係る積層コンデンサの等価直列抵抗調整方法は、複数の誘電体層と複数の内部電極とが交互に積層された積層体と、当該積層体に形成された複数の端子電極と、を備えた積層コンデンサの等価直列抵抗調整方法であって、交互に配置される第１の数の第１の内部電極と第２の数の第２の内部電極とを複数の内部電極として含むコンデンサ部を有しており、複数の端子電極は、互いに電気的に絶縁された第１及び第２の端子電極を含み、第１の数の第１の内部電極を、積層体の表面に形成された接続導体を介して互いに電気的に接続し、第２の数の第２の内部電極を、積層体の表面に形成された接続導体を介して互いに電気的に接続し、第１の数の第１の内部電極のうち１つ以上第１の数よりも１つ少ない数以下の第１の内部電極を、引き出し導体を介して第１の端子電極に電気的に接続し、第２の数の第２の内部電極のうち１つ以上第２の数よりも１つ少ない数以下の第２の内部電極を、引き出し導体を介して第２の端子電極に電気的に接続し、引き出し導体を介して第１の端子電極に電気的に接続される第１の内部電極の積層体の積層方向での位置及び引き出し導体を介して第２の端子電極に電気的に接続される第２の内部電極の積層体の積層方向での位置の少なくとも一方を調整することにより、等価直列抵抗を所望の値に設定することを特徴とする。
【００３６】
これら、本発明に係る積層コンデンサ及び積層コンデンサの等価直列抵抗調整方法それぞれによれば、引き出し導体を介して第１の端子電極に電気的に接続される第１の内部電極の積層体の積層方向での位置及び引き出し導体を介して第２の端子電極に電気的に接続される第２の内部電極の積層体の積層方向での位置の少なくとも一方を調整することにより、等価直列抵抗が所望の値に設定されるので、等価直列抵抗の制御を容易に且つ精度良く行うことができる。
【００３７】
本発明に係る積層コンデンサは、複数の誘電体層と複数の内部電極とが交互に積層された積層体と、当該積層体に形成された複数の端子電極と、を備えた積層コンデンサであって、交互に配置される第１の数の第１の内部電極と第２の数の第２の内部電極とを複数の内部電極として含むコンデンサ部を有しており、第１の数の第１の内部電極は、積層体の表面に形成された接続導体を介して互いに電気的に接続され、第２の数の第２の内部電極は、積層体の表面に形成された接続導体を介して互いに電気的に接続され、第１の数の第１の内部電極のうち１つ以上第１の数よりも１つ少ない数以下の第１の内部電極は、複数の端子電極のうちそれぞれ異なる端子電極に引き出し導体を介して電気的に接続され、第２の数の第２の内部電極のうち１つ以上第２の数よりも１つ少ない数以下の第２の内部電極は、第１の内部電極に引き出し導体を介して電気的に接続された端子電極以外の残りの端子電極のうちそれぞれ異なる端子電極に引き出し導体を介して電気的に接続され、引き出し導体を介して端子電極に電気的に接続される第１の内部電極及び第２の内部電極の少なくとも一方の内部電極の数を調整することにより、等価直列抵抗が所望の値に設定されていることを特徴とする。
【００３８】
一方、本発明に係る積層コンデンサの等価直列抵抗調整方法は、複数の誘電体層と複数の内部電極とが交互に積層された積層体と、当該積層体に形成された複数の端子電極と、を備えた積層コンデンサの等価直列抵抗調整方法であって、交互に配置される第１の数の第１の内部電極と第２の数の第２の内部電極とを複数の内部電極として含むコンデンサ部を有しており、第１の数の第１の内部電極を、積層体の表面に形成された接続導体を介して互いに電気的に接続し、第２の数の第２の内部電極を、積層体の表面に形成された接続導体を介して互いに電気的に接続し、第１の数の第１の内部電極のうち１つ以上第１の数よりも１つ少ない数以下の第１の内部電極を、複数の端子電極のうちそれぞれ異なる端子電極に引き出し導体を介して電気的に接続し、第２の数の第２の内部電極のうち１つ以上第２の数よりも１つ少ない数以下の第２の内部電極を、第１の内部電極に引き出し導体を介して電気的に接続された端子電極以外の残りの端子電極のうちそれぞれ異なる端子電極に引き出し導体を介して電気的に接続し、引き出し導体を介して端子電極に電気的に接続される第１の内部電極及び第２の内部電極の少なくとも一方の内部電極の数を調整することにより、等価直列抵抗を所望の値に設定することを特徴とする。
【００３９】
これら、本発明に係る積層コンデンサ及び積層コンデンサの等価直列抵抗調整方法それぞれによれば、引き出し導体を介して端子電極に電気的に接続される第１の内部電極及び第２の内部電極の少なくとも一方の内部電極の数を調整することにより、等価直列抵抗が所望の値に設定されるので、等価直列抵抗の制御を容易に且つ精度良く行うことができる。
【００４０】
本発明に係る積層コンデンサは、複数の誘電体層と複数の内部電極とが交互に積層された積層体と、当該積層体に形成された複数の端子電極と、を備えた積層コンデンサであって、交互に配置される第１の数の第１の内部電極と第２の数の第２の内部電極とを複数の内部電極として含むコンデンサ部を有しており、第１の数の第１の内部電極は、積層体の表面に形成された接続導体を介して互いに電気的に接続され、第２の数の第２の内部電極は、積層体の表面に形成された接続導体を介して互いに電気的に接続され、第１の数の第１の内部電極のうち１つ以上第１の数よりも１つ少ない数以下の第１の内部電極は、複数の端子電極のうちそれぞれ異なる端子電極に引き出し導体を介して電気的に接続され、第２の数の第２の内部電極のうち１つ以上第２の数よりも１つ少ない数以下の第２の内部電極は、第１の内部電極に引き出し導体を介して電気的に接続された端子電極以外の残りの端子電極のうちそれぞれ異なる端子電極に引き出し導体を介して電気的に接続され、引き出し導体を介して端子電極に電気的に接続される第１の内部電極及び第２の内部電極の少なくとも一方の内部電極の積層体の積層方向での位置を調整することにより、等価直列抵抗が所望の値に設定されていることを特徴とする。
【００４１】
一方、本発明に係る積層コンデンサの等価直列抵抗調整方法は、複数の誘電体層と複数の内部電極とが交互に積層された積層体と、当該積層体に形成された複数の端子電極と、を備えた積層コンデンサの等価直列抵抗調整方法であって、交互に配置される第１の数の第１の内部電極と第２の数の第２の内部電極とを複数の内部電極として含むコンデンサ部を有しており、第１の数の第１の内部電極を、積層体の表面に形成された接続導体を介して互いに電気的に接続し、第２の数の第２の内部電極を、積層体の表面に形成された接続導体を介して互いに電気的に接続し、第１の数の第１の内部電極のうち１つ以上第１の数よりも１つ少ない数以下の第１の内部電極を、複数の端子電極のうちそれぞれ異なる端子電極に引き出し導体を介して電気的に接続し、第２の数の第２の内部電極のうち１つ以上第２の数よりも１つ少ない数以下の第２の内部電極を、第１の内部電極に引き出し導体を介して電気的に接続された端子電極以外の残りの端子電極のうちそれぞれ異なる端子電極に引き出し導体を介して電気的に接続し、引き出し導体を介して端子電極に電気的に接続される第１の内部電極及び第２の内部電極の少なくとも一方の内部電極の積層体の積層方向での位置を調整することにより、等価直列抵抗を所望の値に設定することを特徴とする。
【００４２】
これら、本発明に係る積層コンデンサ及び積層コンデンサの等価直列抵抗調整方法それぞれによれば、引き出し導体を介して端子電極に電気的に接続される第１の内部電極及び第２の内部電極の少なくとも一方の内部電極の積層体の積層方向での位置を調整することにより、等価直列抵抗が所望の値に設定されるので、等価直列抵抗の制御を容易に且つ精度良く行うことができる。
【００４３】
本発明に係る積層コンデンサは、複数の誘電体層と複数の内部電極とが交互に積層された積層体と、当該積層体に形成された複数の端子電極と、を備えた積層コンデンサであって、交互に配置される第１の数の第１の内部電極と第２の数の第２の内部電極とを複数の内部電極として含むコンデンサ部を有しており、第１の数の第１の内部電極は、積層体の表面に形成された接続導体を介して互いに電気的に接続され、第２の数の第２の内部電極は、積層体の表面に形成された接続導体を介して互いに電気的に接続され、第１の数の第１の内部電極のうち１つ以上第１の数よりも１つ少ない数以下の第１の内部電極は、複数の端子電極のうち少なくとも１つの端子電極にそれぞれ引き出し導体を介して電気的に接続され、第２の数の第２の内部電極のうち１つ以上第２の数よりも１つ少ない数以下の第２の内部電極は、第１の内部電極に引き出し導体を介して電気的に接続された端子電極以外の残りの端子電極のうち少なくとも１つの端子電極にそれぞれ引き出し導体を介して電気的に接続され、引き出し導体を介して端子電極に電気的に接続される第１の内部電極及び第２の内部電極の少なくとも一方の内部電極の数を調整することにより、等価直列抵抗が所望の値に設定されていることを特徴とする。
【００４４】
一方、本発明に係る積層コンデンサの等価直列抵抗調整方法は、複数の誘電体層と複数の内部電極とが交互に積層された積層体と、当該積層体に形成された複数の端子電極と、を備えた積層コンデンサの等価直列抵抗調整方法であって、交互に配置される第１の数の第１の内部電極と第２の数の第２の内部電極とを複数の内部電極として含むコンデンサ部を有しており、第１の数の第１の内部電極を、積層体の表面に形成された接続導体を介して互いに電気的に接続し、第２の数の第２の内部電極を、積層体の表面に形成された接続導体を介して互いに電気的に接続し、第１の数の第１の内部電極のうち１つ以上第１の数よりも１つ少ない数以下の第１の内部電極を、複数の端子電極のうち少なくとも１つの端子電極にそれぞれ引き出し導体を介して電気的に接続し、第２の数の第２の内部電極のうち１つ以上第２の数よりも１つ少ない数以下の第２の内部電極を、第１の内部電極に引き出し導体を介して電気的に接続された端子電極以外の残りの端子電極のうち少なくとも１つの端子電極にそれぞれ引き出し導体を介して電気的に接続し、引き出し導体を介して端子電極に電気的に接続される第１の内部電極及び第２の内部電極の少なくとも一方の内部電極の数を調整することにより、等価直列抵抗を所望の値に設定することを特徴とする。
【００４５】
これら、本発明に係る積層コンデンサ及び積層コンデンサの等価直列抵抗調整方法それぞれによれば、引き出し導体を介して端子電極に電気的に接続される第１の内部電極及び第２の内部電極の少なくとも一方の内部電極の数を調整することにより、等価直列抵抗が所望の値に設定されるので、等価直列抵抗の制御を容易に且つ精度良く行うことができる。
【００４６】
本発明に係る積層コンデンサは、複数の誘電体層と複数の内部電極とが交互に積層された積層体と、当該積層体に形成された複数の端子電極と、を備えた積層コンデンサであって、交互に配置される第１の数の第１の内部電極と第２の数の第２の内部電極とを複数の内部電極として含むコンデンサ部を有しており、第１の数の第１の内部電極は、積層体の表面に形成された接続導体を介して互いに電気的に接続され、第２の数の第２の内部電極は、積層体の表面に形成された接続導体を介して互いに電気的に接続され、第１の数の第１の内部電極のうち１つ以上第１の数よりも１つ少ない数以下の第１の内部電極は、複数の端子電極のうち少なくとも１つの端子電極にそれぞれ引き出し導体を介して電気的に接続され、第２の数の第２の内部電極のうち１つ以上第２の数よりも１つ少ない数以下の第２の内部電極は、第１の内部電極に引き出し導体を介して電気的に接続された端子電極以外の残りの端子電極のうち少なくとも１つの端子電極にそれぞれ引き出し導体を介して電気的に接続され、引き出し導体を介して端子電極に電気的に接続される第１の内部電極及び第２の内部電極の少なくとも一方の内部電極の積層体の積層方向での位置を調整することにより、等価直列抵抗が所望の値に設定されていることを特徴とする。
【００４７】
一方、本発明に係る積層コンデンサの等価直列抵抗調整方法は、複数の誘電体層と複数の内部電極とが交互に積層された積層体と、当該積層体に形成された複数の端子電極と、を備えた積層コンデンサの等価直列抵抗調整方法であって、交互に配置される第１の数の第１の内部電極と第２の数の第２の内部電極とを複数の内部電極として含むコンデンサ部を有しており、第１の数の第１の内部電極を、積層体の表面に形成された接続導体を介して互いに電気的に接続し、記第２の数の第２の内部電極を、積層体の表面に形成された接続導体を介して互いに電気的に接続し、第１の数の第１の内部電極のうち１つ以上第１の数よりも１つ少ない数以下の第１の内部電極を、複数の端子電極のうち少なくとも１つの端子電極にそれぞれ引き出し導体を介して電気的に接続し、第２の数の第２の内部電極のうち１つ以上第２の数よりも１つ少ない数以下の第２の内部電極を、第１の内部電極に引き出し導体を介して電気的に接続された端子電極以外の残りの端子電極のうち少なくとも１つの端子電極にそれぞれ引き出し導体を介して電気的に接続し、引き出し導体を介して端子電極に電気的に接続される第１の内部電極及び第２の内部電極の少なくとも一方の内部電極の積層体の積層方向での位置を調整することにより、等価直列抵抗を所望の値に設定することを特徴とする。
【００４８】
これら、本発明に係る積層コンデンサ及び積層コンデンサの等価直列抵抗調整方法それぞれによれば、引き出し導体を介して端子電極に電気的に接続される第１の内部電極及び第２の内部電極の少なくとも一方の内部電極の積層体の積層方向での位置を調整することにより、等価直列抵抗が所望の値に設定されるので、等価直列抵抗の制御を容易に且つ精度良く行うことができる。
【００４９】
また、第１の数の第１の内部電極同士を電気的に接続する上記接続導体の数と第２の数の第２の内部電極同士を電気的に接続する上記接続導体の数とをそれぞれ更に調整することにより、等価直列抵抗が所望の値に設定されていることが好ましい。この場合、等価直列抵抗の制御をより一層精度良く行うことができる。
【００５０】
また、複数の第１の内部電極同士は、並列接続されており、複数の第２の内部電極同士は、並列接続されていることが好ましい。この場合、各第１の内部電極や各第２の内部電極の抵抗値にバラツキが生じても、積層コンデンサ全体での等価直列抵抗への影響が少なく、等価直列抵抗の制御の精度低下を抑制することができる。
【００５１】
また、第１の数の第１の内部電極のうち少なくとも一部の第１の内部電極、及び第２の数の第２の内部電極のうち少なくとも一部の第２の内部電極にスリットが形成され、スリットは、当該スリットが形成された第１及び第２の内部電極それぞれにおいて、当該スリットを挟んで対向する領域を電流が互いに逆向きに流れるように形成されていることが好ましい。この場合、電流に起因して発生する磁界が相殺され、等価直列インダクタンスの低減を図ることが可能となる。
【発明の効果】
【００５２】
本発明によれば、等価直列抵抗の制御を容易に且つ精度良く行うことが可能な積層コンデンサ、及び、積層コンデンサの等価直列抵抗調整方法を提供することができる。
【発明を実施するための最良の形態】
【００５３】
以下、添付図面を参照して、本発明の好適な実施形態について詳細に説明する。なお、説明において、同一要素又は同一機能を有する要素には、同一符号を用いることとし、重複する説明は省略する。また、説明中、「上」及び「下」なる語を使用することがあるが、これは各図の上下方向に対応したものである。本実施形態に係る積層コンデンサは、本発明に係る積層コンデンサの等価直列抵抗調整方法を含んで記載されている。
【００５４】
（第１実施形態）
図１及び図２を参照して、第１実施形態に係る積層コンデンサＣ１の構成について説明する。図１は、第１実施形態に係る積層コンデンサの斜視図である。図２は、第１実施形態に係る積層コンデンサに含まれる積層体の分解斜視図である。
【００５５】
積層コンデンサＣ１は、図１に示されるように、積層体１と、当該積層体１に形成された第１及び第２の端子電極３，５と、第１及び第２の接続導体７、９とを備える。
【００５６】
第１の端子電極３は、積層体１の側面１ａ側に位置している。第２の端子電極５は、積層体１の側面１ｂ側に位置している。第１の端子電極３と第２の端子電極５とは、互いに電気的に絶縁されている。
【００５７】
第１の接続導体７は、積層体１の側面１ｃ側に位置するように積層体１の表面に形成されている。第２の接続導体９は、積層体１の側面１ｄ側に位置するように積層体１の表面に形成されている。第１の接続導体７と第２の接続導体９とは、互いに電気的に絶縁されている。
【００５８】
積層体１は、図２にも示されるように、複数（本実施形態では、９層）の誘電体層１１〜１８、３５と、複数（本実施形態では、各４層）の第１及び第２の内部電極４１〜４４，６１〜６４とが交互に積層されることにより構成される。実際の積層コンデンサＣ１では、誘電体層１１〜１８、３５の間の境界が視認できない程度に一体化されている。
【００５９】
各第１の内部電極４１〜４４は、略矩形形状を呈している。第１の内部電極４１〜４４は、積層体１における誘電体層１１〜１８、３５の積層方向（以下、単に「積層方向」と称する。）に平行な側面から所定の間隔を有した位置にそれぞれ形成されている。各第１の内部電極４１〜４４には、積層体１の側面１ｃに引き出されるように伸びる引き出し導体８１〜８４が形成されている。
【００６０】
引き出し導体８１は、第１の内部電極４１と一体に形成されており、積層体１の側面１ｃに臨むように、第１の内部電極４１から伸びている。引き出し導体８２は、第１の内部電極４２と一体に形成されており、積層体１の側面１ｃに臨むように、第１の内部電極４２から伸びている。引き出し導体８３は、第１の内部電極４３と一体に形成されており、積層体１の側面１ｃに臨むように、第１の内部電極４３から伸びている。引き出し導体８４は、第１の内部電極４４と一体に形成されており、積層体１の側面１ｃに臨むように、第１の内部電極４４から伸びている。
【００６１】
第１の内部電極４１〜４４はそれぞれ、引き出し導体８１〜８４を介して第１の接続導体７に電気的に接続される。これにより、第１の内部電極４１〜４４は、第１の接続導体７を介して互いに電気的に接続されることとなる。
【００６２】
第１の内部電極４１には引き出し導体５３が第１の内部電極４１と一体に形成されており、積層体１の側面１ａに臨むように、第１の内部電極４１から伸びている。第１の内部電極４１は、引き出し導体５３を介して第１の端子電極３に電気的に接続されている。第１の内部電極４１〜４４は第１の接続導体７を介して互いに電気的に接続されているため、第１の内部電極４２〜４４も第１の接続導体７を介して第１の端子電極３に電気的に接続されることとなり、第１の内部電極４１〜４４は並列接続されることとなる。
【００６３】
各第２の内部電極６１〜６４は、略矩形形状を呈している。第２の内部電極６１〜６４は、積層体１における積層方向に平行な側面から所定の間隔を有した位置にそれぞれ形成されている。各第２の内部電極６１〜６４には、積層体１の側面１ｄに引き出されるように伸びる引き出し導体１０１〜１０４が形成されている。
【００６４】
引き出し導体１０１は、第２の内部電極６１と一体に形成されており、積層体１の側面１ｄに臨むように、第２の内部電極６１から伸びている。引き出し導体１０２は、第２の内部電極６２と一体に形成されており、積層体１の側面１ｄに臨むように、第２の内部電極６２から伸びている。引き出し導体１０３は、第２の内部電極６３と一体に形成されており、積層体１の側面１ｄに臨むように、第２の内部電極６３から伸びている。引き出し導体１０４は、第２の内部電極６４と一体に形成されており、積層体１の側面１ｄに臨むように、第２の内部電極６４から伸びている。
【００６５】
第２の内部電極６１〜６４はそれぞれ、引き出し導体１０１〜１０４を介して第２の接続導体９に電気的に接続される。これにより、第２の内部電極６１〜６４は、第２の接続導体９を介して互いに電気的に接続されることとなる。
【００６６】
第２の内部電極６４には引き出し導体７３が第２の内部電極６４と一体に形成されており、積層体１の側面１ｂに臨むように、第２の内部電極６４から伸びている。第２の内部電極６４は、引き出し導体７３を介して第２の端子電極５に電気的に接続されている。第２の内部電極６１〜６４は第２の接続導体９を介して互いに電気的に接続されているため、第２の内部電極６１〜６３も第２の接続導体９を介して第２の端子電極５に電気的に接続されることとなり、第２の内部電極６１〜６４は並列接続されることとなる。
【００６７】
積層コンデンサＣ１では、引き出し導体５３を介して第１の端子電極３に直接接続される第１の内部電極４１の数を１つとし、第１の内部電極４１〜４４の総数（本実施形態では、４つ）よりも少なくされている。また、引き出し導体７３を介して第２の端子電極５に直接接続される第２の内部電極６４の数を１つとし、第２の内部電極６１〜６４の総数（本実施形態では、４つ）よりも少なくされている。また、第１の端子電極３に着目すると、第１の接続導体７の抵抗成分は、第１の端子電極３に対して直列接続されることとなる。また、第２の端子電極５に着目すると、第２の接続導体９の抵抗成分は、第２の端子電極５に対して直列接続されることとなる。これらにより、積層コンデンサＣ１は、すべての内部電極が対応する端子電極に引き出し導体を介して接続されている従来の積層コンデンサに比して、等価直列抵抗が大きくなる。また、等価直列抵抗が大きくなることによって、共振周波数での急激なインピーダンスの低下が防げ、広帯域化が可能となる。
【００６８】
以上のように、本実施形態によれば、引き出し導体５３を介して第１の端子電極３に電気的に接続される第１の内部電極４１の数と引き出し導体７３を介して第２の端子電極５に電気的に接続される第２の内部電極６４の数とをそれぞれ調整することにより、積層コンデンサＣ１の等価直列抵抗が所望の値に設定されるので、等価直列抵抗の制御を容易に且つ精度良く行うことができる。
【００６９】
また、本実施形態において、第１の内部電極４１〜４４同士は、並列接続されており、第２の内部電極６１〜６４同士は、並列接続されている。これにより、各第１の内部電極４１〜４４や各第２の内部電極６１〜６４の抵抗値にバラツキが生じても、積層コンデンサＣ１全体での等価直列抵抗への影響が少なく、等価直列抵抗の制御の精度低下を抑制することができる。
【００７０】
（第２実施形態）
図３を参照して、第２実施形態に係る積層コンデンサの構成について説明する。第２実施形態に係る積層コンデンサは、引き出し導体７３を介して第２の端子電極５に接続される第２の内部電極６１の積層方向での位置の点で第１実施形態に係る積層コンデンサＣ１と相違する。図３は、第２実施形態に係る積層コンデンサに含まれる積層体の分解斜視図である。
【００７１】
第２実施形態に係る積層コンデンサは、図示は省略するが、第１実施形態に係る積層コンデンサＣ１と同じく、積層体１と、当該積層体１に形成された第１の端子電極３と、同じく積層体１に形成された第２の端子電極５と、第１及び第２の接続導体７、９とを備えている。
【００７２】
第２実施形態に係る積層コンデンサでは、図３に示されるように、４つの第２の内部電極６１〜６４のうち上から１つ目となる第２の内部電極６１が、引き出し導体７３を介して第２の端子電極５に電気的に接続されている。これにより、第２の内部電極６２〜６４も、第２の端子電極５に電気的に接続されることとなり、第２の内部電極６１〜６４は並列接続されることとなる。引き出し導体７３は、第２の内部電極６１と一体に形成されており、積層体１の側面１ｂに臨むように、第２の内部電極６１から伸びている。
【００７３】
第２実施形態に係る積層コンデンサでは、引き出し導体５３を介して第１の端子電極３に直接接続される第１の内部電極４１の数を１つとし、第１の内部電極４１〜４４の総数（本実施形態では、４つ）よりも少なくされている。また、引き出し導体７３を介して第２の端子電極５に直接接続される第２の内部電極６１の数を１つとし、第２の内部電極６１〜６４の総数（本実施形態では、４つ）よりも少なくされている。これらにより、第２実施形態に係る積層コンデンサは、すべての内部電極が対応する端子電極に引き出し導体を介して接続されている従来の積層コンデンサに比して、等価直列抵抗が大きくなる。
【００７４】
ところで、第１の端子電極３に着目すると、第１の接続導体７の抵抗成分は、第１の端子電極３に対して直列接続されることとなる。また、第２の端子電極５に着目すると、第２の接続導体９の抵抗成分は、第２の内部電極６１を境にして、当該第２の内部電極６１よりも積層方向の一方側に位置する第２の接続導体９の抵抗成分と、第２の内部電極６１よりも積層方向の他方側に位置する第２の接続導体９の抵抗成分とに分けられる。これらの抵抗成分は、第２の端子電極５に対して並列接続されることとなる。
【００７５】
したがって、第２の接続導体９の抵抗成分の差異に起因して、第２実施形態に係る積層コンデンサは、第１実施形態に係る積層コンデンサＣ１に比して、等価直列抵抗が小さくなる。
【００７６】
以上のように、本実施形態によれば、引き出し導体７３を介して第２の端子電極５に電気的に接続される第２の内部電極６１の積層方向での位置を調整することにより、積層コンデンサの等価直列抵抗が所望の値に設定されるので、等価直列抵抗の制御を容易に且つ精度良く行うことができる。
【００７７】
（第３実施形態）
図４を参照して、第３実施形態に係る積層コンデンサＣ３の構成について説明する。第３実施形態に係る積層コンデンサは、引き出し導体５３，７３を介して端子電極３，５に接続される第１及び第２の内部電極４３，６２の積層方向で位置の点で第１実施形態に係る積層コンデンサＣ１と相違する。図４は、第３実施形態に係る積層コンデンサに含まれる積層体の分解斜視図である。
【００７８】
第３実施形態に係る積層コンデンサは、図示は省略するが、第１実施形態に係る積層コンデンサＣ１と同じく、積層体１と、当該積層体１に形成された第１の端子電極３と、同じく積層体１に形成された第２の端子電極５と、第１及び第２の接続導体７、９とを備えている。
【００７９】
第３実施形態に係る積層コンデンサでは、図４に示されるように、４つの第１の内部電極４１〜４４のうち第１の内部電極４１から下に数えて３つ目となる第１の内部電極４３が、引き出し導体５３を介して第１の端子電極３に電気的に接続されている。第１の内部電極４１〜４４は第１の接続導体７を介して互いに電気的に接続されているため、第１の内部電極４１、４２、４４も第１の接続導体７を介して第１の端子電極３に電気的に接続されることとなり、第１の内部電極４１〜４４は並列接続されることとなる。引き出し導体５３は、第１の内部電極４３と一体に形成されており、積層体１の側面１ａに臨むように、第１の内部電極４３から伸びている。
【００８０】
４つの第２の内部電極６１〜６４のうち第２の内部電極６１から下に数えて２つ目となる第２の内部電極６２が、引き出し導体７３を介して第２の端子電極５に電気的に接続されている。第２の内部電極６１〜６４は第２の接続導体９を介して互いに電気的に接続されているため、第２の内部電極６１、６３、６４も第２の接続導体９を介して第２の端子電極５に電気的に接続されることとなり、第２の内部電極６１〜６４は並列接続されることとなる。引き出し導体７３は、第２の内部電極６２と一体に形成されており、積層体１の側面１ｂに臨むように、第２の内部電極６２から伸びている。
【００８１】
第３実施形態に係る積層コンデンサでは、引き出し導体５３を介して第１の端子電極３に直接接続される第１の内部電極４３の数を１つとし、第１の内部電極４１〜４４の総数（本実施形態では、４つ）よりも少なくされている。また、引き出し導体７３を介して第２の端子電極５に直接接続される第２の内部電極６２の数を１つとし、第２の内部電極６１〜６４の総数（本実施形態では、４つ）よりも少なくされている。これらにより、第３実施形態に係る積層コンデンサは、すべての内部電極が対応する端子電極に引き出し導体を介して接続されている従来の積層コンデンサに比して、等価直列抵抗が大きくなる。
【００８２】
ところで、第１の端子電極３に着目すると、第１の接続導体７の抵抗成分は、第１の内部電極４３を境にして、当該第１の内部電極４３よりも積層方向の一方側に位置する第１の接続導体７の抵抗成分と、第１の内部電極４３よりも積層方向の他方側に位置する第１の接続導体７の抵抗成分とに分けられる。これらの抵抗成分は、第１の端子電極３に対して並列接続されることとなる。また、第２の端子電極５に着目すると、第２の接続導体９の抵抗成分は、第２の内部電極６２を境にして、当該第２の内部電極６２よりも積層方向の一方側に位置する第２の接続導体９の抵抗成分と、第２の内部電極６２よりも積層方向の他方側に位置する第２の接続導体９の抵抗成分とに分けられる。これらの抵抗成分は、第２の端子電極５に対して並列接続されることとなる。
【００８３】
したがって、第１の接続導体７の抵抗成分及び第２の接続導体９の抵抗成分の差異に起因して、第３実施形態に係る積層コンデンサは、第１実施形態に係る積層コンデンサＣ１に比して、等価直列抵抗が小さくなる。
【００８４】
以上のように、本実施形態によれば、引き出し導体５３を介して第１の端子電極３に電気的に接続される第１の内部電極４３の積層方向での位置と引き出し導体７３を介して第２の端子電極５に電気的に接続される第２の内部電極６２の積層方向での位置とをそれぞれ調整することにより、第３実施形態に係る積層コンデンサの等価直列抵抗が所望の値に設定されるので、等価直列抵抗の制御を容易に且つ精度良く行うことができる。
【００８５】
（第４実施形態）
図５を参照して、第４実施形態に係る積層コンデンサの構成について説明する。第４実施形態に係る積層コンデンサは、引き出し導体５３，７３を介して端子電極３，５に接続される第１及び第２の内部電極４４，６２の積層方向で位置の点で第１実施形態に係る積層コンデンサＣ１と相違する。図５は、第４実施形態に係る積層コンデンサに含まれる積層体の分解斜視図である。
【００８６】
第４実施形態に係る積層コンデンサは、図示は省略するが、第１実施形態に係る積層コンデンサＣ１と同じく、積層体１と、当該積層体１に形成された第１の端子電極３と、同じく積層体１に形成された第２の端子電極５と、第１及び第２の接続導体７、９とを備えている。
【００８７】
第４実施形態に係る積層コンデンサでは、図５に示されるように、４つの第１の内部電極４１〜４４のうち第１の内部電極４１から下に数えて４つ目となる第１の内部電極４４が、引き出し導体５３を介して第１の端子電極３に電気的に接続されている。第１の内部電極４１〜４４は第１の接続導体７を介して互いに電気的に接続されているため、第１の内部電極４１〜４３も第１の接続導体７を介して第１の端子電極３に電気的に接続されることとなり、第１の内部電極４１〜４４は並列接続されることとなる。引き出し導体５３は、第１の内部電極４４と一体に形成されており、積層体１の側面１ａに臨むように、第１の内部電極４４から伸びている。
【００８８】
４つの第２の内部電極６１〜６４のうち第２の内部電極６１から下に数えて２つ目となる第２の内部電極６２が、引き出し導体７３を介して第２の端子電極５に電気的に接続されている。第２の内部電極６１〜６４は第２の接続導体９を介して互いに電気的に接続されているため、第２の内部電極６１、６３、６４も第２の接続導体９を介して第２の端子電極５に電気的に接続されることとなり、第２の内部電極６１〜６４は並列接続されることとなる。引き出し導体７３は、第２の内部電極６２と一体に形成されており、積層体１の側面１ｂに臨むように、第２の内部電極６２から伸びている。
【００８９】
積層コンデンサＣ４では、引き出し導体５３を介して第１の端子電極３に直接接続される第１の内部電極４４の数を１つとし、第１の内部電極４１〜４４の総数（本実施形態では、４つ）よりも少なくされている。また、引き出し導体７３を介して第２の端子電極５に直接接続される第２の内部電極６２の数を１つとし、第２の内部電極６１〜６４の総数（本実施形態では、４つ）よりも少なくされている。これらにより、積層コンデンサＣ３は、すべての内部電極が対応する端子電極に引き出し導体を介して接続されている従来の積層コンデンサに比して、等価直列抵抗が大きくなる。
【００９０】
ところで、第１の端子電極３に着目すると、第１の接続導体７の抵抗成分は、第１の内部電極４４を境にして、当該第１の内部電極４４よりも積層方向の一方側に位置する第１の接続導体７の抵抗成分と、第１の内部電極４４よりも積層方向の他方側に位置する第１の接続導体７の抵抗成分とに分けられる。これらの抵抗成分は、第１の端子電極３に対して並列接続されることとなる。また、第２の端子電極５に着目すると、第２の接続導体９の抵抗成分は、第２の内部電極６２を境にして、当該第２の内部電極６２よりも積層方向の一方側に位置する第２の接続導体９の抵抗成分と、第２の内部電極６２よりも積層方向の他方側に位置する第２の接続導体９の抵抗成分とに分けられる。これらの抵抗成分は、第２の端子電極５に対して並列接続されることとなる。
【００９１】
したがって、第１の接続導体７の抵抗成分及び第２の接続導体９の抵抗成分の差異に起因して、第４実施形態に係る積層コンデンサは、第１実施形態に係る積層コンデンサＣ１に比して、等価直列抵抗が小さくなる。
【００９２】
以上のように、本実施形態によれば、引き出し導体５３を介して第１の端子電極３に電気的に接続される第１の内部電極４４の積層方向での位置と引き出し導体７３を介して第２の端子電極５に電気的に接続される第２の内部電極６２の積層方向での位置とをそれぞれ調整することにより、第４実施形態に係る積層コンデンサの等価直列抵抗が所望の値に設定されるので、等価直列抵抗の制御を容易に且つ精度良く行うことができる。
【００９３】
（第５実施形態）
図６を参照して、第５実施形態に係る積層コンデンサの構成について説明する。第５実施形態に係る積層コンデンサは、引き出し導体５３，７３を介して端子電極３，５に接続される第１及び第２の内部電極４１，４４，６１，６４の数の点で第１実施形態に係る積層コンデンサＣ１と相違する。図６は、第５実施形態に係る積層コンデンサに含まれる積層体の分解斜視図である。
【００９４】
第５実施形態に係る積層コンデンサは、図示は省略するが、第１実施形態に係る積層コンデンサＣ１と同じく、積層体１と、当該積層体１に形成された第１の端子電極３と、同じく積層体１に形成された第２の端子電極５と、第１及び第２の接続導体７、９とを備えている。
【００９５】
第５実施形態に係る積層コンデンサでは、図６に示されるように、４つの第１の内部電極４１〜４４のうち２つの第１の内部電極４１，４４が、引き出し導体５３を介して第１の端子電極３に電気的に接続されている。第１の内部電極４１〜４４は第１の接続導体７を介して互いに電気的に接続されているため、第１の内部電極４２、４３も第１の接続導体７を介して第１の端子電極３に電気的に接続されることとなり、第１の内部電極４１〜４４は並列接続されることとなる。引き出し導体５３は、各第１の内部電極４１，４４と一体に形成されており、積層体１の側面１ａに臨むように、第１の内部電極４１，４４からそれぞれ伸びている。
【００９６】
４つの第２の内部電極６１〜６４のうち２つの第２の内部電極６１、６４が、引き出し導体７３を介して第２の端子電極５に電気的に接続されている。第２の内部電極６１〜６４は第２の接続導体９を介して互いに電気的に接続されているため、第２の内部電極６２、６３も第２の接続導体９を介して第２の端子電極５に電気的に接続されることとなり、第２の内部電極６１〜６４は並列接続されることとなる。引き出し導体７３は、各第２の内部電極６１，６４と一体に形成されており、積層体１の側面１ｂに臨むように、第２の内部電極６１，６４からそれぞれ伸びている。
【００９７】
第５実施形態に係る積層コンデンサでは、引き出し導体５３を介して第１の端子電極３に直接接続される第１の内部電極４１，４４の数を２つとし、第１の内部電極４１〜４４の総数よりも少なくされている。また、引き出し導体７３を介して第２の端子電極５に直接接続される第２の内部電極６１，６４の数を２つとし、第２の内部電極６１〜６４の総数よりも少なくされている。したがって、第５実施形態に係る積層コンデンサは、すべての内部電極が対応する端子電極に引き出し導体を介して接続されている従来の積層コンデンサに比して、等価直列抵抗が大きくなる。
【００９８】
第５実施形態に係る積層コンデンサは、積層コンデンサＣ１に比して、引き出し導体５３を介して第１の端子電極３に直接接続される第１の内部電極４１，４４の数が多く、これらの引き出し導体５３は第１の端子電極３に対して並列接続される。また、引き出し導体７３を介して第２の端子電極５に直接接続される第２の内部電極６１，６４が多く、これらの引き出し導体７３は第２の端子電極５に対して並列接続される。したがって、第５実施形態に係る積層コンデンサの等価直列抵抗は、積層コンデンサＣ１の等価直列抵抗に比して小さくなる。
【００９９】
以上のように、本実施形態によれば、引き出し導体５３を介して第１の端子電極３に電気的に接続される第１の内部電極４１，４４の数と引き出し導体７３を介して第２の端子電極５に電気的に接続される第２の内部電極６１，６４の数とをそれぞれ調整することにより、第５実施形態に係る積層コンデンサの等価直列抵抗が所望の値に設定されるので、等価直列抵抗の制御を容易に且つ精度良く行うことができる。
【０１００】
（第６実施形態）
図７を参照して、第６実施形態に係る積層コンデンサの構成について説明する。第６実施形態に係る積層コンデンサは、引き出し導体５３，７３を介して端子電極３，５に接続される第１及び第２の内部電極４１，４３，６１，６３の数の点で第２実施形態に係る積層コンデンサと相違する。図７は、第６実施形態に係る積層コンデンサに含まれる積層体の分解斜視図である。
【０１０１】
第６実施形態に係る積層コンデンサは、図示は省略するが、第１実施形態に係る積層コンデンサＣ１と同じく、積層体１と、当該積層体１に形成された第１の端子電極３と、同じく積層体１に形成された第２の端子電極５と、第１及び第２の接続導体７、９とを備えている。
【０１０２】
第６実施形態に係る積層コンデンサでは、図７に示されるように、４つの第１の内部電極４１〜４４のうち２つの第１の内部電極４１，４３が、引き出し導体５３を介して第１の端子電極３に電気的に接続されている。第１の内部電極４１〜４４は第１の接続導体７を介して互いに電気的に接続されているため、第１の内部電極４２、４４も第１の接続導体７を介して第１の端子電極３に電気的に接続されることとなり、第１の内部電極４１〜４４は並列接続されることとなる。引き出し導体５３は、各第１の内部電極４１，４３と一体に形成されており、積層体１の側面１ａに臨むように、第１の内部電極４１，４３からそれぞれ伸びている。
【０１０３】
４つの第２の内部電極６１〜６４のうち２つの第２の内部電極６１，６３が、引き出し導体７３を介して第２の端子電極５に電気的に接続されている。第２の内部電極６１〜６４は第２の接続導体９を介して互いに電気的に接続されているため、第２の内部電極６１、６３も第２の接続導体９を介して第２の端子電極５に電気的に接続されることとなり、第２の内部電極６１〜６４は並列接続されることとなる。引き出し導体７３は、各第２の内部電極６１，６３と一体に形成されており、積層体１の側面１ｂに臨むように、第２の内部電極６１，６３からそれぞれ伸びている。
【０１０４】
第６実施形態に係る積層コンデンサでは、引き出し導体５３を介して第１の端子電極３に直接接続される第１の内部電極４１，４３の数を２つとし、第１の内部電極４１〜４４の総数よりも少なくされている。また、引き出し導体７３を介して第２の端子電極５に直接接続される第２の内部電極６１，６３の数を２つとし、第２の内部電極６１〜６４の総数よりも少なくされている。したがって、第６実施形態に係る積層コンデンサは、すべての内部電極が対応する端子電極に引き出し導体を介して接続されている従来の積層コンデンサに比して、等価直列抵抗が大きくなる。
【０１０５】
第６実施形態に係る積層コンデンサは、第２実施形態に係る積層コンデンサに比して、引き出し導体５３を介して第１の端子電極３に直接接続される第１の内部電極４１、４３の数が多く、これらの引き出し導体５３は第１の端子電極３に対して並列接続される。また、引き出し導体７３を介して第２の端子電極５に直接接続される第２の内部電極６１，６３の数が多く、これらの引き出し導体７３は第２の端子電極５に対して並列接続される。したがって、第６実施形態に係る積層コンデンサの等価直列抵抗は、第２実施形態に係る積層コンデンサの等価直列抵抗に比して小さくなる。
【０１０６】
以上のように、本実施形態によれば、引き出し導体５３を介して第１の端子電極３に電気的に接続される第１の内部電極４１，４３の数と引き出し導体７３を介して第２の端子電極５に電気的に接続される第２の内部電極６１，６３の数とをそれぞれ調整することにより、第６実施形態に係る積層コンデンサの等価直列抵抗が所望の値に設定されるので、等価直列抵抗の制御を容易に且つ精度良く行うことができる。
【０１０７】
（第７実施形態）
図８を参照して、第７実施形態に係る積層コンデンサの構成について説明する。第７実施形態に係る積層コンデンサは、引き出し導体５３，７３を介して端子電極３，５に接続される第１及び第２の内部電極４２，４３，６１，６２の数の点で第３実施形態に係る積層コンデンサと相違する。図８は、第７実施形態に係る積層コンデンサに含まれる積層体の分解斜視図である。
【０１０８】
第７実施形態に係る積層コンデンサは、図示は省略するが、第１実施形態に係る積層コンデンサＣ１と同じく、積層体１と、当該積層体１に形成された第１の端子電極３と、同じく積層体１に形成された第２の端子電極５と、第１及び第２の接続導体７、９とを備えている。
【０１０９】
第７実施形態に係る積層コンデンサでは、図８に示されるように、４つの第１の内部電極４１〜４４のうち２つの第１の内部電極４２，４３が、引き出し導体５３を介して第１の端子電極３に電気的に接続されている。第１の内部電極４１〜４４は第１の接続導体７を介して互いに電気的に接続されているため、第１の内部電極４１，４４も第１の接続導体７を介して第１の端子電極３に電気的に接続されることとなり、第１の内部電極４１〜４４は並列接続されることとなる。引き出し導体５３は、各第１の内部電極４２，４３と一体に形成されており、積層体１の側面１ａに臨むように、第１の内部電極４２，４３からそれぞれ伸びている。
【０１１０】
４つの第２の内部電極６１〜６４のうち２つの第２の内部電極６１，６２が、引き出し導体７３を介して第２の端子電極５に電気的に接続されている。第２の内部電極６１〜６４は第２の接続導体９を介して互いに電気的に接続されているため、第２の内部電極６１、６２も第２の接続導体９を介して第２の端子電極５に電気的に接続されることとなり、第２の内部電極６１〜６４は並列接続されることとなる。引き出し導体７３は、各第２の内部電極６１，６２と一体に形成されており、積層体１の側面１ｂに臨むように、第２の内部電極６１，６２からそれぞれ伸びている。
【０１１１】
第７実施形態に係る積層コンデンサでは、引き出し導体５３を介して第１の端子電極３に直接接続される第１の内部電極４２，４３の数を２つとし、第１の内部電極４１〜４４の総数よりも少なくされている。また、引き出し導体７３を介して第２の端子電極５に直接接続される第２の内部電極６１，６２の数を２つとし、第２の内部電極６１〜６４の総数よりも少なくされている。したがって、第７実施形態に係る積層コンデンサは、すべての内部電極が対応する端子電極に引き出し導体を介して接続されている従来の積層コンデンサに比して、等価直列抵抗が大きくなる。
【０１１２】
第７実施形態に係る積層コンデンサは、第３実施形態に係る積層コンデンサに比して、引き出し導体５３を介して第１の端子電極３に直接接続される第１の内部電極４２，４３の数が多く、これらの引き出し導体５３は第１の端子電極３に対して並列接続される。また、引き出し導体７３を介して第２の端子電極５に直接接続される第２の内部電極６１，６２の数が多く、これらの引き出し導体７３は第２の端子電極５に対して並列接続される。したがって、第７実施形態に係る積層コンデンサの等価直列抵抗は、第３実施形態に係る積層コンデンサの等価直列抵抗に比して小さくなる。
【０１１３】
以上のように、本実施形態によれば、引き出し導体５３を介して第１の端子電極３に電気的に接続される第１の内部電極４２，４３の数と引き出し導体７３を介して第２の端子電極５に電気的に接続される第２の内部電極６１，６２の数とをそれぞれ調整することにより、第７実施形態に係る積層コンデンサの等価直列抵抗が所望の値に設定されるので、等価直列抵抗の制御を容易に且つ精度良く行うことができる。
【０１１４】
（第８実施形態）
図９を参照して、第８実施形態に係る積層コンデンサの構成について説明する。第８実施形態に係る積層コンデンサは、引き出し導体５３，７３を介して端子電極３，５に接続される第１及び第２の内部電極４１，４４，６２，６４の数の点で第４実施形態に係る積層コンデンサと相違する。図９は、第８実施形態に係る積層コンデンサに含まれる積層体の分解斜視図である。
【０１１５】
第８実施形態に係る積層コンデンサは、図示は省略するが、第１実施形態に係る積層コンデンサＣ１と同じく、積層体１と、当該積層体１に形成された第１の端子電極３と、同じく積層体１に形成された第２の端子電極５と、第１及び第２の接続導体７、９とを備えている。
【０１１６】
第８実施形態に係る積層コンデンサでは、図９に示されるように、４つの第１の内部電極４１〜４４のうち２つの第１の内部電極４１，４４が、引き出し導体５３を介して第１の端子電極３に電気的に接続されている。第１の内部電極４１〜４４は第１の接続導体７を介して互いに電気的に接続されているため、第１の内部電極４２、４３も第１の接続導体７を介して第１の端子電極３に電気的に接続されることとなり、第１の内部電極４１〜４４は並列接続されることとなる。引き出し導体５３は、各第１の内部電極４１，４４と一体に形成されており、積層体１の側面１ａに臨むように、第１の内部電極４１，４４からそれぞれ伸びている。
【０１１７】
４つの第２の内部電極６１〜６４のうち２つの第２の内部電極６２，６４が、引き出し導体７３を介して第２の端子電極５に電気的に接続されている。第２の内部電極６１〜６４は第２の接続導体９を介して互いに電気的に接続されているため、第２の内部電極６１、６３も第２の接続導体９を介して第２の端子電極５に電気的に接続されることとなり、第２の内部電極６１〜６４は並列接続されることとなる。引き出し導体７３は、各第２の内部電極６２，６４と一体に形成されており、積層体１の側面１ｂに臨むように、第２の内部電極６２，６４からそれぞれ伸びている。
【０１１８】
第８実施形態に係る積層コンデンサでは、引き出し導体５３を介して第１の端子電極３に直接接続される第１の内部電極４１，４４の数を２つとし、第１の内部電極４１〜４４の総数よりも少なくされている。また、引き出し導体７３を介して第２の端子電極５に直接接続される第２の内部電極６２，６４の数を２つとし、第２の内部電極６１〜６４の総数よりも少なくされている。したがって、第８実施形態に係る積層コンデンサは、すべての内部電極が対応する端子電極に引き出し導体を介して接続されている従来の積層コンデンサに比して、等価直列抵抗が大きくなる。
【０１１９】
第８実施形態に係る積層コンデンサは、第４実施形態に係る積層コンデンサに比して、引き出し導体５３を介して第１の端子電極３に直接接続される第１の内部電極４１，４４の数が多く、これらの引き出し導体５３は第１の端子電極３に対して並列接続される。また、引き出し導体７３を介して第２の端子電極５に直接接続される第２の内部電極６２，６４が多く、これらの引き出し導体７３は第２の端子電極５に対して並列接続される。したがって、第８実施形態に係る積層コンデンサの等価直列抵抗は、第４実施形態に係る積層コンデンサの等価直列抵抗に比して小さくなる。
【０１２０】
以上のように、本実施形態によれば、引き出し導体５３を介して第１の端子電極３に電気的に接続される第１の内部電極４１，４４の数と引き出し導体７３を介して第２の端子電極５に電気的に接続される第２の内部電極６２，６４の数とをそれぞれ調整することにより、第８実施形態に係る積層コンデンサの等価直列抵抗が所望の値に設定されるので、等価直列抵抗の制御を容易に且つ精度良く行うことができる。
【０１２１】
（第９実施形態）
図１０を参照して、第９実施形態に係る積層コンデンサの構成について説明する。第９実施形態に係る積層コンデンサは、引き出し導体５３，７３を介して端子電極３，５に接続される第１及び第２の内部電極４２，４４，６１，６２，６４の数の点で第４実施形態に係る積層コンデンサと相違する。図１０は、第９実施形態に係る積層コンデンサに含まれる積層体の分解斜視図である。
【０１２２】
第９実施形態に係る積層コンデンサは、図示は省略するが、第１実施形態に係る積層コンデンサＣ１と同じく、積層体１と、当該積層体１に形成された第１の端子電極３と、同じく積層体１に形成された第２の端子電極５と、第１及び第２の接続導体７、９とを備えている。
【０１２３】
第９実施形態に係る積層コンデンサでは、図１０に示されるように、４つの第１の内部電極４１〜４４のうち２つの第１の内部電極４２，４４が、引き出し導体５３を介して第１の端子電極３に電気的に接続されている。第１の内部電極４１〜４４は第１の接続導体７を介して互いに電気的に接続されているため、第１の内部電極４１、４３も第１の接続導体７を介して第１の端子電極３に電気的に接続されることとなり、第１の内部電極４１〜４４は並列接続されることとなる。引き出し導体５３は、各第１の内部電極４２，４４と一体に形成されており、積層体１の側面１ａに臨むように、第１の内部電極４２，４４からそれぞれ伸びている。
【０１２４】
４つの第２の内部電極６１〜６４のうち３つの第２の内部電極６１，６２，６４が、引き出し導体７３を介して第２の端子電極５に電気的に接続されている。第２の内部電極６１〜６４は第２の接続導体９を介して互いに電気的に接続されているため、第２の内部電極６３も第２の接続導体９を介して第２の端子電極５に電気的に接続されることとなり、第２の内部電極６１〜６４は並列接続されることとなる。引き出し導体７３は、各第２の内部電極６１，６２，６４と一体に形成されており、積層体１の側面１ｂに臨むように、第２の内部電極６１，６２，６４からそれぞれ伸びている。
【０１２５】
第９実施形態に係る積層コンデンサでは、引き出し導体５３を介して第１の端子電極３に直接接続される第１の内部電極４２，４４の数を２つとし、第１の内部電極４１〜４４の総数よりも少なくされている。また、引き出し導体７３を介して第２の端子電極５に直接接続される第２の内部電極６１，６２，６４の数を３つとし、第２の内部電極６１〜６４の総数よりも少なくされている。したがって、第９実施形態に係る積層コンデンサは、すべての内部電極が対応する端子電極に引き出し導体を介して接続されている従来の積層コンデンサに比して、等価直列抵抗が大きくなる。
【０１２６】
第９実施形態に係る積層コンデンサは、第４実施形態に係る積層コンデンサに比して、引き出し導体５３を介して第１の端子電極３に直接接続される第１の内部電極４２，４４の数が多く、これらの引き出し導体５３は第１の端子電極３に対して並列接続される。また、引き出し導体７３を介して第２の端子電極５に直接接続される第２の内部電極６１，６２，６４が多く、これらの引き出し導体７３は第２の端子電極５に対して並列接続される。したがって、第９実施形態に係る積層コンデンサの等価直列抵抗は、第９実施形態に係る積層コンデンサの等価直列抵抗に比して小さくなる。
【０１２７】
以上のように、本実施形態によれば、引き出し導体５３を介して第１の端子電極３に電気的に接続される第１の内部電極４２，４４の数と引き出し導体７３を介して第２の端子電極５に電気的に接続される第２の内部電極６１，６２，６４の数とをそれぞれ調整することにより、第９実施形態に係る積層コンデンサの等価直列抵抗が所望の値に設定されるので、等価直列抵抗の制御を容易に且つ精度良く行うことができる。
【０１２８】
（第１０実施形態）
図１１を参照して、第１０実施形態に係る積層コンデンサの構成について説明する。第１０実施形態に係る積層コンデンサは、第１及び第２の内部電極４２〜４４、６１〜６３にスリットが形成されている点で第１実施形態に係る積層コンデンサＣ１と相違する。図１１は、第１０実施形態に係る積層コンデンサに含まれる積層体の分解斜視図である。
【０１２９】
第１０実施形態に係る積層コンデンサは、図示は省略するが、第１実施形態に係る積層コンデンサＣ１と同じく、積層体１と、当該積層体１に形成された第１の端子電極３と、同じく積層体１に形成された第２の端子電極５と、第１及び第２の接続導体７、９とを備えている。
【０１３０】
第１の内部電極４２〜４４において、引き出し導体８２〜８４と第１の内部電極４２〜４４との接続部分の脇から第１の内部電極４２〜４４の長手方向に伸びるようにスリットＳ１１〜Ｓ１３が形成されている。したがって、スリットＳ１１〜Ｓ１３は、各第１の内部電極４２〜４４において、スリットＳ１１〜Ｓ１３それぞれを挟んで対向する領域を電流が互いに逆向きに流れるように形成されることとなる。
【０１３１】
第２の内部電極６１〜６３において、引き出し導体１０１〜１０３と第２の内部電極６１〜６３との接続部分の脇から第２の内部電極６１〜６３の長手方向に伸びるようにスリットＳ２１〜Ｓ２３が形成されている。したがって、スリットＳ２１〜Ｓ２３は、各第２の内部電極６１〜６３において、スリットＳ２１〜Ｓ２３それぞれを挟んで対向する領域を電流が互いに逆向きに流れるように形成されることとなる。
【０１３２】
スリットＳ１１〜Ｓ１３、Ｓ２１〜Ｓ２３が形成された第１及び第２の内部電極４２〜４４、６１〜６３では、それぞれスリットＳ１１〜Ｓ１３、Ｓ２１〜Ｓ２３を挟んで対向する領域において互いに電流が逆向きに流れるため、電流に起因して発生する磁界が相殺される。また、スリットが形成された第１の内部電極４２〜４４と第２の内部電極６１〜６３とでは積層方向で見て、電流の流れる向きが逆向きとなる。そのため、第１の内部電極４２〜４４を流れる電流に起因して発生する磁界と第２の内部電極６１〜６３を流れる電流に起因して発生する磁界とは相殺される。このため、第１０実施形態に係る積層コンデンサでは、等価直列インダクタンスの低減を図ることが可能となる。
【０１３３】
また、第１０実施形態に係る積層コンデンサでは、引き出し導体５３を介して第１の端子電極３に直接接続される第１の内部電極４１の数を１つとし、第１の内部電極４１〜４４の総数（本実施形態では、４つ）よりも少なくされている。また、引き出し導体７３を介して第２の端子電極５に直接接続される第２の内部電極６４の数を１つとし、第２の内部電極６１〜６４の総数（本実施形態では、４つ）よりも少なくされている。これらにより、第１０実施形態に係る積層コンデンサは、すべての内部電極が対応する端子電極に引き出し導体を介して接続されている従来の積層コンデンサに比して、等価直列抵抗が大きくなる。
【０１３４】
以上のように、本実施形態によれば、引き出し導体５３を介して第１の端子電極３に電気的に接続される第１の内部電極４１の数と引き出し導体７３を介して第２の端子電極５に電気的に接続される第２の内部電極６４の数とをそれぞれ調整することにより、第１０実施形態に係る積層コンデンサの等価直列抵抗が所望の値に設定されるので、等価直列抵抗の制御を容易に且つ精度良く行うことができる。
【０１３５】
（第１１実施形態）
図１２を参照して、第１１実施形態に係る積層コンデンサの構成について説明する。図１２は、第１１実施形態に係る積層コンデンサに含まれる積層体の分解斜視図である。
【０１３６】
第１１実施形態に係る積層コンデンサは、図示は省略するが、第１実施形態に係る積層コンデンサＣ１と同じく、積層体１と、当該積層体１に形成された第１の端子電極３と、同じく積層体１に形成された第２の端子電極５と、第１及び第２の接続導体７、９とを備えている。
【０１３７】
積層体１は、図１２にも示されるように、第１〜第３のコンデンサ部１２１，１３１，１４１を含んでいる。第１のコンデンサ部１２１は、第２のコンデンサ部１３１と第３のコンデンサ部１４１との間に位置している。
【０１３８】
まず、第１のコンデンサ部１２１の構成について説明する。第１のコンデンサ部１２１は、第５実施形態に係る積層コンデンサにおける積層体１と、誘電体層３５の点を除いて同じ構成を有している。すなわち、第１のコンデンサ部１２１は、複数（本実施形態では、８層）の誘電体層１１〜１８と、複数（本実施形態では、各４層）の第１及び第２の内部電極４１〜４４，６１〜６４とが交互に積層されることにより構成される。第１のコンデンサ部１２１では、４つの第１の内部電極４１〜４４のうち２つの第１の内部電極４１，４４が、引き出し導体５３を介して第１の端子電極３に電気的に接続されている。また、４つの第２の内部電極６１〜６４のうち２つの第２の内部電極６１，６４が、引き出し導体７３を介して第２の端子電極５に電気的に接続されている。
【０１３９】
次に、第２のコンデンサ部１３１の構成について説明する。第２のコンデンサ部１３１は、複数（本実施形態では、５層）の誘電体層１３３と、複数（本実施形態では、各２層）の第１及び第２の内部電極１３５，１３７とが交互に積層されることにより構成される。各第１の内部電極１３５は、引き出し導体１３６を介して第１の端子電極３に電気的に接続されている。引き出し導体１３６は、各第１の内部電極１３５と一体に形成されており、積層体１の側面１ａに臨むように、第１の内部電極１３５からそれぞれ伸びている。各第２の内部電極１３７は、引き出し導体１３８を介して第２の端子電極５に電気的に接続されている。引き出し導体１３８は、各第２の内部電極１３７と一体に形成されており、積層体１の側面１ｂに臨むように、第２の内部電極１３７からそれぞれ伸びている。
【０１４０】
次に、第３のコンデンサ部１４１の構成について説明する。第３のコンデンサ部１４１は、複数（本実施形態では、４層）の誘電体層１４３と、複数（本実施形態では、各２層）の第１及び第２の内部電極１４５，１４７とが交互に積層されることにより構成される。各第１の内部電極１４５は、引き出し導体１４６を介して第１の端子電極３に電気的に接続されている。引き出し導体１４６は、各第１の内部電極１４５と一体に形成されており、積層体１の側面１ａに臨むように、第１の内部電極１４５からそれぞれ伸びている。各第２の内部電極１４７は、引き出し導体１４８を介して第２の端子電極５に電気的に接続されている。引き出し導体１４８は、各第２の内部電極１４７と一体に形成されており、積層体１の側面１ｂに臨むように、第２の内部電極１４７からそれぞれ伸びている。
【０１４１】
第１１実施形態に係る積層コンデンサでは、誘電体層１１〜１８，１３３，１４３の間の境界が視認できない程度に一体化されている。第１のコンデンサ部１２１の第１の内部電極４１は、端子電極３を通して第２のコンデンサ部１３１の第１の内部電極１３５及び第３のコンデンサ部１４１の第１の内部電極１４５と電気的に接続される。第１のコンデンサ部１２１の第１の内部電極４４は、端子電極３を通して第２のコンデンサ部１３１の第１の内部電極１３５及び第３のコンデンサ部１４１の第１の内部電極１４５と電気的に接続される。第１のコンデンサ部１２１の第２の内部電極６１は、端子電極５を通して第２のコンデンサ部１３１の第２の内部電極１３７及び第３のコンデンサ部１４１の第２の内部電極１４７と電気的に接続される。第１のコンデンサ部１２１の第２の内部電極６４は、端子電極５を通して第２のコンデンサ部１３１の第２の内部電極１３７及び第３のコンデンサ部１４１の第２の内部電極１４７と電気的に接続される。
【０１４２】
以上のように、本実施形態では、第１のコンデンサ部１２１を有することにより、第５実施形態において記載したように、第１１実施形態に係る積層コンデンサの等価直列抵抗が所望の値に設定されるので、等価直列抵抗の制御を容易に且つ精度良く行うことができる。
【０１４３】
（第１２実施形態）
図１３を参照して、第１２実施形態に係る積層コンデンサの構成について説明する。第１２実施形態に係る積層コンデンサは、第１のコンデンサ部１２１の構成の点で第１１実施形態に係る積層コンデンサと相違する。図１３は、第１２実施形態に係る積層コンデンサに含まれる積層体の分解斜視図である。
【０１４４】
第１２実施形態に係る積層コンデンサは、図示は省略するが、第１実施形態に係る積層コンデンサＣ１と同じく、積層体１と、当該積層体１に形成された第１の端子電極３と、同じく積層体１に形成された第２の端子電極５と、第１及び第２の接続導体７、９とを備えている。
【０１４５】
第１のコンデンサ部１２１は、第７実施形態に係る積層コンデンサにおける積層体１と、誘電体層３５の点を除いて同じ構成を有している。すなわち、第１のコンデンサ部１２１は、複数（本実施形態では、８層）の誘電体層１１〜１８と、複数（本実施形態では、各４層）の第１及び第２の内部電極４１〜４４，６１〜６４とが交互に積層されることにより構成される。第１のコンデンサ部１２１では、４つの第１の内部電極４１〜４４のうち２つの第１の内部電極４２，４３が、引き出し導体５３を介して第１の端子電極３に電気的に接続されている。また、４つの第２の内部電極６１〜６４のうち２つの第２の内部電極６１，６２が、引き出し導体７３を介して第２の端子電極５に電気的に接続されている。
【０１４６】
以上のように、本実施形態では、第１のコンデンサ部１２１を有することにより、第７実施形態において記載したように、第１２実施形態に係る積層コンデンサの等価直列抵抗が所望の値に設定されるので、等価直列抵抗の制御を容易に且つ精度良く行うことができる。
【０１４７】
（第１３実施形態）
図１４を参照して、第１３実施形態に係る積層コンデンサの構成について説明する。第１３実施形態に係る積層コンデンサは、第１のコンデンサ部１２１の構成の点で第１１実施形態に係る積層コンデンサと相違する。図１４は、第１３実施形態に係る積層コンデンサに含まれる積層体の分解斜視図である。
【０１４８】
第１３実施形態に係る積層コンデンサは、図示は省略するが、第１実施形態に係る積層コンデンサＣ１と同じく、積層体１と、当該積層体１に形成された第１の端子電極３と、同じく積層体１に形成された第２の端子電極５と、第１及び第２の接続導体７、９とを備えている。
【０１４９】
第１のコンデンサ部１２１は、第４実施形態に係る積層コンデンサにおける積層体１と、誘電体層３５の点を除いて同じ構成を有している。すなわち、第１のコンデンサ部１２１は、複数（本実施形態では、８層）の誘電体層１１〜１８と、複数（本実施形態では、各４層）の第１及び第２の内部電極４１〜４４，６１〜６４とが交互に積層されることにより構成される。第１のコンデンサ部１２１では、４つの第１の内部電極４１〜４４のうち１つの第１の内部電極４４が、引き出し導体５３を介して第１の端子電極３に電気的に接続されている。また、４つの第２の内部電極６１〜６４のうち１つの第２の内部電極６２が、引き出し導体７３を介して第２の端子電極５に電気的に接続されている。
【０１５０】
以上のように、本実施形態では、第１のコンデンサ部１２１を有することにより、第４実施形態において記載したように、第１３実施形態に係る積層コンデンサの等価直列抵抗が所望の値に設定されるので、等価直列抵抗の制御を容易に且つ精度良く行うことができる。
【０１５１】
第１のコンデンサ部１２１の構成として、第１〜第３、第６、第８〜第１０実施形態に係る積層コンデンサの積層体１と同じ構成（但し、誘電体層３５を除く）を採用してもよい。
【０１５２】
（第１４実施形態）
図１５〜図１６を参照して、第１４実施形態に係る積層コンデンサＣ２の構成について説明する。図１５は、第１４実施形態に係る積層コンデンサの斜視図である。図１６は、第１４実施形態に係る積層コンデンサに含まれる積層体の分解斜視図である。
【０１５３】
第１４実施形態に係る積層コンデンサＣ２は、図１５に示されるように、積層体１と、当該積層体１に形成された複数（本実施形態では、各４つ）の第１及び第２の端子電極３Ａ〜３Ｄ，５Ａ〜５Ｄと、第１及び第２の接続導体７、９とを備える。
【０１５４】
第１の端子電極３Ａは、積層体１の側面１ａ側に位置している。第１の端子電極３Ｂは、積層体１の側面１ａ側に位置している。第１の端子電極３Ｃは、積層体１の側面１ｂ側に位置している。第１の端子電極３Ｄは、積層体１の側面１ｂ側に位置している。
【０１５５】
第２の端子電極５Ａは、積層体１の側面１ａ側に位置している。第２の端子電極５Ｂは、積層体１の側面１ａ側に位置している。第２の端子電極５Ｃは、積層体１の側面１ｂ側に位置している。第２の端子電極５Ｄは、積層体１の側面１ｂ側に位置している。
【０１５６】
したがって、第１の側面１ａ上には、側面１ｃ側から側面１ｄ側に向かって、第１の端子電極３Ａ、第２の端子電極５Ａ、第１の端子電極３Ｂ、第２の端子電極５Ｂがこの順で形成されている。第１の側面１５０ｂ上には、側面１ｄ側から側面１ｃ側に向かって、第１の端子電極３Ｃ、第２の端子電極５Ｃ、第１の端子電極３Ｄ、第２の端子電極５Ｄがこの順で形成されている。第１の端子電極３Ａ〜３Ｄと第２の端子電極５Ａ〜５Ｄとは、互いに電気的に絶縁されている。
【０１５７】
第１の接続導体７は、積層体１の側面１ｃ側に位置している。第２の接続導体９は、積層体１の側面１ｄ側に位置している。第１の接続導体７と第２の接続導体９とは、互いに電気的に絶縁されている。
【０１５８】
積層体１は、図１６にも示されるように、複数（本実施形態では、２５層）の誘電体層１１〜３５と、複数（本実施形態では、各１２層）の第１及び第２の内部電極４１〜５２，６１〜７２とが交互に積層されることにより構成される。実際の積層コンデンサＣ１では、誘電体層１１〜３５の間の境界が視認できない程度に一体化されている。
【０１５９】
各第１の内部電極４１〜５２は、略矩形形状を呈している。第１の内部電極４１〜５２は、積層体１における誘電体層１１〜３５の積層方向（以下、単に「積層方向」と称する。）に平行な側面から所定の間隔を有した位置にそれぞれ形成されている。各第１の内部電極４１〜５２には、積層体１の側面１ｃに引き出されるように伸びる引き出し導体８１〜９２がそれぞれ形成されている。
【０１６０】
引き出し導体８１は、第１の内部電極４１と一体に形成されており、積層体１の側面１ｃに臨むように、第１の内部電極４１から伸びている。引き出し導体８２は、第１の内部電極４２と一体に形成されており、積層体１の側面１ｃに臨むように、第１の内部電極４２から伸びている。引き出し導体８３は、第１の内部電極４３と一体に形成されており、積層体１の側面１ｃに臨むように、第１の内部電極４３から伸びている。引き出し導体８４は、第１の内部電極４４と一体に形成されており、積層体１の側面１ｃに臨むように、第１の内部電極４４から伸びている。引き出し導体８５は、第１の内部電極４５と一体に形成されており、積層体１の側面１ｃに臨むように、第１の内部電極４５から伸びている。引き出し導体８６は、第１の内部電極４６と一体に形成されており、積層体１の側面１ｃに臨むように、第１の内部電極４６から伸びている。引き出し導体８７は、第１の内部電極４７と一体に形成されており、積層体１の側面１ｃに臨むように、第１の内部電極４７から伸びている。引き出し導体８８は、第１の内部電極４８と一体に形成されており、積層体１の側面１ｃに臨むように、第１の内部電極４８から伸びている。引き出し導体８９は、第１の内部電極４９と一体に形成されており、積層体１の側面１ｃに臨むように、第１の内部電極４９から伸びている。引き出し導体８９は、第１の内部電極４９と一体に形成されており、積層体１の側面１ｃに臨むように、第１の内部電極４９から伸びている。引き出し導体９０は、第１の内部電極５０と一体に形成されており、積層体１の側面１ｃに臨むように、第１の内部電極５０から伸びている。引き出し導体９１は、第１の内部電極５１と一体に形成されており、積層体１の側面１ｃに臨むように、第１の内部電極５１から伸びている。引き出し導体９２は、第１の内部電極５２と一体に形成されており、積層体１の側面１ｃに臨むように、第１の内部電極５２から伸びている。
【０１６１】
第１の内部電極４１〜５２はそれぞれ、引き出し導体８１〜９２を介して第１の接続導体７に電気的に接続される。これにより、第１の内部電極４１〜５２は、第１の接続導体７を介して互いに電気的に接続されることとなる。
【０１６２】
第１の内部電極４１は、引き出し導体５３Ａを介して第１の端子電極３Ａに電気的に接続されている。第１の内部電極４２は、引き出し導体５３Ｂを介して第１の端子電極３Ｂに電気的に接続されている。第１の内部電極４３は、引き出し導体５３Ｃを介して第１の端子電極３Ｃに電気的に接続されている。第１の内部電極４４は、引き出し導体５３Ｄを介して第１の端子電極３Ｄに電気的に接続されている。これにより、第１の内部電極４５〜５２も第１の端子電極３Ａ〜３Ｄに電気的に接続されることとなり、第１の内部電極４１〜５２は並列接続されることとなる。
【０１６３】
各引き出し導体５３Ａ、５３Ｂは、対応する第１の内部電極４１，４２と一体に形成されており、積層体１の側面１ａに臨むように、各第１の内部電極４１，４２から伸びている。各引き出し導体５３Ｃ，５３Ｄは、対応する第１の内部電極４３，４４と一体に形成されており、積層体１の側面１ｂに臨むように、各第１の内部電極４３，４４から伸びている。
【０１６４】
各第２の内部電極６１〜７２は、略矩形形状を呈している。第２の内部電極６１〜７２は、積層体１における積層方向に平行な側面から所定の間隔を有した位置にそれぞれ形成されている。各第２の内部電極６１〜７２には、積層体１の側面１ｄに引き出されるように伸びる引き出し導体１０１〜１１２がそれぞれ形成されている。
【０１６５】
引き出し導体１０１は、第２の内部電極６１と一体に形成されており、積層体１の側面１ｄに臨むように、第２の内部電極６１から伸びている。引き出し導体１０２は、第２の内部電極６２と一体に形成されており、積層体１の側面１ｄに臨むように、第２の内部電極６２から伸びている。引き出し導体１０３は、第２の内部電極６３と一体に形成されており、積層体１の側面１ｄに臨むように、第２の内部電極６３から伸びている。引き出し導体１０４は、第２の内部電極６４と一体に形成されており、積層体１の側面１ｄに臨むように、第２の内部電極６４から伸びている。引き出し導体１０５は、第２の内部電極６５と一体に形成されており、積層体１の側面１ｄに臨むように、第２の内部電極６５から伸びている。引き出し導体１０６は、第２の内部電極６６と一体に形成されており、積層体１の側面１ｄに臨むように、第２の内部電極６６から伸びている。引き出し導体１０７は、第２の内部電極６７と一体に形成されており、積層体１の側面１ｄに臨むように、第２の内部電極６７から伸びている。引き出し導体１０８は、第２の内部電極６８と一体に形成されており、積層体１の側面１ｄに臨むように、第２の内部電極６８から伸びている。引き出し導体１０９は、第２の内部電極６９と一体に形成されており、積層体１の側面１ｄに臨むように、第２の内部電極６９から伸びている。引き出し導体１０９は、第２の内部電極６９と一体に形成されており、積層体１の側面１ｄに臨むように、第２の内部電極６９から伸びている。引き出し導体１１０は、第２の内部電極７０と一体に形成されており、積層体１の側面１ｄに臨むように、第２の内部電極７０から伸びている。引き出し導体１１１は、第２の内部電極７１と一体に形成されており、積層体１の側面１ｄに臨むように、第２の内部電極７１から伸びている。引き出し導体１１２は、第２の内部電極７２と一体に形成されており、積層体１の側面１ｄに臨むように、第２の内部電極７２から伸びている。
【０１６６】
第２の内部電極６１〜７２はそれぞれ、引き出し導体１０１〜１１２を介して第２の接続導体９に電気的に接続される。これにより、第２の内部電極６１〜７２は、第２の接続導体９を介して互いに電気的に接続されることとなる。
【０１６７】
第２の内部電極６１は、引き出し導体７３Ａを介して第２の端子電極５Ａに電気的に接続されている。第２の内部電極６２は、引き出し導体７３Ｂを介して第２の端子電極５Ｂに電気的に接続されている。第２の内部電極６３は、引き出し導体７３Ｃを介して第２の端子電極５Ｃに電気的に接続されている。第２の内部電極６４は、引き出し導体７３Ｄを介して第２の端子電極５Ｄに電気的に接続されている。これにより、第２の内部電極６５〜７２も第２の端子電極５Ａ〜５Ｄに電気的に接続されることとなり、第２の内部電極６１〜７２は並列接続されることとなる。
【０１６８】
各引き出し導体７３Ａ、７３Ｂは、対応する第２の内部電極６１，６２と一体に形成されており、積層体１の側面１ａに臨むように、各第２の内部電極６１，６２から伸びている。各引き出し導体７３Ｃ，７３Ｄは、対応する第２の内部電極６３，６４と一体に形成されており、積層体１の側面１ｂに臨むように、各第２の内部電極６３，６４から伸びている。
【０１６９】
積層コンデンサＣ２では、引き出し導体５３Ａ〜５３Ｄを介して第１の端子電極３Ａ〜３Ｄに直接接続される第１の内部電極４１〜４４の数を４つとし、第１の内部電極４１〜５２の総数（本実施形態では、１２つ）よりも少なくされている。また、引き出し導体７３Ａ〜７３Ｄを介して第２の端子電極５Ａ〜５Ｄに直接接続される第２の内部電極６１〜６４の数を４つとし、第２の内部電極６１〜７２の総数（本実施形態では、１２つ）よりも少なくされている。
【０１７０】
第１の端子電極３Ａに着目すると、第１の接続導体７の抵抗成分は、第１の端子電極３Ａに対して直列接続されることとなる。
【０１７１】
第１の端子電極３Ｂに着目すると、第１の接続導体７の抵抗成分は、第１の内部電極４２を境にして、当該第１の内部電極４２よりも積層方向の一方側に位置する第１の接続導体７の抵抗成分と、第１の内部電極４２よりも積層方向の他方側に位置する第１の接続導体７の抵抗成分とに分けられる。これらの抵抗成分は、第１の端子電極３Ｂに対して並列接続されることとなる。
【０１７２】
第１の端子電極３Ｃに着目すると、第１の接続導体７の抵抗成分は、第１の内部電極４３を境にして、当該第１の内部電極４３よりも積層方向の一方側に位置する第１の接続導体７の抵抗成分と、第１の内部電極４３よりも積層方向の他方側に位置する第１の接続導体７の抵抗成分とに分けられる。これらの抵抗成分は、第１の端子電極３Ｃに対して並列接続されることとなる。
【０１７３】
第１の端子電極３Ｄに着目すると、第１の接続導体７の抵抗成分は、第１の内部電極４４を境にして、当該第１の内部電極４４よりも積層方向の一方側に位置する第１の接続導体７の抵抗成分と、第１の内部電極４４よりも積層方向の他方側に位置する第１の接続導体７の抵抗成分とに分けられる。これらの抵抗成分は、第１の端子電極３Ｄに対して並列接続されることとなる。
【０１７４】
一方、第２の端子電極５Ａに着目すると、第２の接続導体９の抵抗成分は、第２の内部電極６１を境にして、当該第２の内部電極６１よりも積層方向の一方側に位置する第２の接続導体９の抵抗成分と、第２の内部電極６１よりも積層方向の他方側に位置する第２の接続導体９の抵抗成分とに分けられる。これらの抵抗成分は、第２の端子電極５Ａに対して並列接続されることとなる。
【０１７５】
第２の端子電極５Ｂに着目すると、第２の接続導体９の抵抗成分は、第２の内部電極６２を境にして、当該第２の内部電極６２よりも積層方向の一方側に位置する第２の接続導体９の抵抗成分と、第２の内部電極６２よりも積層方向の他方側に位置する第２の接続導体９の抵抗成分とに分けられる。これらの抵抗成分は、第２の端子電極５Ｂに対して並列接続されることとなる。
【０１７６】
第２の端子電極５Ｃに着目すると、第２の接続導体９の抵抗成分は、第２の内部電極７３を境にして、当該第２の内部電極７３よりも積層方向の一方側に位置する第２の接続導体９の抵抗成分と、第２の内部電極７３よりも積層方向の他方側に位置する第２の接続導体９の抵抗成分とに分けられる。これらの抵抗成分は、第２の端子電極５Ｃに対して並列接続されることとなる。
【０１７７】
第２の端子電極５Ｄに着目すると、第２の接続導体９の抵抗成分は、第２の内部電極６４を境にして、当該第２の内部電極６４よりも積層方向の一方側に位置する第２の接続導体９の抵抗成分と、第２の内部電極６４よりも積層方向の他方側に位置する第２の接続導体９の抵抗成分とに分けられる。これらの抵抗成分は、第２の端子電極５Ｄに対して並列接続されることとなる。
【０１７８】
これらにより、積層コンデンサＣ２は、すべての内部電極が対応する端子電極に引き出し導体を介して接続されている従来の積層コンデンサに比して、等価直列抵抗が大きくなる。
【０１７９】
以上のように、本実施形態によれば、引き出し導体５３Ａ〜５３Ｄを介して第１の端子電極３Ａ〜３Ｄに電気的に接続される第１の内部電極４１〜４４の数と引き出し導体７３Ａ〜７３Ｄを介して第２の端子電極５Ａ〜５Ｄに電気的に接続される第２の内部電極６１〜６４の数とをそれぞれ調整することにより、積層コンデンサＣ２の等価直列抵抗が所望の値に設定されるので、等価直列抵抗の制御を容易に且つ精度良く行うことができる。
【０１８０】
また、本実施形態において、第１の内部電極４１〜５２同士は、並列接続されており、第２の内部電極６１〜７２同士は、並列接続されている。これにより、各第１の内部電極４１〜５２や各第２の内部電極６１〜７２の抵抗値にバラツキが生じても、積層コンデンサＣ２全体での等価直列抵抗への影響が少なく、等価直列抵抗の制御の精度低下を抑制することができる。
【０１８１】
（第１５実施形態）
図１７を参照して、第１５実施形態に係る積層コンデンサの構成について説明する。第１５実施形態に係る積層コンデンサは、引き出し導体５３Ａ〜５３Ｄを介して第１の端子電極３Ａ〜３Ｄに電気的に接続される第１の内部電極の積層方向で位置と、引き出し導体７３Ａ〜７３Ｄを介して第２の端子電極５Ａ〜５Ｄに電気的に接続される第２の内部電極の積層方向で位置との点で第１４実施形態に係る積層コンデンサＣ２と相違する。図１７は、第１５実施形態に係る積層コンデンサに含まれる積層体の分解斜視図である。
【０１８２】
第１５実施形態に係る積層コンデンサは、図示は省略するが、第１４実施形態に係る積層コンデンサＣ２と同じく、積層体１と、当該積層体１に形成された第１の端子電極３Ａ〜３Ｄと、同じく積層体１に形成された第２の端子電極５Ａ〜５Ｄと、第１及び第２の接続導体７、９とを備えている。
【０１８３】
第１５実施形態に係る積層コンデンサでは、図１７に示されるように、第１の内部電極５１が、引き出し導体５３Ｃを介して第１の端子電極３Ｃに電気的に接続されている。第１の内部電極５２が、引き出し導体５３Ｄを介して第１の端子電極３Ｄに電気的に接続されている。これにより、第１の内部電極４３〜５０も、第１の端子電極３Ａ〜３Ｄに電気的に接続されることとなり、第１の内部電極４１〜５２は並列接続されることとなる。各引き出し導体５３Ｃ，５３Ｄは、対応する第１の内部電極５１，５２と一体に形成されており、積層体１の側面１ｂに臨むように、各第１の内部電極５１，５２から伸びている。
【０１８４】
第２の内部電極７１は、引き出し導体７３Ｃを介して第２の端子電極５Ｃに電気的に接続されている。第２の内部電極７２は、引き出し導体７３Ｄを介して第２の端子電極５Ｄに電気的に接続されている。これにより、第２の内部電極６３〜７０も、第２の端子電極５Ａ〜５Ｄに電気的に接続されることとなり、第２の内部電極６１〜７２は並列接続されることとなる。各引き出し導体７３Ｃ，７３Ｄは、対応する第２の内部電極７１，７２と一体に形成されており、積層体１の側面１ｂに臨むように、各第２の内部電極７１，７２から伸びている。
【０１８５】
第１５実施形態に係る積層コンデンサでは、引き出し導体５３Ａ〜５３Ｄを介して第１の端子電極３Ａ〜３Ｄに直接接続される第１の内部電極４１、４２、５１、５２の数を４つとし、第１の内部電極４１〜５２の総数（本実施形態では、１２つ）よりも少なくされている。また、引き出し導体７３Ａ〜７３Ｄを介して第２の端子電極５Ａ〜５Ｄに直接接続される第２の内部電極６１、６２、７１、７２の数を４つとし、第２の内部電極６１〜７２の総数（本実施形態では、１２つ）よりも少なくされている。これらにより、第１５実施形態に係る積層コンデンサは、すべての内部電極が対応する端子電極に引き出し導体を介して接続されている従来の積層コンデンサに比して、等価直列抵抗が大きくなる。
【０１８６】
ところで、第１の端子電極３Ａに着目すると、第１の接続導体７の抵抗成分は、第１の端子電極３Ａに対して直列接続されることとなる。
【０１８７】
第１の端子電極３Ｂに着目すると、第１の接続導体７の抵抗成分は、第１の内部電極４２を境にして、当該第１の内部電極４２よりも積層方向の一方側に位置する第１の接続導体７の抵抗成分と、第１の内部電極４２よりも積層方向の他方側に位置する第１の接続導体７の抵抗成分とに分けられる。これらの抵抗成分は、第１の端子電極３Ｂに対して並列接続されることとなる。
【０１８８】
第１の端子電極３Ｃに着目すると、第１の接続導体７の抵抗成分は、第１の内部電極５１を境にして、当該第１の内部電極５１よりも積層方向の一方側に位置する第１の接続導体７の抵抗成分と、第１の内部電極５１よりも積層方向の他方側に位置する第１の接続導体７の抵抗成分とに分けられる。これらの抵抗成分は、第１の端子電極３Ｃに対して並列接続されることとなる。
【０１８９】
第１の端子電極３Ｄに着目すると、第１の接続導体７の抵抗成分は、第１の内部電極５２を境にして、当該第１の内部電極５２よりも積層方向の一方側に位置する第１の接続導体７の抵抗成分と、第１の内部電極５２よりも積層方向の他方側に位置する第１の接続導体７の抵抗成分とに分けられる。これらの抵抗成分は、第１の端子電極３Ｄに対して並列接続されることとなる。
【０１９０】
一方、第２の端子電極５Ａに着目すると、第２の接続導体９の抵抗成分は、第２の内部電極６１を境にして、当該第２の内部電極６１よりも積層方向の一方側に位置する第２の接続導体９の抵抗成分と、第２の内部電極６１よりも積層方向の他方側に位置する第２の接続導体９の抵抗成分とに分けられる。これらの抵抗成分は、第２の端子電極５Ａに対して並列接続されることとなる。
【０１９１】
第２の端子電極５Ｂに着目すると、第２の接続導体９の抵抗成分は、第２の内部電極６２を境にして、当該第２の内部電極６２よりも積層方向の一方側に位置する第２の接続導体９の抵抗成分と、第２の内部電極６２よりも積層方向の他方側に位置する第２の接続導体９の抵抗成分とに分けられる。これらの抵抗成分は、第２の端子電極５Ｂに対して並列接続されることとなる。
【０１９２】
第２の端子電極５Ｃに着目すると、第２の接続導体９の抵抗成分は、第２の内部電極７１を境にして、当該第２の内部電極７１よりも積層方向の一方側に位置する第２の接続導体９の抵抗成分と、第２の内部電極７１よりも積層方向の他方側に位置する第２の接続導体９の抵抗成分とに分けられる。これらの抵抗成分は、第２の端子電極５Ｃに対して並列接続されることとなる。
【０１９３】
第２の端子電極５Ｄに着目すると、第２の接続導体９の合成抵抗成分は、第２の端子電極５Ｄに対して直列接続されることとなる。
【０１９４】
上述した第１及び第２の接続導体７、９の抵抗成分の差異に起因して、第１５実施形態に係る積層コンデンサは、第１４実施形態に係る積層コンデンサＣ２に比して、等価直列抵抗が大きくなる。
【０１９５】
以上のように、本実施形態によれば、引き出し導体５３Ａ〜５３Ｄを介して第１の端子電極３Ａ〜３Ｄに電気的に接続される第１の内部電極４１，４２，５１，５２の積層方向での位置と引き出し導体７３Ａ〜７３Ｄを介して第２の端子電極５Ａ〜５Ｄに電気的に接続される第２の内部電極６１，６２，７１，７２の積層方向での位置とをそれぞれ調整することにより、積層コンデンサの等価直列抵抗が所望の値に設定されるので、等価直列抵抗の制御を容易に且つ精度良く行うことができる。
【０１９６】
（第１６実施形態）
図１８を参照して、第１６実施形態に係る積層コンデンサの構成について説明する。第１６実施形態に係る積層コンデンサは、引き出し導体５３Ａ〜５３Ｄを介して第１の端子電極３Ａ〜３Ｄに電気的に接続される第１の内部電極の積層方向で位置と、引き出し導体７３Ａ〜７３Ｄを介して第２の端子電極５Ａ〜５Ｄに電気的に接続される第２の内部電極の積層方向で位置との点で第１４実施形態に係る積層コンデンサＣ２と相違する。図１８は、第１６実施形態に係る積層コンデンサに含まれる積層体の分解斜視図である。
【０１９７】
第１６実施形態に係る積層コンデンサは、図示は省略するが、第１４実施形態に係る積層コンデンサＣ２と同じく、積層体１と、当該積層体１に形成された第１の端子電極３Ａ〜３Ｄと、同じく積層体１に形成された第２の端子電極５Ａ〜５Ｄと、第１及び第２の接続導体７、９とを備えている。
【０１９８】
第１６実施形態に係る積層コンデンサでは、図１８に示されるように、第１の内部電極４４が、引き出し導体５３Ｂを介して第１の端子電極３Ｂに電気的に接続されている。第１の内部電極４７が、引き出し導体５３Ｃを介して第１の端子電極３Ｃに電気的に接続されている。第１の内部電極５０が、引き出し導体５３Ｄを介して第１の端子電極３Ｄに電気的に接続されている。これにより、第１の内部電極４２、４３、４５、４６、４８、４９、５１、５２も、第１の端子電極３Ａ〜３Ｄに電気的に接続されることとなり、第１の内部電極４１〜５２は並列接続されることとなる。引き出し導体５３Ｂは、第１の内部電極４７と一体に形成されており、積層体１の側面１ａに臨むように、第１の内部電極４４から伸びている。各引き出し導体５３Ｃ，５３Ｄは、対応する第１の内部電極４７，５０と一体に形成されており、積層体１の側面１ｂに臨むように、各第１の内部電極４７，５０から伸びている。
【０１９９】
第２の内部電極６４は、引き出し導体７３Ｂを介して第２の端子電極５Ｂに電気的に接続されている。第２の内部電極６７は、引き出し導体７３Ｃを介して第２の端子電極５Ｃに電気的に接続されている。第２の内部電極７０は、引き出し導体７３Ｄを介して第２の端子電極５ｄに電気的に接続されている。これにより、第２の内部電極６２，６３，６５，６６，６８，６９，７１，７２も、第２の端子電極５Ａ〜５Ｄに電気的に接続されることとなり、第２の内部電極６１〜７２は並列接続されることとなる。引き出し導体７３Ｂは、第２の内部電極６４と一体に形成されており、積層体１の側面１ａに臨むように、第２の内部電極６４から伸びている。各引き出し導体７３Ｃ，７３Ｄは、対応する第２の内部電極６７，７０と一体に形成されており、積層体１の側面１ｂに臨むように、各第２の内部電極６７，７０から伸びている。
【０２００】
第１６実施形態に係る積層コンデンサでは、引き出し導体５３Ａ〜５３Ｄを介して第１の端子電極３Ａ〜３Ｄに直接接続される第１の内部電極４１，４４，４７，５０の数を４つとし、第１の内部電極４１〜５２の総数（本実施形態では、１２つ）よりも少なくされている。また、引き出し導体７３Ａ〜７３Ｄを介して第２の端子電極５Ａ〜５Ｄに直接接続される第２の内部電極６１，６４，６７，７０の数を４つとし、第２の内部電極６１〜７２の総数（本実施形態では、１２つ）よりも少なくされている。これらにより、第１６実施形態に係る積層コンデンサは、すべての内部電極が対応する端子電極に引き出し導体を介して接続されている従来の積層コンデンサに比して、等価直列抵抗が大きくなる。
【０２０１】
ところで、第１の端子電極３Ａに着目すると、第１の接続導体７の抵抗成分は、第１の端子電極３Ａに対して直列接続されることとなる。
【０２０２】
第１の端子電極３Ｂに着目すると、第１の接続導体７の抵抗成分は、第１の内部電極４４を境にして、当該第１の内部電極４４よりも積層方向の一方側に位置する第１の接続導体７の抵抗成分と、第１の内部電極４４よりも積層方向の他方側に位置する第１の接続導体７の抵抗成分とに分けられる。これらの抵抗成分は、第１の端子電極３Ｂに対して並列接続されることとなる。
【０２０３】
第１の端子電極３Ｃに着目すると、第１の接続導体７の抵抗成分は、第１の内部電極４７を境にして、当該第１の内部電極４７よりも積層方向の一方側に位置する第１の接続導体７の抵抗成分と、第１の内部電極４７よりも積層方向の他方側に位置する第１の接続導体７の抵抗成分とに分けられる。これらの抵抗成分は、第１の端子電極３Ｃに対して並列接続されることとなる。
【０２０４】
第１の端子電極３Ｄに着目すると、第１の接続導体７の抵抗成分は、第１の内部電極５０を境にして、当該第１の内部電極５０よりも積層方向の一方側に位置する第１の接続導体７の抵抗成分と、第１の内部電極５０よりも積層方向の他方側に位置する第１の接続導体７の抵抗成分とに分けられる。これらの抵抗成分は、第１の端子電極３Ｄに対して並列接続されることとなる。
【０２０５】
一方、第２の端子電極５Ａに着目すると、第２の接続導体９の抵抗成分は、第２の内部電極６１を境にして、当該第２の内部電極６１よりも積層方向の一方側に位置する第２の接続導体９の抵抗成分と、第２の内部電極６１よりも積層方向の他方側に位置する第２の接続導体９の抵抗成分とに分けられる。これらの抵抗成分は、第２の端子電極５Ａに対して並列接続されることとなる。
【０２０６】
第２の端子電極５Ｂに着目すると、第２の接続導体９の抵抗成分は、第２の内部電極６４を境にして、当該第２の内部電極６４よりも積層方向の一方側に位置する第２の接続導体９の抵抗成分と、第２の内部電極６４よりも積層方向の他方側に位置する第２の接続導体９の抵抗成分とに分けられる。これらの抵抗成分は、第２の端子電極５Ｂに対して並列接続されることとなる。
【０２０７】
第２の端子電極５Ｃに着目すると、第２の接続導体９の抵抗成分は、第２の内部電極６７を境にして、当該第２の内部電極６７よりも積層方向の一方側に位置する第２の接続導体９の抵抗成分と、第２の内部電極６７よりも積層方向の他方側に位置する第２の接続導体９の抵抗成分とに分けられる。これらの抵抗成分は、第２の端子電極５Ｃに対して並列接続されることとなる。
【０２０８】
第２の端子電極５Ｃに着目すると、第２の接続導体９の抵抗成分は、第２の内部電極７０を境にして、当該第２の内部電極７０よりも積層方向の一方側に位置する第２の接続導体９の抵抗成分と、第２の内部電極７０よりも積層方向の他方側に位置する第２の接続導体９の抵抗成分とに分けられる。これらの抵抗成分は、第２の端子電極５Ｃに対して並列接続されることとなる。
【０２０９】
上述した第１及び第２の接続導体７、９の抵抗成分の差異に起因して、第１６実施形態に係る積層コンデンサは、第１４実施形態に係る積層コンデンサＣ２に比して、等価直列抵抗が小さくなる。
【０２１０】
以上のように、本実施形態によれば、引き出し導体５３Ａ〜５３Ｄを介して第１の端子電極３Ａ〜３Ｄに電気的に接続される第１の内部電極４１、４４、４７、５０の積層方向での位置と引き出し導体７３Ａ〜７３Ｄを介して第２の端子電極５Ａ〜５Ｄに電気的に接続される第２の内部電極６１、６４、６７、７０の積層方向での位置とをそれぞれ調整することにより、積層コンデンサの等価直列抵抗が所望の値に設定されるので、等価直列抵抗の制御を容易に且つ精度良く行うことができる。
【０２１１】
（第１７実施形態）
図１９を参照して、第１７実施形態に係る積層コンデンサの構成について説明する。第１７実施形態に係る積層コンデンサは、引き出し導体５３Ａ〜５３Ｄを介して第２の端子電極５Ａ〜５Ｄに電気的に接続される第２の内部電極の積層方向で位置の点で第１６実施形態に係る積層コンデンサと相違する。図１９は、第１７実施形態に係る積層コンデンサに含まれる積層体の分解斜視図である。
【０２１２】
第１７実施形態に係る積層コンデンサは、図示は省略するが、第１４実施形態に係る積層コンデンサＣ２と同じく、積層体１と、当該積層体１に形成された第１の端子電極３Ａ〜３Ｄと、同じく積層体１に形成された第２の端子電極５Ａ〜５Ｄと、第１及び第２の接続導体７、９とを備えている。
【０２１３】
第１７実施形態に係る積層コンデンサでは、図１９に示されるように、第２の内部電極６２は、引き出し導体７３Ａを介して第２の端子電極５Ａに電気的に接続されている。第２の内部電極６５は、引き出し導体７３Ｂを介して第２の端子電極５Ｂに電気的に接続されている。第２の内部電極６８は、引き出し導体７３Ｃを介して第２の端子電極５Ｃに電気的に接続されている。第２の内部電極７１は、引き出し導体７３Ｄを介して第２の端子電極５Ｄに電気的に接続されている。これにより、第２の内部電極６１，６３，６４，６６，６７，６９，７０，７２も、第２の端子電極５Ａ〜５Ｄに電気的に接続されることとなり、第２の内部電極６１〜７２は並列接続されることとなる。各引き出し導体７３Ａ，７３Ｂは、対応する第２の内部電極６２，６４と一体に形成されており、積層体１の側面１ａに臨むように、各第２の内部電極６２，６４から伸びている。各引き出し導体７３Ｃ，７３Ｄは、対応する第２の内部電極６７，７０と一体に形成されており、積層体１の側面１ｂに臨むように、各第２の内部電極６７，７０から伸びている。
【０２１４】
第１７実施形態に係る積層コンデンサでは、引き出し導体５３Ａ〜５３Ｄを介して第１の端子電極３Ａ〜３Ｄに直接接続される第１の内部電極４１，４４，４７，５０の数を４つとし、第１の内部電極４１〜５２の総数（本実施形態では、１２）よりも少なくされている。また、引き出し導体７３Ａ〜７３Ｄを介して第２の端子電極５Ａ〜５Ｄに直接接続される第２の内部電極６２，６５，６８，７１の数を４つとし、第２の内部電極６１〜７２の総数（本実施形態では、１２）よりも少なくされている。これらにより、第１７実施形態に係る積層コンデンサは、すべての内部電極が対応する端子電極に引き出し導体を介して接続されている従来の積層コンデンサに比して、等価直列抵抗が大きくなる。
【０２１５】
ところで、第２の端子電極５Ａに着目すると、第２の接続導体９の抵抗成分は、第２の内部電極６２を境にして、当該第２の内部電極６２よりも積層方向の一方側に位置する第２の接続導体９の抵抗成分と、第２の内部電極６２よりも積層方向の他方側に位置する第２の接続導体９の抵抗成分とに分けられる。これらの抵抗成分は、第２の端子電極５Ａに対して並列接続されることとなる。
【０２１６】
第２の端子電極５Ｂに着目すると、第２の接続導体９の抵抗成分は、第２の内部電極６５を境にして、当該第２の内部電極６５よりも積層方向の一方側に位置する第２の接続導体９の抵抗成分と、第２の内部電極６５よりも積層方向の他方側に位置する第２の接続導体９の抵抗成分とに分けられる。これらの抵抗成分は、第２の端子電極５Ｂに対して並列接続されることとなる。
【０２１７】
第２の端子電極５Ｃに着目すると、第２の接続導体９の抵抗成分は、第２の内部電極６８を境にして、当該第２の内部電極６８よりも積層方向の一方側に位置する第２の接続導体９の抵抗成分と、第２の内部電極６８よりも積層方向の他方側に位置する第２の接続導体９の抵抗成分とに分けられる。これらの抵抗成分は、第２の端子電極５Ｃに対して並列接続されることとなる。
【０２１８】
第２の端子電極５Ｄに着目すると、第２の接続導体９の抵抗成分は、第２の内部電極７１を境にして、当該第２の内部電極７１よりも積層方向の一方側に位置する第２の接続導体９の抵抗成分と、第２の内部電極７１よりも積層方向の他方側に位置する第２の接続導体９の抵抗成分とに分けられる。これらの抵抗成分は、第２の端子電極５Ｄに対して並列接続されることとなる。
【０２１９】
上述した第１及び第２の接続導体７、９の抵抗成分の差異に起因して、第１７実施形態に係る積層コンデンサは、第１４実施形態に係る積層コンデンサＣ２に比して、等価直列抵抗が小さくなる。
【０２２０】
以上のように、本実施形態によれば、引き出し導体５３Ａ〜５３Ｄを介して第１の端子電極３Ａ〜３Ｄに電気的に接続される第１の内部電極４１，４４，４７，５０の数と引き出し導体７３Ａ〜７３Ｄを介して第２の端子電極５Ａ〜５Ｄに電気的に接続される第２の内部電極６２，６５，６８，７１の数とをそれぞれ調整することにより、積層コンデンサの等価直列抵抗が所望の値に設定されるので、等価直列抵抗の制御を容易に且つ精度良く行うことができる。
【０２２１】
（第１８実施形態）
図２０を参照して、第１８実施形態に係る積層コンデンサの構成について説明する。第１８実施形態に係る積層コンデンサは、引き出し導体５３Ａ〜５３Ｄを介して第１の端子電極３Ａ〜３Ｄに電気的に接続される第１の内部電極の数と、引き出し導体７３Ａ〜７３Ｄを介して第２の端子電極５Ａ〜５Ｄに電気的に接続される第２の内部電極の数との点で第１４実施形態に係る積層コンデンサＣ２と相違する。図２０は、第１８実施形態に係る積層コンデンサに含まれる積層体の分解斜視図である。
【０２２２】
第１８実施形態に係る積層コンデンサは、図示は省略するが、第１４実施形態に係る積層コンデンサＣ２と同じく、積層体１と、当該積層体１に形成された第１の端子電極３Ａ〜３Ｄと、同じく積層体１に形成された第２の端子電極５Ａ〜５Ｄと、第１及び第２の接続導体７、９とを備えている。
【０２２３】
第１８実施形態に係る積層コンデンサでは、図２０に示されるように、第１の内部電極４９が、引き出し導体５３Ａを介して第１の端子電極３Ａに電気的に接続されている。第１の内部電極５０が、引き出し導体５３Ｂを介して第１の端子電極３Ｂに電気的に接続されている。第１の内部電極５１が、引き出し導体５３Ｃを介して第１の端子電極３Ｃに電気的に接続されている。第１の内部電極５２が、引き出し導体５３Ｄを介して第１の端子電極３Ｄに電気的に接続されている。これにより、第１の内部電極４５〜４８も、第１の端子電極３Ａ〜３Ｄに電気的に接続されることとなり、第１の内部電極４１〜５２は並列接続されることとなる。各引き出し導体５３Ａ，５３Ｂは、対応する第１の内部電極４９，５０と一体に形成されており、積層体１の側面１ａに臨むように、各第１の内部電極４９，５０から伸びている。各引き出し導体５３Ｃ，５３Ｄは、対応する第１の内部電極５１，５２と一体に形成されており、積層体１の側面１ｂに臨むように、各第１の内部電極５１，５２から伸びている。
【０２２４】
第２の内部電極６９は、引き出し導体７３Ａを介して第２の端子電極５Ａに電気的に接続されている。第２の内部電極７０は、引き出し導体７３Ｂを介して第２の端子電極５Ｂに電気的に接続されている。第２の内部電極７１は、引き出し導体７３Ｃを介して第２の端子電極５Ｃに電気的に接続されている。第２の内部電極７２は、引き出し導体７３Ｄを介して第２の端子電極５Ｄに電気的に接続されている。これにより、第２の内部電極６５〜６８も、第２の端子電極５Ａ〜５Ｄに電気的に接続されることとなり、第２の内部電極６１〜７２は並列接続されることとなる。各引き出し導体７３Ａ，７３Ｂは、対応する第２の内部電極６９，７０と一体に形成されており、積層体１の側面１ａに臨むように、各第２の内部電極６９，７０から伸びている。各引き出し導体７３Ｃ、７３Ｄは、対応する第２の内部電極７１，７２と一体に形成されており、積層体１の側面１ｂに臨むように、各第２の内部電極７１，７２から伸びている。
【０２２５】
第１８実施形態に係る積層コンデンサでは、引き出し導体５３Ａ〜５３Ｄを介して第１の端子電極３Ａ〜３Ｄに直接接続される第１の内部電極４１〜４４，４９〜５２の数を８つとし、第１の内部電極４１〜５２の総数よりも少なくされている。また、引き出し導体７３Ａ〜７３Ｄを介して第２の端子電極５Ａ〜５Ｄに直接接続される第２の内部電極６１〜６４，６９〜７２の数を８つとし、第２の内部電極６１〜７２の総数よりも少なくされている。したがって、第１８実施形態に係る積層コンデンサは、すべての内部電極が対応する端子電極に引き出し導体を介して接続されている従来の積層コンデンサに比して、等価直列抵抗が大きくなる。
【０２２６】
第１８実施形態に係る積層コンデンサは、積層コンデンサＣ２に比して、引き出し導体５３Ａ〜５３Ｄを介して第１の端子電極３Ａ〜３Ｄに直接接続される第１の内部電極４１〜４４、４９〜５２の数が多く、これらの引き出し導体５３Ａ〜５３Ｄは対応する第１の端子電極３Ａ〜３Ｄに対して並列接続される。また、引き出し導体７３Ａ〜７３Ｄを介して第２の端子電極５Ａ〜５Ｄに直接接続される第２の内部電極６１〜６４、６９〜７２の数が多く、これらの引き出し導体７３Ａ〜７３Ｄは対応する第２の端子電極５Ａ〜５Ｄに対して並列接続される。したがって、第１８実施形態に係る積層コンデンサの等価直列抵抗は、積層コンデンサＣ２の等価直列抵抗に比して小さくなる。
【０２２７】
以上のように、本実施形態によれば、引き出し導体５３Ａ〜５３Ｄを介して第１の端子電極３Ａ〜３Ｄに電気的に接続される第１の内部電極４１〜４４、４７〜５０の数と引き出し導体７３Ａ〜７３Ｄを介して第２の端子電極５Ａ〜５Ｂに電気的に接続される第２の内部電極６１〜６４、６７〜７０の数とをそれぞれ調整することにより、積層コンデンサの等価直列抵抗が所望の値に設定されるので、等価直列抵抗の制御を容易に且つ精度良く行うことができる。
【０２２８】
（第１９実施形態）
図２１を参照して、第１９実施形態に係る積層コンデンサの構成について説明する。第１９実施形態に係る積層コンデンサは、引き出し導体５３Ａ〜５３Ｄを介して第１の端子電極３Ａ〜３Ｄに電気的に接続される第１の内部電極の数と、引き出し導体７３Ａ〜７３Ｄを介して第２の端子電極５Ａ〜５Ｄに電気的に接続される第２の内部電極の数との点で第１４実施形態に係る積層コンデンサＣ２と相違する。また、第１９実施形態に係る積層コンデンサは、引き出し導体５３Ａ〜５３Ｄを介して第１の端子電極３Ａ〜３Ｄに電気的に接続される第１の内部電極の積層方向で位置と、引き出し導体７３Ａ〜７３Ｄを介して第２の端子電極５Ａ〜５Ｄに電気的に接続される第２の内部電極の積層方向で位置との点で第１８実施形態に係る積層コンデンサと相違する。図２１は、第１９実施形態に係る積層コンデンサに含まれる積層体の分解斜視図である。
【０２２９】
第１９実施形態に係る積層コンデンサは、図示は省略するが、第１４実施形態に係る積層コンデンサＣ２と同じく、積層体１と、当該積層体１に形成された第１の端子電極３Ａ〜３Ｄと、同じく積層体１に形成された第２の端子電極５Ａ〜５Ｄと、第１及び第２の接続導体７、９とを備えている。
【０２３０】
第１９実施形態に係る積層コンデンサでは、図２１に示されるように、各第１の内部電極４３，４７が、引き出し導体５３Ａを介して第１の端子電極３Ａに電気的に接続されている。各第１の内部電極４４，４８が、引き出し導体５３Ｂを介して第１の端子電極３Ｂに電気的に接続されている。各第１の内部電極４５，４９が、引き出し導体５３Ｃを介して第１の端子電極３Ｃに電気的に接続されている。各第１の内部電極４６，５０が、引き出し導体５３Ｄを介して第１の端子電極３Ｄに電気的に接続されている。これにより、第１の内部電極４１，４２，５１，５２も、第１の端子電極３Ａ〜３Ｄに電気的に接続されることとなり、第１の内部電極４１〜５２は並列接続されることとなる。各引き出し導体５３Ａ，５３Ｂは、対応する第１の内部電極４３，４４，４７，４８と一体に形成されており、積層体１の側面１ａに臨むように、各第１の内部電極４３，４４，４７，４８から伸びている。各引き出し導体５３Ｃ，５３Ｄは、対応する第１の内部電極４５，４６，４９，５０と一体に形成されており、積層体１の側面１ｂに臨むように、各第１の内部電極４５，４６，４９，５０から伸びている。
【０２３１】
各第２の内部電極６３，６７は、引き出し導体７３Ａを介して第２の端子電極５Ａに電気的に接続されている。各第２の内部電極６４，６８は、引き出し導体７３Ｂを介して第２の端子電極５Ｂに電気的に接続されている。各第２の内部電極６５，６９は、引き出し導体７３Ｃを介して第２の端子電極５Ｃに電気的に接続されている。各第２の内部電極６６，７０は、引き出し導体７３Ｄを介して第２の端子電極５Ｄに電気的に接続されている。これにより、第２の内部電極６１，６２，７１，７２も、第２の端子電極５Ａ〜５Ｄに電気的に接続されることとなり、第２の内部電極６１〜７２は並列接続されることとなる。各引き出し導体７３Ａ，７３Ｂは、対応する第２の内部電極６３，６４，６７，６８と一体に形成されており、積層体１の側面１ａに臨むように、各第２の内部電極６３，６４，６７，６８から伸びている。各引き出し導体７３Ｃ，７３Ｄは、対応する第２の内部電極６５，６６，６９，７０と一体に形成されており、積層体１の側面１ｂに臨むように、各第２の内部電極６５，６６，６９，７０から伸びている。
【０２３２】
第１９実施形態に係る積層コンデンサでは、引き出し導体７３Ａ〜７３Ｄを介して第１の端子電極３Ａ〜３Ｄに直接接続される第１の内部電極４３〜５０の数を８つとし、第１の内部電極４１〜５２の総数よりも少なくされている。また、引き出し導体７３Ａ〜７３Ｄを介して第２の端子電極５Ａ〜５Ｄに直接接続される第２の内部電極６３〜７０の数を８つとし、第２の内部電極６１〜７２の総数よりも少なくされている。したがって、第１９実施形態に係る積層コンデンサは、すべての内部電極が対応する端子電極に引き出し導体を介して接続されている従来の積層コンデンサに比して、等価直列抵抗が大きくなる。
【０２３３】
第１９実施形態に係る積層コンデンサは、積層コンデンサＣ２に比して、引き出し導体５３Ａ〜５３Ｄを介して第１の端子電極３Ａ〜３Ｄに直接接続される第１の内部電極４３〜５０の数が多く、これらの引き出し導体５３Ａ〜５３Ｄは対応する第１の端子電極３Ａ〜３Ｄに対して並列接続される。また、引き出し導体７３Ａ〜７３Ｄを介して第２の端子電極５Ａ〜５Ｄに直接接続される第２の内部電極６３〜７０の数が多く、これらの引き出し導体７３Ａ〜７３Ｄは対応する第２の端子電極５Ａ〜５Ｄに対して並列接続される。したがって、第１９実施形態に係る積層コンデンサの等価直列抵抗は、積層コンデンサＣ２の等価直列抵抗に比して小さくなる。
【０２３４】
また、第１９実施形態に係る積層コンデンサは、第１５〜第１７実施形態と同様に、第１及び第２の接続導体７、９の抵抗成分の差異に起因して第１８実施形態に係る積層コンデンサに比して等価直列抵抗が小さくなる。
【０２３５】
以上のように、本実施形態によれば、引き出し導体５３Ａ〜５３Ｄを介して第１の端子電極３Ａ〜３Ｄに直接接続される第１の内部電極４３〜５０の数及び積層方向での位置と、引き出し導体７３Ａ〜７３Ｄを介して第２の端子電極５Ａ〜５Ｄに直接接続される第２の内部電極６３〜７０の数及び積層方向での位置とをそれぞれ調整することにより、積層コンデンサの等価直列抵抗が所望の値に設定されるので、等価直列抵抗の制御を容易に且つ精度良く行うことができる。
【０２３６】
（第２０実施形態）
図２２を参照して、第２０実施形態に係る積層コンデンサの構成について説明する。第２０実施形態に係る積層コンデンサは、引き出し導体５３Ａ〜５３Ｄを介して第１の端子電極３Ａ〜３Ｄに電気的に接続される第１の内部電極の数と、引き出し導体７３Ａ〜７３Ｄを介して第２の端子電極５Ａ〜５Ｄに電気的に接続される第２の内部電極の数との点で第１４実施形態に係る積層コンデンサＣ２と相違する。また、第２０実施形態に係る積層コンデンサは、引き出し導体５３Ａ〜５３Ｄを介して第１の端子電極３Ａ〜３Ｄに電気的に接続される第１の内部電極の積層方向で位置と、引き出し導体７３Ａ〜７３Ｄを介して第２の端子電極５Ａ〜５Ｄに電気的に接続される第２の内部電極の積層方向で位置との点で第１８実施形態に係る積層コンデンサと相違する。図２２は、第２０実施形態に係る積層コンデンサに含まれる積層体の分解斜視図である。
【０２３７】
第２０実施形態に係る積層コンデンサは、図示は省略するが、第１４実施形態に係る積層コンデンサＣ２と同じく、積層体１と、当該積層体１に形成された第１の端子電極３Ａ〜３Ｄと、同じく積層体１に形成された第２の端子電極５Ａ〜５Ｄと、第１及び第２の接続導体７、９とを備えている。
【０２３８】
第２０実施形態に係る積層コンデンサでは、引き出し導体５３Ａ〜５３Ｄを介して第１の端子電極３Ａ〜３Ｄに直接接続される第１の内部電極４１〜４４，４７〜５０の数を８つとし、第１の内部電極４１〜５２の総数よりも少なくされている。また、引き出し導体７３Ａ〜７３Ｄを介して第２の端子電極５Ａ〜５Ｄに直接接続される第２の内部電極６１〜６４，６７〜７０の数を８つとし、第２の内部電極６１〜７２の総数よりも少なくされている。したがって、第２０実施形態に係る積層コンデンサは、すべての内部電極が対応する端子電極に引き出し導体を介して接続されている従来の積層コンデンサに比して、等価直列抵抗が大きくなる。
【０２３９】
第２０実施形態に係る積層コンデンサは、積層コンデンサＣ２に比して、引き出し導体５３Ａ〜５３Ｄを介して第１の端子電極３Ａ〜３Ｄに直接接続される第１の内部電極４１〜４４，４７〜５０の数が多く、これらの引き出し導体５３Ａ〜５３Ｄは対応する第１の端子電極３Ａ〜３Ｄに対して並列接続される。また、引き出し導体７３Ａ〜７３Ｄを介して第２の端子電極５Ａ〜５Ｄに直接接続される第２の内部電極６１〜６４，６７〜７０の数が多く、これらの引き出し導体７３Ａ〜７３Ｄは対応する第２の端子電極５Ａ〜５Ｄに対して並列接続される。したがって、第２０実施形態に係る積層コンデンサの等価直列抵抗は、積層コンデンサＣ２の等価直列抵抗に比して小さくなる。
【０２４０】
また、第２０実施形態に係る積層コンデンサは、第１５〜第１７実施形態と同様に、第１及び第２の接続導体７、９の抵抗成分の差異に起因して第１８実施形態に係る積層コンデンサに比して等価直列抵抗が小さくなる。
【０２４１】
以上のように、本実施形態によれば、引き出し導体５３Ａ〜５３Ｄを介して第１の端子電極３Ａ〜３Ｄに直接接続される第１の内部電極４１〜４４，４７〜５０の数及び積層方向での位置と、引き出し導体７３Ａ〜７３Ｄを介して第２の端子電極５Ａ〜５Ｄに直接接続される第２の内部電極６１〜６４，６７〜７０の数及び積層方向での位置とをそれぞれ調整することにより、積層コンデンサの等価直列抵抗が所望の値に設定されるので、等価直列抵抗の制御を容易に且つ精度良く行うことができる。
【０２４２】
（第２１実施形態）
図２３を参照して、第２１実施形態に係る積層コンデンサの構成について説明する。第２１実施形態に係る積層コンデンサは、引き出し導体５３Ａ〜５３Ｄを介して第１の端子電極３Ａ〜３Ｄに電気的に接続される第１の内部電極の数と、引き出し導体７３Ａ〜７３Ｄを介して第２の端子電極５Ａ〜５Ｄに電気的に接続される第２の内部電極の数との点で第１実施形態に係る積層コンデンサＣ２と相違する。また、第２１実施形態に係る積層コンデンサは、引き出し導体５３Ａ〜５３Ｄを介して第１の端子電極３Ａ〜３Ｄに電気的に接続される第１の内部電極の積層方向で位置と、引き出し導体７３Ａ〜７３Ｄを介して第２の端子電極５Ａ〜５Ｄに電気的に接続される第２の内部電極の積層方向で位置との点で第１８実施形態に係る積層コンデンサと相違する。図２３は、第２１実施形態に係る積層コンデンサに含まれる積層体の分解斜視図である。
【０２４３】
第２１実施形態に係る積層コンデンサは、図示は省略するが、第１４実施形態に係る積層コンデンサＣ２と同じく、積層体１と、当該積層体１に形成された第１の端子電極３Ａ〜３Ｄと、同じく積層体１に形成された第２の端子電極５Ａ〜５Ｄと、第１及び第２の接続導体７、９とを備えている。
【０２４４】
第２１実施形態に係る積層コンデンサでは、引き出し導体５３Ａ〜５３Ｄを介して第１の端子電極３Ａ〜３Ｄに直接接続される第１の内部電極４１，４２，４４，４５，４７，４８，５０，５１の数を８つとし、第１の内部電極４１〜５２の総数よりも少なくされている。また、引き出し導体７３Ａ〜７３Ｄを介して第２の端子電極５Ａ〜５Ｄに直接接続される第２の内部電極６１，６２，６４，６５，６７，６８，７０，７１の数を８つとし、第２の内部電極６１〜７２の総数よりも少なくされている。したがって、第２１実施形態に係る積層コンデンサは、すべての内部電極が対応する端子電極に引き出し導体を介して接続されている従来の積層コンデンサに比して、等価直列抵抗が大きくなる。
【０２４５】
第２１実施形態に係る積層コンデンサは、積層コンデンサＣ２に比して、引き出し導体５３Ａ〜５３Ｄを介して第１の端子電極３Ａ〜３Ｄに直接接続される第１の内部電極４１，４２，４４，４５，４７，４８，５０，５１の数が多く、これらの引き出し導体５３Ａ〜５３Ｄは対応する第１の端子電極３Ａ〜３Ｄに対して並列接続される。また、引き出し導体７３Ａ〜７３Ｄを介して第２の端子電極５Ａ〜５Ｄに直接接続される第２の内部電極６１，６２，６４，６５，６７，６８，７０，７１の数が多く、これらの引き出し導体７３Ａ〜７３Ｄは対応する第２の端子電極５Ａ〜５Ｄに対して並列接続される。したがって、第２１実施形態に係る積層コンデンサの等価直列抵抗は、積層コンデンサＣ２の等価直列抵抗に比して小さくなる。
【０２４６】
また、第２１実施形態に係る積層コンデンサは、第１５〜第１７実施形態と同様に、第１及び第２の接続導体７、９の抵抗成分の差異に起因して第１８実施形態に係る積層コンデンサに比して等価直列抵抗が小さくなる。
【０２４７】
以上のように、本実施形態によれば、引き出し導体５３Ａ〜５３Ｄを介して第１の端子電極３Ａ〜３Ｄに直接接続される第１の内部電極４１，４２，４４，４５，４７，４８，５０，５１の数及び積層方向での位置と、引き出し導体７３Ａ〜７３Ｄを介して第２の端子電極５Ａ〜５Ｄに直接接続される第２の内部電極６１，６２，６４，６５，６７，６８，７０，７１の数及び積層方向での位置とをそれぞれ調整することにより、積層コンデンサの等価直列抵抗が所望の値に設定されるので、等価直列抵抗の制御を容易に且つ精度良く行うことができる。
【０２４８】
（第２２実施形態）
図２４を参照して、第２２実施形態に係る積層コンデンサの構成について説明する。図２４は、第２２実施形態に係る積層コンデンサに含まれる積層体の分解斜視図である。
【０２４９】
第２２実施形態に係る積層コンデンサは、図示は省略するが、第１４実施形態に係る積層コンデンサＣ２と同じく、積層体１と、当該積層体１に形成された第１の端子電極３Ａ〜３Ｄと、同じく積層体１に形成された第２の端子電極５Ａ〜５Ｄと、第１及び第２の接続導体７、９とを備えている。
【０２５０】
積層体１は、図２４にも示されるように、複数（本実施形態では、３９層）の誘電体層１１〜３５、２３５〜２４８と、複数（本実施形態では、各１９層）の第１及び第２の内部電極４１〜５２，２５３〜２５９、６１〜７２、２７３〜２７９とが交互に積層されることにより構成される。実際の積層コンデンサでは、誘電体層１１〜３５、２３５〜２４８の間の境界が視認できない程度に一体化されている。
【０２５１】
各第１の内部電極４１〜５２，２５３〜２５９は、略矩形形状を呈している。第１の内部電極４１〜５２，２５３〜２５９は、積層体１における誘電体層１１〜３５、２３５〜２４８の積層方向（以下、単に「積層方向」と称する。）に平行な側面から所定の間隔を有した位置にそれぞれ形成されている。各第１の内部電極４１〜５２，２５３〜２５９には、積層体１の側面１ｃに引き出されるように伸びる引き出し導体８１〜９２、２９３〜２９９がそれぞれ形成されている。
【０２５２】
引き出し導体８１は、第１の内部電極４１と一体に形成されており、積層体１の側面１ｃに臨むように、第１の内部電極４１から伸びている。引き出し導体８２は、第１の内部電極４２と一体に形成されており、積層体１の側面１ｃに臨むように、第１の内部電極４２から伸びている。引き出し導体８３は、第１の内部電極４３と一体に形成されており、積層体１の側面１ｃに臨むように、第１の内部電極４３から伸びている。引き出し導体８４は、第１の内部電極４４と一体に形成されており、積層体１の側面１ｃに臨むように、第１の内部電極４４から伸びている。引き出し導体８５は、第１の内部電極４５と一体に形成されており、積層体１の側面１ｃに臨むように、第１の内部電極４５から伸びている。引き出し導体８６は、第１の内部電極４６と一体に形成されており、積層体１の側面１ｃに臨むように、第１の内部電極４６から伸びている。引き出し導体８７は、第１の内部電極４７と一体に形成されており、積層体１の側面１ｃに臨むように、第１の内部電極４７から伸びている。引き出し導体８８は、第１の内部電極４８と一体に形成されており、積層体１の側面１ｃに臨むように、第１の内部電極４８から伸びている。引き出し導体８９は、第１の内部電極４９と一体に形成されており、積層体１の側面１ｃに臨むように、第１の内部電極４９から伸びている。引き出し導体８９は、第１の内部電極４９と一体に形成されており、積層体１の側面１ｃに臨むように、第１の内部電極４９から伸びている。引き出し導体９０は、第１の内部電極５０と一体に形成されており、積層体１の側面１ｃに臨むように、第１の内部電極５０から伸びている。引き出し導体９１は、第１の内部電極５１と一体に形成されており、積層体１の側面１ｃに臨むように、第１の内部電極５１から伸びている。引き出し導体９２は、第１の内部電極５２と一体に形成されており、積層体１の側面１ｃに臨むように、第１の内部電極５２から伸びている。引き出し導体２９３は、第１の内部電極２５３と一体に形成されており、積層体１の側面１ｃに臨むように、第１の内部電極２５３から伸びている。引き出し導体２９４は、第１の内部電極２５４と一体に形成されており、積層体１の側面１ｃに臨むように、第１の内部電極２５４から伸びている。引き出し導体２９５は、第１の内部電極２５５と一体に形成されており、積層体１の側面１ｃに臨むように、第１の内部電極２５５から伸びている。引き出し導体２９６は、第１の内部電極２５６と一体に形成されており、積層体１の側面１ｃに臨むように、第１の内部電極２５６から伸びている。引き出し導体２９７は、第１の内部電極２５７と一体に形成されており、積層体１の側面１ｃに臨むように、第１の内部電極２５７から伸びている。引き出し導体２９８は、第１の内部電極２５８と一体に形成されており、積層体１の側面１ｃに臨むように、第１の内部電極２５８から伸びている。引き出し導体２９９は、第１の内部電極２５９と一体に形成されており、積層体１の側面１ｃに臨むように、第１の内部電極２５９から伸びている。
【０２５３】
第１の内部電極４１〜５２，２５３〜２５９はそれぞれ、引き出し導体８１〜９２、２９３〜２９９を介して第１の接続導体７に電気的に接続される。これにより、第１の内部電極４１〜５２，２５３〜２５９は、第１の接続導体７を介して互いに電気的に接続されることとなる。
【０２５４】
第１の内部電極４１は、引き出し導体５３Ａを介して第１の端子電極３Ａに電気的に接続されている。第１の内部電極４２は、引き出し導体５３Ｂを介して第１の端子電極３Ｂに電気的に接続されている。第１の内部電極４３は、引き出し導体５３Ｃを介して第１の端子電極３Ｃに電気的に接続されている。第１の内部電極４４は、引き出し導体５３Ｄを介して第１の端子電極３Ｄに電気的に接続されている。第１の内部電極４５は、引き出し導体５３Ａを介して第１の端子電極３Ａに電気的に接続されている。第１の内部電極４６は、引き出し導体５３Ｂを介して第１の端子電極３Ｂに電気的に接続されている。第１の内部電極４９は、引き出し導体５３Ｃを介して第１の端子電極３Ｃに電気的に接続されている。第１の内部電極５１は、引き出し導体５３Ｄを介して第１の端子電極３Ｄに電気的に接続されている。第１の内部電極２５５は、引き出し導体５３Ａを介して第１の端子電極３Ａに電気的に接続されている。第１の内部電極２５６は、引き出し導体５３Ｂを介して第１の端子電極３Ｂに電気的に接続されている。第１の内部電極２５７は、引き出し導体５３Ｃを介して第１の端子電極３Ｃに電気的に接続されている。これにより、第１の内部電極４７、４８、５０、５２、２５３、２５４、２５８、２５９も第１の端子電極３Ａ〜３Ｄに電気的に接続されることとなり、第１の内部電極４１〜５２，２５３〜２５９は並列接続されることとなる。
【０２５５】
各引き出し導体５３Ａ、５３Ｂは、対応する第１の内部電極４１，４２、４５、４６、２５５、２５６と一体に形成されており、積層体１の側面１ａに臨むように、各第１の内部電極４１，４２、４５、４６、２５５、２５６から伸びている。各引き出し導体５３Ｃ，５３Ｄは、対応する第１の内部電極４３，４４、４９、５１、２５７と一体に形成されており、積層体１の側面１ｂに臨むように、各第１の内部電極４３，４４、４９、５１、２５７から伸びている。
【０２５６】
各第２の内部電極６１〜７２、２７３〜２７９は、略矩形形状を呈している。第２の内部電極６１〜７２、２７３〜２７９は、積層体１における積層方向に平行な側面から所定の間隔を有した位置にそれぞれ形成されている。各第２の内部電極６１〜７２、２７３〜２７９には、積層体１の側面１ｄに引き出されるように伸びる引き出し導体１０１〜１１２、３１３〜３１９がそれぞれ形成されている。
【０２５７】
引き出し導体１０１は、第２の内部電極６１と一体に形成されており、積層体１の側面１ｄに臨むように、第２の内部電極６１から伸びている。引き出し導体１０２は、第２の内部電極６２と一体に形成されており、積層体１の側面１ｄに臨むように、第２の内部電極６２から伸びている。引き出し導体１０３は、第２の内部電極６３と一体に形成されており、積層体１の側面１ｄに臨むように、第２の内部電極６３から伸びている。引き出し導体１０４は、第２の内部電極６４と一体に形成されており、積層体１の側面１ｄに臨むように、第２の内部電極６４から伸びている。引き出し導体１０５は、第２の内部電極６５と一体に形成されており、積層体１の側面１ｄに臨むように、第２の内部電極６５から伸びている。引き出し導体１０６は、第２の内部電極６６と一体に形成されており、積層体１の側面１ｄに臨むように、第２の内部電極６６から伸びている。引き出し導体１０７は、第２の内部電極６７と一体に形成されており、積層体１の側面１ｄに臨むように、第２の内部電極６７から伸びている。引き出し導体１０８は、第２の内部電極６８と一体に形成されており、積層体１の側面１ｄに臨むように、第２の内部電極６８から伸びている。引き出し導体１０９は、第２の内部電極６９と一体に形成されており、積層体１の側面１ｄに臨むように、第２の内部電極６９から伸びている。引き出し導体１１０は、第２の内部電極７０と一体に形成されており、積層体１の側面１ｄに臨むように、第２の内部電極７０から伸びている。引き出し導体１１１は、第２の内部電極７１と一体に形成されており、積層体１の側面１ｄに臨むように、第２の内部電極７１から伸びている。引き出し導体１１２は、第２の内部電極７２と一体に形成されており、積層体１の側面１ｄに臨むように、第２の内部電極７２から伸びている。引き出し導体３１３は、第２の内部電極２７３と一体に形成されており、積層体１の側面１ｄに臨むように、第２の内部電極２７３から伸びている。引き出し導体３１４は、第２の内部電極２７４と一体に形成されており、積層体１の側面１ｄに臨むように、第２の内部電極２７４から伸びている。引き出し導体３１５は、第２の内部電極２７５と一体に形成されており、積層体１の側面１ｄに臨むように、第２の内部電極２７５から伸びている。引き出し導体３１６は、第２の内部電極２７６と一体に形成されており、積層体１の側面１ｄに臨むように、第２の内部電極２７６から伸びている。引き出し導体３１７は、第２の内部電極２７７と一体に形成されており、積層体１の側面１ｄに臨むように、第２の内部電極２７７から伸びている。引き出し導体３１８は、第２の内部電極２７８と一体に形成されており、積層体１の側面１ｄに臨むように、第２の内部電極２７８から伸びている。引き出し導体３１９は、第２の内部電極２７９と一体に形成されており、積層体１の側面１ｄに臨むように、第２の内部電極２７９から伸びている。
【０２５８】
第２の内部電極６１〜７２、２７３〜２７９はそれぞれ、引き出し導体１０１〜１１２、３１３〜３１９を介して第２の接続導体９に電気的に接続される。これにより、第２の内部電極６１〜７２、２７３〜２７９は、第２の接続導体９を介して互いに電気的に接続されることとなる。
【０２５９】
第２の内部電極６１は、引き出し導体７３Ａを介して第２の端子電極５Ａに電気的に接続されている。第２の内部電極６２は、引き出し導体７３Ｂを介して第２の端子電極５Ｂに電気的に接続されている。第２の内部電極６３は、引き出し導体７３Ｃを介して第２の端子電極５Ｃに電気的に接続されている。第２の内部電極６４は、引き出し導体７３Ｄを介して第２の端子電極５Ｄに電気的に接続されている。第２の内部電極６５は、引き出し導体７３Ａを介して第２の端子電極５Ａに電気的に接続されている。第２の内部電極６６は、引き出し導体７３Ｂを介して第２の端子電極５Ｂに電気的に接続されている。第２の内部電極６９は、引き出し導体７３Ｃを介して第２の端子電極５Ｃに電気的に接続されている。第２の内部電極７１は、引き出し導体７３Ｄを介して第２の端子電極５Ｄに電気的に接続されている。第２の内部電極２７５は、引き出し導体７３Ａを介して第２の端子電極５Ａに電気的に接続されている。第２の内部電極２７６は、引き出し導体７３Ｂを介して第２の端子電極５Ｂに電気的に接続されている。これにより、第２の内部電極６７、６８、７０、７２、２７３、２７４、２７８、２７９も第２の端子電極５Ａ〜５Ｄに電気的に接続されることとなり、第２の内部電極６１〜７２、２７３〜２７９は並列接続されることとなる。
【０２６０】
各引き出し導体７３Ａ、７３Ｂは、対応する第２の内部電極６１，６２、６５、６６、２７５、２７６と一体に形成されており、積層体１の側面１ａに臨むように、各第２の内部電極６１，６２、６５、６６、２７５、２７６から伸びている。各引き出し導体７３Ｃ，７３Ｄは、対応する第２の内部電極６３，６４、６９、７１、２７７と一体に形成されており、積層体１の側面１ｂに臨むように、各第２の内部電極６３，６４、６９、７１、２７７から伸びている。
【０２６１】
第２２実施形態に係る積層コンデンサでは、引き出し導体５３Ａ〜５３Ｄを介して第１の端子電極３Ａ〜３Ｄに直接接続される第１の内部電極４１〜４６，４９，５１，２５５〜２５７の数を１１とし、第１の内部電極４１〜５２、２５３〜２５９の総数（本実施形態では、１９）よりも少なくされている。また、引き出し導体７３Ａ〜７３Ｄを介して第２の端子電極５Ａ〜５Ｄに直接接続される第２の内部電極６１〜６６，６９，７１，２７５〜２７７の数を１１とし、第２の内部電極６１〜７２、２７３〜２７９の総数（本実施形態では、１９）よりも少なくされている。これにより、第２２実施形態に係る積層コンデンサは、すべての内部電極が対応する端子電極に引き出し導体を介して接続されている従来の積層コンデンサに比して、等価直列抵抗が大きくなる。
【０２６２】
また、第２２実施形態に係る積層コンデンサは、第１５〜第１７実施形態と同様に、第１及び第２の接続導体７、９の抵抗成分の差異に起因して、引き出し導体５３Ａ〜５３Ｄ，７３Ａ〜７３Ｄを介して端子電極３Ａ〜３Ｄ，５Ａ〜５Ｄに直接接続される内部電極４１〜４６，４９，５１，２５５〜２５７，６１〜６６，６９，７１，２７５〜２７７を積層方向に隣り合うように配置した積層コンデンサに比して等価直列抵抗が小さくなる。
【０２６３】
以上のように、本実施形態によれば、引き出し導体５３Ａ〜５３Ｄを介して第１の端子電極３Ａ〜３Ｄに電気的に接続される第１の内部電極４１〜４６，４９，５１，２５５〜２５７の数及び積層方向での位置と、引き出し導体７３Ａ〜７３Ｄを介して第２の端子電極５Ａ〜５Ｄに電気的に接続される第２の内部電極６１〜６６，６９，７１，２７５〜２７７の数及び積層方向での位置とをそれぞれ調整することにより、積層コンデンサの等価直列抵抗が所望の値に設定されるので、等価直列抵抗の制御を容易に且つ精度良く行うことができる。
【０２６４】
（第２３実施形態）
図２５を参照して、第２３実施形態に係る積層コンデンサの構成について説明する。第２３実施形態に係る積層コンデンサは、第１及び第２の内部電極４５〜５２、６５〜７２にスリットが形成されている点で第１４実施形態に係る積層コンデンサＣ２と相違する。図２５は、第２３実施形態に係る積層コンデンサに含まれる積層体の分解斜視図である。
【０２６５】
第２３実施形態に係る積層コンデンサは、図示は省略するが、第１４実施形態に係る積層コンデンサＣ２と同じく、積層体１と、当該積層体１に形成された第１の端子電極３Ａ〜３Ｄと、同じく積層体１に形成された第２の端子電極５Ａ〜５Ｄと、第１及び第２の接続導体７、９とを備えている。
【０２６６】
第１の内部電極４５〜５２において、引き出し導体８５〜９２と第１の内部電極４５〜５２との接続部分の脇から第１の内部電極４５〜５２の長手方向に伸びるようにスリットＳ１１〜Ｓ１８が形成されている。したがって、スリットＳ１１〜Ｓ２８は、各第１の内部電極４５〜５２において、スリットＳ１１〜Ｓ２８それぞれを挟んで対向する領域を電流が互いに逆向きに流れるように形成されることとなる。
【０２６７】
第２の内部電極６５〜７２において、引き出し導体１０５〜１１２と第２の内部電極６５〜７２との接続部分の脇から第２の内部電極６１〜７２の長手方向に伸びるようにスリットＳ２１〜Ｓ２８が形成されている。したがって、スリットＳ２１〜Ｓ２８は、各第２の内部電極６５〜７２において、スリットＳ２１〜Ｓ２８それぞれを挟んで対向する領域を電流が互いに逆向きに流れるように形成されることとなる。
【０２６８】
スリットＳ１１〜Ｓ１８、Ｓ２１〜Ｓ２８が形成された第１及び第２の内部電極４５〜５２、６５〜７２では、それぞれスリットＳ１１〜Ｓ１８、Ｓ２１〜Ｓ２８を挟んで対向する領域において互いに電流が逆向きに流れるため、電流に起因して発生する磁界が相殺される。また、スリットが形成された第１の内部電極４５〜５２と第２の内部電極６５〜７２とでは積層方向で見て、電流の流れる向きが逆向きとなる。そのため、第１の内部電極４５〜５２を流れる電流に起因して発生する磁界と第２の内部電極６５〜７２を流れる電流に起因して発生する磁界とは相殺される。このため、第２３実施形態に係る積層コンデンサでは、等価直列インダクタンスの低減を図ることが可能となる。
【０２６９】
また、第２３実施形態に係る積層コンデンサでは、引き出し導体５３Ａ〜５３Ｄを介して第１の端子電極３Ａ〜３Ｄに直接接続される第１の内部電極４１〜４４の数を４つとし、第１の内部電極４１〜５２の総数（本実施形態では、１２つ）よりも少なくされている。また、引き出し導体７３Ａ〜７３Ｄを介して第２の端子電極５Ａ〜５Ｄに直接接続される第２の内部電極６１〜６４の数を４つとし、第２の内部電極６１〜７２の総数（本実施形態では、１２つ）よりも少なくされている。これらにより、第２３実施形態に係る積層コンデンサは、すべての内部電極が対応する端子電極に引き出し導体を介して接続されている従来の積層コンデンサに比して、等価直列抵抗が大きくなる。
【０２７０】
以上のように、本実施形態によれば、引き出し導体５３Ａ〜５３Ｄを介して第１の端子電極３Ａ〜３Ｄに電気的に接続される第１の内部電極４１〜４４の数と引き出し導体７３Ａ〜７３Ｄを介して第２の端子電極５Ａ〜５Ｄに電気的に接続される第２の内部電極６１〜６４の数とをそれぞれ調整することにより、第２３実施形態に係る積層コンデンサの等価直列抵抗が所望の値に設定されるので、等価直列抵抗の制御を容易に且つ精度良く行うことができる。
【０２７１】
（第２４実施形態）
図２６を参照して、第２４実施形態に係る積層コンデンサの構成について説明する。図２６は、第２４実施形態に係る積層コンデンサを示す斜視図である。図２６は、第２４実施形態に係る積層コンデンサに含まれる積層体の分解斜視図である。
【０２７２】
第２４実施形態に係る積層コンデンサは、図示は省略するが、第１４実施形態に係る積層コンデンサＣ２と同じく、積層体１と、当該積層体１に形成された第１の端子電極３Ａ〜３Ｄと、同じく積層体１に形成された第２の端子電極５Ａ〜５Ｄと、第１及び第２の接続導体７、９とを備えている。
【０２７３】
積層体１は、図２６にも示されるように、第１〜第３のコンデンサ部１２１，１３１，１４１を含んでいる。第１のコンデンサ部１２１は、第２のコンデンサ部１３１と第３のコンデンサ部１４１との間に位置している。
【０２７４】
まず、第１のコンデンサ部１２１の構成について説明する。第１のコンデンサ部１２１は、第１４実施形態に係る積層コンデンサＣ２における積層体１と、誘電体層３５の点を除いて同じ構成を有している。すなわち、第１のコンデンサ部１２１は、複数（本実施形態では、２５層）の誘電体層１１〜３４と、複数（本実施形態では、各１２層）の第１及び第２の内部電極４１〜５２，６１〜７２とが交互に積層されることにより構成される。第１のコンデンサ部１２１では、１２の第１の内部電極４１〜５２のうち４つの第１の内部電極４１〜４４が、引き出し導体５３Ａ〜５３Ｄを介して対応する第１の端子電極３Ａ〜３Ｄに電気的に接続されている。また、１２の第２の内部電極６１〜７２のうち４つの第２の内部電極６１〜６４が、引き出し導体７３Ａ〜７３Ｄを介して対応する第２の端子電極５Ａ〜５Ｄに電気的に接続されている。
【０２７５】
次に、第２のコンデンサ部１３１の構成について説明する。第２のコンデンサ部１３１は、複数（本実施形態では、５層）の誘電体層１３３と、複数（本実施形態では、各２層）の第１及び第２の内部電極１３５，１３７とが交互に積層されることにより構成される。各第１の内部電極１３５は、引き出し導体１３６を介して第１の端子電極３Ａ，３Ｂに電気的に接続されている。引き出し導体１３６は、各第１の内部電極１３５と一体に形成されており、積層体１の側面１ａに臨むように、第１の内部電極１３５からそれぞれ伸びている。各第２の内部電極１３７は、引き出し導体１３８を介して第２の端子電極５Ａ，５Ｂに電気的に接続されている。引き出し導体１３８は、各第２の内部電極１３７と一体に形成されており、積層体１の側面１ａに臨むように、第２の内部電極１３７からそれぞれ伸びている。
【０２７６】
次に、第３のコンデンサ部１４１の構成について説明する。第３のコンデンサ部１４１は、複数（本実施形態では、４層）の誘電体層１４３と、複数（本実施形態では、各２層）の第１及び第２の内部電極１４５，１４７とが交互に積層されることにより構成される。各第１の内部電極１４５は、引き出し導体１４６を介して第１の端子電極３Ｃ，３Ｄに電気的に接続されている。引き出し導体１４６は、各第１の内部電極１４５と一体に形成されており、積層体１の側面１ｂに臨むように、第１の内部電極１４５からそれぞれ伸びている。各第２の内部電極１４７は、引き出し導体１４８を介して第２の端子電極５Ｃ，５Ｄに電気的に接続されている。引き出し導体１４８は、各第２の内部電極１４７と一体に形成されており、積層体１の側面１ｂに臨むように、第２の内部電極１４７からそれぞれ伸びている。
【０２７７】
実際の第２４実施形態に係る積層コンデンサでは、誘電体層１１〜３５，１３３，１４３の間の境界が視認できない程度に一体化されている。第１のコンデンサ部１２１の内部電極４１は、端子電極３Ａを通して第２のコンデンサ部１３１の第１の内部電極１３５と電気的に接続される。第１のコンデンサ部１２１の第１の内部電極４２は、端子電極３Ｂを通して第２のコンデンサ部１３１の第１の内部電極１３５と電気的に接続される。第１のコンデンサ部１２１の第１の内部電極４３は、端子電極３Ｃを通して第３のコンデンサ部１４１の第１の内部電極１４５と電気的に接続される。第１のコンデンサ部１２１の第１の内部電極４４は、端子電極３Ｄを通して第３のコンデンサ部１４１の第１の内部電極１４５と電気的に接続される。第１のコンデンサ部１２１の第２の内部電極６１は、端子電極５Ａを通して第２のコンデンサ部１３１の第２の内部電極１３７と電気的に接続される。第１のコンデンサ部１２１の第２の内部電極６２は、端子電極５Ｂを通して第２のコンデンサ部１３１の第２の内部電極１３７と電気的に接続される。第１のコンデンサ部１２１の第２の内部電極６３は、端子電極５Ｃを通して第３のコンデンサ部１４１の第２の内部電極１４７と電気的に接続される。第１のコンデンサ部１２１の第２の内部電極６４は、端子電極５Ｄを通して第３のコンデンサ部１４１の第２の内部電極１４７と電気的に接続される。
【０２７８】
以上のように、本実施形態では、第１のコンデンサ部１２１を有することにより、第１４実施形態において記載したように、積層コンデンサの等価直列抵抗が所望の値に設定されるので、等価直列抵抗の制御を容易に且つ精度良く行うことができる。
【０２７９】
（第２５実施形態）
図２７を参照して、第２５実施形態に係る積層コンデンサの構成について説明する。第２５実施形態に係る積層コンデンサは、第１のコンデンサ部１２１の構成の点で第２４実施形態に係る積層コンデンサと相違する。図２７は、第２５実施形態に係る積層コンデンサに含まれる積層体の分解斜視図である。
【０２８０】
第２５実施形態に係る積層コンデンサは、図示は省略するが、第１４実施形態に係る積層コンデンサＣ２と同じく、積層体１と、当該積層体１に形成された第１の端子電極３Ａ〜３Ｄと、同じく積層体１に形成された第２の端子電極５Ａ〜５Ｄと、第１及び第２の接続導体７、９とを備えている。
【０２８１】
第１のコンデンサ部１２１は、第１５実施形態に係る積層コンデンサにおける積層体１と、誘電体層３５の点を除いて同じ構成を有している。すなわち、第１のコンデンサ部１２１は、複数（本実施形態では、２５層）の誘電体層１１〜３５と、複数（本実施形態では、各１２層）の第１及び第２の内部電極４１〜５２，６１〜７２とが交互に積層されることにより構成される。第１のコンデンサ部１２１では、１２の第１の内部電極４１〜５２のうち４つの第１の内部電極４１，４２，５１，５２が、引き出し導体５３Ａ〜５３Ｄを介して対応する第１の端子電極３Ａ〜３Ｄに電気的に接続されている。また、１２の第２の内部電極６１〜７２のうち４つの第２の内部電極６１，６２，７１，７２が、引き出し導体７３Ａ〜７３Ｄを介して対応する第２の端子電極５Ａ〜５Ｄに電気的に接続されている。
【０２８２】
以上のように、本実施形態では、第１のコンデンサ部１２１を有することにより、第１５実施形態において記載したように、積層コンデンサの等価直列抵抗が所望の値に設定されるので、等価直列抵抗の制御を容易に且つ精度良く行うことができる。
【０２８３】
（第２６実施形態）
図２８を参照して、第２６実施形態に係る積層コンデンサの構成について説明する。第２６実施形態に係る積層コンデンサは、第１のコンデンサ部１２１の構成の点で第２４実施形態に係る積層コンデンサと相違する。図２８は、第２６実施形態に係る積層コンデンサに含まれる積層体の分解斜視図である。
【０２８４】
第２６実施形態に係る積層コンデンサは、図示は省略するが、第１４実施形態に係る積層コンデンサＣ２と同じく、積層体１と、当該積層体１に形成された第１の端子電極３Ａ〜３Ｄと、同じく積層体１に形成された第２の端子電極５Ａ〜５Ｄと、第１及び第２の接続導体７、９とを備えている。
【０２８５】
第１のコンデンサ部１２１は、第１８実施形態に係る積層コンデンサにおける積層体１と、誘電体層３５の点を除いて同じ構成を有している。すなわち、第１のコンデンサ部１２１は、複数（本実施形態では、２５層）の誘電体層１１〜３５と、複数（本実施形態では、各１２層）の第１及び第２の内部電極４１〜５２，６１〜７２とが交互に積層されることにより構成される。第１のコンデンサ部１２１では、１２の第１の内部電極４１〜５２のうち８つの第１の内部電極４１〜４４，４９〜５２が、引き出し導体５３Ａ〜５３Ｄを介して対応する第１の端子電極３Ａ〜３Ｄに電気的に接続されている。また、１２の第２の内部電極６１〜７２のうち８つの第２の内部電極６１〜６４，６９〜７２が、引き出し導体７３Ａ〜７３Ｄを介して対応する第２の端子電極５Ａ〜５Ｄに電気的に接続されている。
【０２８６】
以上のように、本実施形態では、第１のコンデンサ部１２１を有することにより、第１８実施形態において記載したように、積層コンデンサの等価直列抵抗が所望の値に設定されるので、等価直列抵抗の制御を容易に且つ精度良く行うことができる。
【０２８７】
（第２７実施形態）
図２９を参照して、第２７実施形態に係る積層コンデンサの構成について説明する。第２７実施形態に係る積層コンデンサは、第１のコンデンサ部１２１の構成の点で第２５実施形態に係る積層コンデンサと相違する。図２９は、第２７実施形態に係る積層コンデンサに含まれる積層体の分解斜視図である。
【０２８８】
第２７実施形態に係る積層コンデンサは、図示は省略するが、第１４実施形態に係る積層コンデンサＣ２と同じく、積層体１と、当該積層体１に形成された第１の端子電極３Ａ〜３Ｄと、同じく積層体１に形成された第２の端子電極５Ａ〜５Ｄと、第１及び第２の接続導体７、９とを備えている。
【０２８９】
第１のコンデンサ部１２１は、第１９実施形態に係る積層コンデンサにおける積層体１と、誘電体層３５の点を除いて同じ構成を有している。すなわち、第１のコンデンサ部１２１は、複数（本実施形態では、２５層）の誘電体層１１〜３５と、複数（本実施形態では、各１２層）の第１及び第２の内部電極４１〜５２，６１〜７２とが交互に積層されることにより構成される。第１のコンデンサ部１２１では、１２の第１の内部電極４１〜５２のうち８つの第１の内部電極４３〜５０が、引き出し導体５３Ａ〜５３Ｄを介して対応する第１の端子電極３Ａ〜３Ｄに電気的に接続されている。また、１２の第２の内部電極７３Ａ〜７３Ｄのうち８つの第２の内部電極６３〜７３が、引き出し導体７３Ａ〜７３Ｄを介して対応する第２の端子電極５Ａ〜５Ｄに電気的に接続されている。
【０２９０】
以上のように、本実施形態では、第１のコンデンサ部１２１を有することにより、第１９実施形態において記載したように、積層コンデンサの等価直列抵抗が所望の値に設定されるので、等価直列抵抗の制御を容易に且つ精度良く行うことができる。
【０２９１】
第１のコンデンサ部１２１の構成として、第１６、第１７及び第２０〜第２３実施形態に係る積層コンデンサの積層体１と同じ構成（但し、誘電体層３５を除く）を採用してもよい。
【０２９２】
（第２８実施形態）
図３０及び図３１を参照して、第２８実施形態に係る積層コンデンサＣ３の構成について説明する。図３０は、第２８実施形態に係る積層コンデンサの斜視図である。図３１は、第２８実施形態に係る積層コンデンサに含まれる積層体の分解斜視図である。
【０２９３】
積層コンデンサＣ３は、図３０に示されるように、積層体１と、当該積層体１に形成された第１及び第２の端子電極３Ａ〜３Ｄ，５Ａ〜５Ｄと、第１及び第２の接続導体７、９とを備える。
【０２９４】
第１の端子電極３Ａは、積層体１の側面１ａ側に位置している。第１の端子電極３Ｂは、積層体１の側面１ａ側に位置している。第１の端子電極３Ｃは、積層体１の側面１ｂ側に位置している。第１の端子電極３Ｄは、積層体１の側面１ｂ側に位置している。
【０２９５】
第２の端子電極５Ａは、積層体１の側面１ａ側に位置している。第２の端子電極５Ｂは、積層体１の側面１ａ側に位置している。第２の端子電極５Ｃは、積層体１の側面１ｂ側に位置している。第２の端子電極５Ｄは、積層体１の側面１ｂ側に位置している。
【０２９６】
したがって、第１の側面１ａ上には、側面１ｃ側から側面１ｄ側に向かって、第１の端子電極３Ａ、第２の端子電極５Ａ、第１の端子電極３Ｂ、第２の端子電極５Ｂがこの順で形成されている。第１の側面１５０ｂ上には、側面１ｄ側から側面１ｃ側に向かって、第１の端子電極３Ｃ、第２の端子電極５Ｃ、第１の端子電極３Ｄ、第２の端子電極５Ｄがこの順で形成されている。第１の端子電極３Ａ〜３Ｄと第２の端子電極５Ａ〜５Ｄとは、互いに電気的に絶縁されている。
【０２９７】
第１の接続導体７は、積層体１の側面１ｃ側に位置している。第２の接続導体９は、積層体１の側面１ｄ側に位置している。第１の接続導体７と第２の接続導体９とは、互いに電気的に絶縁されている。
【０２９８】
積層体１は、図３１にも示されるように、複数（本実施形態では、１１層）の誘電体層１１〜２０，３５と、複数（本実施形態では、５層）の第１及び第２の内部電極４１〜４４，６１〜６４とが交互に積層されることにより構成される。実際の積層コンデンサＣ３では、誘電体層１１〜２０、３５の間の境界が視認できない程度に一体化されている。
【０２９９】
各第１の内部電極４１〜５２は、略矩形形状を呈している。第１の内部電極４１〜５２は、積層体１における誘電体層１１〜２０、３５の積層方向（以下、単に「積層方向」と称する。）に平行な側面から所定の間隔を有した位置にそれぞれ形成されている。各第１の内部電極４１〜４５には、積層体１の側面１ｃに引き出されるように伸びる引き出し導体８１〜８５がそれぞれ形成されている。
【０３００】
引き出し導体８１は、第１の内部電極４１と一体に形成されており、積層体１の側面１ｃに臨むように、第１の内部電極４１から伸びている。引き出し導体８２は、第１の内部電極４２と一体に形成されており、積層体１の側面１ｃに臨むように、第１の内部電極４２から伸びている。引き出し導体８３は、第１の内部電極４３と一体に形成されており、積層体１の側面１ｃに臨むように、第１の内部電極４３から伸びている。引き出し導体８４は、第１の内部電極４４と一体に形成されており、積層体１の側面１ｃに臨むように、第１の内部電極４４から伸びている。引き出し導体８５は、第１の内部電極４５と一体に形成されており、積層体１の側面１ｃに臨むように、第１の内部電極４５から伸びている。
【０３０１】
第１の内部電極４１〜４５はそれぞれ、引き出し導体８１〜８５を介して第１の接続導体７に電気的に接続される。これにより、第１の内部電極４１〜４５は、第１の接続導体７を介して互いに電気的に接続されることとなる。
【０３０２】
第１の内部電極４１，４５は、引き出し導体５３Ａ〜５３Ｄを介して第１の端子電極３Ａ〜３Ｄに電気的に接続されている。これにより、第１の内部電極４２〜４４も第１の端子電極３Ａ〜３Ｄに電気的に接続されることとなり、第１の内部電極４１〜４５は並列接続されることとなる。各引き出し導体５３Ａ，５３Ｂは、第１の内部電極４１，４５と一体に形成されており、積層体１の側面１ａに臨むように、各第１の内部電極４１，４５から伸びている。各引き出し導体５３Ｃ、５３Ｄも、第１の内部電極４１，４５と一体に形成されており、積層体１の側面１ｂに臨むように、各第１の内部電極４１，４５から伸びている。
【０３０３】
第２の内部電極６１，６５は、引き出し導体７３Ａ〜７３Ｄを介して第２の端子電極５Ａ〜５Ｄに電気的に接続されている。これにより、第２の内部電極６２〜６４も第２の端子電極５Ａ〜５Ｄに電気的に接続されることとなり、第２の内部電極６１〜６５は並列接続されることとなる。各引き出し導体７３Ａ，７３Ｂは、第２の内部電極６１，６５と一体に形成されており、積層体１の側面１ａに臨むように、各第２の内部電極６１，６５から伸びている。各引き出し導体７３Ｃ，７３Ｄも、第２の内部電極６１，６５と一体に形成されており、積層体１の側面１ｂに臨むように、各第２の内部電極７１，７５から伸びている。
【０３０４】
第２８実施形態に係る積層コンデンサでは、引き出し導体５３Ａ〜５３Ｄを介して第１の端子電極３Ａ〜３Ｄに直接接続される第１の内部電極４１，４５の数を２つとし、第１の内部電極４１〜４５の総数（本実施形態では、５つ）よりも少なくされている。また、引き出し導体７３Ａ〜７３Ｄを介して第２の端子電極５Ａ〜５Ｄに直接接続される第２の内部電極６１，６５の数を２つとし、第２の内部電極６１〜６５の総数（本実施形態では、５つ）よりも少なくされている。これにより、第２８実施形態に係る積層コンデンサは、すべての内部電極が対応する端子電極に引き出し導体を介して接続されている従来の積層コンデンサに比して、等価直列抵抗が大きくなる。
【０３０５】
以上のように、本実施形態によれば、引き出し導体５３Ａ〜５３Ｄを介して第１の端子電極３Ａ〜３Ｄに電気的に接続される第１の内部電極４１，４５の数と引き出し導体７３Ａ〜７３Ｄを介して第２の端子電極５Ａ〜５Ｄに電気的に接続される第２の内部電極６１，６５の数とをそれぞれ調整することにより、積層コンデンサの等価直列抵抗が所望の値に設定されるので、等価直列抵抗の制御を容易に且つ精度良く行うことができる。
【０３０６】
また、本実施形態において、第１の内部電極４１〜４５同士は、並列接続されており、第２の内部電極６１〜６５同士は、並列接続されている。これにより、各第１の内部電極４１〜４５や各第２の内部電極６１〜６５の抵抗値にバラツキが生じても、積層コンデンサ全体での等価直列抵抗への影響が少なく、等価直列抵抗の制御の精度低下を抑制することができる。
【０３０７】
（第２９実施形態）
図３２を参照して、第２９実施形態に係る積層コンデンサの構成について説明する。第２９実施形態に係る積層コンデンサは、引き出し導体５３Ａ〜５３Ｄを介して第１の端子電極３Ａ〜３Ｄに電気的に接続される第１の内部電極の積層方向で位置と、引き出し導体５Ａ〜５Ｄを介して第２の端子電極５Ａ〜５Ｄに電気的に接続される第２の内部電極の積層方向で位置との点で第２８実施形態に係る積層コンデンサと相違する。図３２は、第２９実施形態に係る積層コンデンサに含まれる積層体の分解斜視図である。
【０３０８】
第２９実施形態に係る積層コンデンサは、図示は省略するが、第２８実施形態に係る積層コンデンサＣ３と同じく、積層体１と、当該積層体１に形成された第１の端子電極３Ａ〜３Ｄと、同じく積層体１に形成された第２の端子電極５Ａ〜５Ｄと、第１及び第２の接続導体７、９とを備えている。
【０３０９】
第１の内部電極４２は、引き出し導体５３Ａ〜５３Ｄを介して第１の端子電極３Ａ〜３Ｄに電気的に接続されている。これにより、第１の内部電極４３〜４５も第１の端子電極３Ａ〜３Ｄに電気的に接続されることとなり、第１の内部電極４１〜４５は並列接続されることとなる。各引き出し導体５３Ａ，５３Ｂは、第１の内部電極４２と一体に形成されており、積層体１の側面１ａに臨むように、第１の内部電極４２から伸びている。各引き出し導体５３Ｃ，５３Ｄも、第１の内部電極４２と一体に形成されており、積層体１の側面１ｂに臨むように、第１の内部電極４２から伸びている。
【０３１０】
第２の内部電極６２は、引き出し導体７３Ａ〜７３Ｄを介して第２の端子電極５Ａ〜５Ｄに電気的に接続されている。これにより、第２の内部電極６３〜６５も第２の端子電極５Ａ〜５Ｄに電気的に接続されることとなり、第２の内部電極６１〜６５は並列接続されることとなる。各引き出し導体７３Ａ，７３Ｂは、第２の内部電極６２と一体に形成されており、積層体１の側面１ａに臨むように、第２の内部電極６２から伸びている。各引き出し導体７３Ｃ，７３Ｄも、第２の内部電極６２と一体に形成されており、積層体１の側面１ｂに臨むように、第２の内部電極６２から伸びている。
【０３１１】
第２９実施形態に係る積層コンデンサでは、引き出し導体５３Ａ〜５３Ｄを介して第１の端子電極３Ａ〜３Ｄに直接接続される第１の内部電極４１，４２の数を２つとし、第１の内部電極４１〜４５の総数（本実施形態では、５つ）よりも少なくされている。また、引き出し導体７３Ａ〜７３Ｄを介して第２の端子電極５Ａ〜５Ｄに直接接続される第２の内部電極６１，６２の数を２つとし、第２の内部電極６１〜６５の総数（本実施形態では、５つ）よりも少なくされている。これにより、第２９実施形態に係る積層コンデンサは、すべての内部電極が対応する端子電極に引き出し導体を介して接続されている従来の積層コンデンサに比して、等価直列抵抗が大きくなる。
【０３１２】
以上のように、本実施形態によれば、引き出し導体５３Ａ〜５３Ｄを介して第１の端子電極３Ａ〜３Ｄに電気的に接続される第１の内部電極４１，４２の数と引き出し導体７３Ａ〜７３Ｄを介して第２の端子電極５Ａ〜５Ｄに電気的に接続される第２の内部電極６１，６２の数とをそれぞれ調整することにより、積層コンデンサの等価直列抵抗が所望の値に設定されるので、等価直列抵抗の制御を容易に且つ精度良く行うことができる。
【０３１３】
（第３０実施形態）
図３３を参照して、第３０実施形態に係る積層コンデンサの構成について説明する。第３０実施形態に係る積層コンデンサは、引き出し導体５３Ａ〜５３Ｄを介して第１の端子電極３Ａ〜３Ｄに電気的に接続される第１の内部電極の積層方向で位置と、引き出し導体７３Ａ〜７３Ｄを介して第２の端子電極５Ａ〜５Ｄに電気的に接続される第２の内部電極の積層方向で位置との点で第２８実施形態に係る積層コンデンサと相違する。図３３は、第３０実施形態に係る積層コンデンサに含まれる積層体の分解斜視図である。
【０３１４】
第３０実施形態に係る積層コンデンサは、図示は省略するが、第２８実施形態に係る積層コンデンサＣ３と同じく、積層体１と、当該積層体１に形成された第１の端子電極３Ａ〜３Ｄと、同じく積層体１に形成された第２の端子電極５Ａ〜５Ｄと、第１及び第２の接続導体７、９とを備えている。
【０３１５】
第１の内部電極４３，４４は、引き出し導体５３Ａ〜５３Ｄを介して第１の端子電極３Ａ〜３Ｄに電気的に接続されている。これにより、第１の内部電極４１，４２，４５も第１の端子電極３Ａ〜３Ｄに電気的に接続されることとなり、第１の内部電極４１〜４５は並列接続されることとなる。各引き出し導体５３Ａ，５３Ｂは、第１の内部電極４３，４４と一体に形成されており、積層体１の側面１ａに臨むように、各第１の内部電極４３，４４から伸びている。各引き出し導体５３Ｃ，５３Ｄも、第１の内部電極４３，４４と一体に形成されており、積層体１の側面１ｂに臨むように、各第１の内部電極４３，４４から伸びている。
【０３１６】
第２の内部電極６３，６４は、引き出し導体７３Ａ〜７３Ｄを介して第２の端子電極５Ａ〜５Ｄに電気的に接続されている。これにより、第２の内部電極６１，６２、６５も第２の端子電極５Ａ〜５Ｄに電気的に接続されることとなり、第２の内部電極６１〜６５は並列接続されることとなる。各引き出し導体７３Ａ，７３Ｂは、第２の内部電極６３，６４と一体に形成されており、積層体１の側面１ａに臨むように、各第２の内部電極６３，６４から伸びている。各引き出し導体７３Ｃ，７３Ｄも、第２の内部電極６３，６４と一体に形成されており、積層体１の側面１ｂに臨むように、各第２の内部電極６３，６４から伸びている。
【０３１７】
第３０実施形態に係る積層コンデンサでは、引き出し導体５３Ａ〜５３Ｄを介して第１の端子電極３Ａ〜３Ｄに直接接続される第１の内部電極４３，４４の数を２つとし、第１の内部電極４１〜４５の総数（本実施形態では、５つ）よりも少なくされている。また、引き出し導体７３Ａ〜７３Ｄを介して第２の端子電極５Ａ〜５Ｄに直接接続される第２の内部電極６３、６４の数を２つとし、第２の内部電極６１〜６５の総数（本実施形態では、５つ）よりも少なくされている。これにより、第３０実施形態に係る積層コンデンサは、すべての内部電極が対応する端子電極に引き出し導体を介して接続されている従来の積層コンデンサに比して、等価直列抵抗が大きくなる。
【０３１８】
以上のように、本実施形態によれば、引き出し導体５３Ａ〜５３Ｄを介して第１の端子電極３Ａ〜３Ｄに電気的に接続される第１の内部電極４３，４４の数と引き出し導体７３Ａ〜７３Ｄを介して第２の端子電極５Ａ〜５Ｄに電気的に接続される第２の内部電極６３、６４の数とをそれぞれ調整することにより、積層コンデンサの等価直列抵抗が所望の値に設定されるので、等価直列抵抗の制御を容易に且つ精度良く行うことができる。
【０３１９】
（第３１実施形態）
図３４を参照して、第３１実施形態に係る積層コンデンサの構成について説明する。第３１実施形態に係る積層コンデンサは、引き出し導体７３Ａ〜７３Ｄを介して第２の端子電極５Ａ〜５Ｄに電気的に接続される第２の内部電極の積層方向で位置の点で第２８実施形態に係る積層コンデンサと相違する。図３４は、第３１実施形態に係る積層コンデンサに含まれる積層体の分解斜視図である。
【０３２０】
第３４実施形態に係る積層コンデンサは、図示は省略するが、第２８実施形態に係る積層コンデンサＣ３と同じく、積層体１と、当該積層体１に形成された第１の端子電極３Ａ〜３Ｄと、同じく積層体１に形成された第２の端子電極５Ａ〜５Ｄと、第１及び第２の接続導体７、９とを備えている。
【０３２１】
第２の内部電極６２は、引き出し導体７３Ａ〜７３Ｄを介して第２の端子電極５Ａ〜５Ｄに電気的に接続されている。これにより、第２の内部電極６１，６３，６４も第２の端子電極５Ａ〜５Ｄに電気的に接続されることとなり、第２の内部電極６１〜６５は並列接続されることとなる。各引き出し導体７３Ａ，７３Ｂは、第２の内部電極６２と一体に形成されており、積層体１の側面１ａに臨むように、第２の内部電極６２から伸びている。各引き出し導体７３Ｃ，７３Ｄも、第２の内部電極６２と一体に形成されており、積層体１の側面１ｂに臨むように、第２の内部電極６２から伸びている。
【０３２２】
第３１実施形態に係る積層コンデンサでは、引き出し導体５３Ａ〜５３Ｄを介して第１の端子電極３Ａ〜３Ｄに直接接続される第１の内部電極４１，４５の数を２つとし、第１の内部電極４１〜４５の総数（本実施形態では、５つ）よりも少なくされている。また、引き出し導体７３Ａ〜７３Ｄを介して第２の端子電極５Ａ〜５Ｄに直接接続される第２の内部電極６２，６５の数を２つとし、第２の内部電極６１〜６５の総数（本実施形態では、５つ）よりも少なくされている。これにより、第３１実施形態に係る積層コンデンサは、すべての内部電極が対応する端子電極に引き出し導体を介して接続されている従来の積層コンデンサに比して、等価直列抵抗が大きくなる。
【０３２３】
以上のように、本実施形態によれば、引き出し導体５３Ａ〜５３Ｄを介して第１の端子電極３Ａ〜３Ｄに電気的に接続される第１の内部電極４１，４５の数と引き出し導体７３Ａ〜７３Ｄを介して第２の端子電極５Ａ〜５Ｄに電気的に接続される第２の内部電極６２，６５の数とをそれぞれ調整することにより、積層コンデンサの等価直列抵抗が所望の値に設定されるので、等価直列抵抗の制御を容易に且つ精度良く行うことができる。
【０３２４】
（第３２実施形態）
図３５を参照して、第３２実施形態に係る積層コンデンサの構成について説明する。第３２実施形態に係る積層コンデンサは、引き出し導体５３Ａ〜５３Ｄを介して第１の端子電極３Ａ〜３Ｄに電気的に接続される第１の内部電極の数と、引き出し導体７３Ａ〜７３Ｄを介して第２の端子電極５Ａ〜５Ｄに電気的に接続される第２の内部電極の数との点で第２８実施形態に係る積層コンデンサと相違する。図３５は、第３２実施形態に係る積層コンデンサに含まれる積層体の分解斜視図である。
【０３２５】
第３２実施形態に係る積層コンデンサは、図示は省略するが、第２８実施形態に係る積層コンデンサＣ３と同じく、積層体１と、当該積層体１に形成された第１の端子電極３Ａ〜３Ｄと、同じく積層体１に形成された第２の端子電極５Ａ〜５Ｄと、第１及び第２の接続導体７、９とを備えている。
【０３２６】
第３２実施形態に係る積層コンデンサでは、引き出し導体５３Ａ〜５３Ｄを介して第１の端子電極３Ａ〜３Ｄに直接接続される第１の内部電極４１の数を１つとし、第１の内部電極４１〜４５の総数（本実施形態では、５つ）よりも少なくされている。また、引き出し導体７３Ａ〜７３Ｄを介して第２の端子電極５Ａ〜５Ｄに直接接続される第２の内部電極６５の数を１つとし、第２の内部電極６１〜６５の総数（本実施形態では、５つ）よりも少なくされている。これにより、第３２実施形態に係る積層コンデンサは、すべての内部電極が対応する端子電極に引き出し導体を介して接続されている従来の積層コンデンサに比して、等価直列抵抗が大きくなる。
【０３２７】
以上のように、本実施形態によれば、引き出し導体５３Ａ〜５３Ｄを介して第１の端子電極３Ａ〜３Ｄに電気的に接続される第１の内部電極４１の数と引き出し導体７３Ａ〜７３Ｄを介して第２の端子電極５Ａ〜５Ｄに電気的に接続される第２の内部電極６５の数とをそれぞれ調整することにより、積層コンデンサの等価直列抵抗が所望の値に設定されるので、等価直列抵抗の制御を容易に且つ精度良く行うことができる。
【０３２８】
（第３３実施形態）
図３６を参照して、第３３実施形態に係る積層コンデンサの構成について説明する。第３３実施形態に係る積層コンデンサは、引き出し導体５３Ａ〜５３Ｄを介して第１の端子電極３Ａ〜３Ｄに電気的に接続される第１の内部電極の数及び積層方向の位置と、引き出し導体７３Ａ〜７３Ｄを介して第２の端子電極５Ａ〜５Ｄに電気的に接続される第２の内部電極の数及び積層方向の位置との点で第２８実施形態に係る積層コンデンサと相違する。図３６は、第３３実施形態に係る積層コンデンサに含まれる積層体の分解斜視図である。
【０３２９】
第３３実施形態に係る積層コンデンサは、図示は省略するが、第２８実施形態に係る積層コンデンサＣ３と同じく、積層体１と、当該積層体１に形成された第１の端子電極３Ａ〜３Ｄと、同じく積層体１に形成された第２の端子電極５Ａ〜５Ｄと、第１及び第２の接続導体７、９とを備えている。
【０３３０】
第３３実施形態に係る積層コンデンサでは、引き出し導体５３Ａ〜５３Ｄを介して第１の端子電極３Ａ〜３Ｄに直接接続される第１の内部電極４４の数を１つとし、第１の内部電極４１〜４５の総数（本実施形態では、５つ）よりも少なくされている。また、引き出し導体７３Ａ〜７３Ｄを介して第２の端子電極５Ａ〜５Ｄに直接接続される第２の内部電極６２の数を１つとし、第２の内部電極６１〜６５の総数（本実施形態では、５つ）よりも少なくされている。これにより、第３３実施形態に係る積層コンデンサは、すべての内部電極が対応する端子電極に引き出し導体を介して接続されている従来の積層コンデンサに比して、等価直列抵抗が大きくなる。
【０３３１】
以上のように、本実施形態によれば、引き出し導体５３Ａ〜５３Ｄを介して第１の端子電極３Ａ〜３Ｄに電気的に接続される第１の内部電極４４の数と引き出し導体７３Ａ〜７３Ｄを介して第２の端子電極５Ａ〜５Ｄに電気的に接続される第２の内部電極６２の数とをそれぞれ調整することにより、積層コンデンサの等価直列抵抗が所望の値に設定されるので、等価直列抵抗の制御を容易に且つ精度良く行うことができる。
【０３３２】
（第３４実施形態）
図３７を参照して、第３４実施形態に係る積層コンデンサの構成について説明する。第３４実施形態に係る積層コンデンサは、第１及び第２の内部電極４２〜４４、６２〜６４にスリットが形成されている点で第２８実施形態に係る積層コンデンサと相違する。図３６は、第３３実施形態に係る積層コンデンサに含まれる積層体の分解斜視図である。
【０３３３】
第３４実施形態に係る積層コンデンサは、図示は省略するが、第２８実施形態に係る積層コンデンサＣ３と同じく、積層体１と、当該積層体１に形成された第１の端子電極３Ａ〜３Ｄと、同じく積層体１に形成された第２の端子電極５Ａ〜５Ｄと、第１及び第２の接続導体７、９とを備えている。
【０３３４】
第１の内部電極４２〜４４において、引き出し導体８２〜８４と第１の内部電極４２〜４４との接続部分の脇から第１の内部電極４２〜４４の長手方向に伸びるようにスリットＳ１１〜Ｓ１３が形成されている。したがって、スリットＳ１１〜Ｓ１３は、各第１の内部電極４２〜４４において、スリットＳ１１〜Ｓ１３それぞれを挟んで対向する領域を電流が互いに逆向きに流れるように形成されることとなる。
【０３３５】
第２の内部電極６２〜６４において、引き出し導体１０２〜１０４と第２の内部電極６２〜６４との接続部分の脇から第２の内部電極６２〜６４の長手方向に伸びるようにスリットＳ２１〜Ｓ２３が形成されている。したがって、スリットＳ２１〜Ｓ２３は、各第２の内部電極６３〜６４において、スリットＳ２１〜Ｓ２３それぞれを挟んで対向する領域を電流が互いに逆向きに流れるように形成されることとなる。
【０３３６】
スリットＳ１１〜Ｓ１３、Ｓ２１〜Ｓ２３が形成された第１及び第２の内部電極４２〜４４、６２〜６４では、それぞれスリットＳ１１〜Ｓ１３、Ｓ２１〜Ｓ２３を挟んで対向する領域において互いに電流が逆向きに流れるため、電流に起因して発生する磁界が相殺される。また、スリットが形成された第１の内部電極４２〜４４と第２の内部電極６２〜６４とでは積層方向で見て、電流の流れる向きが逆向きとなる。そのため、第１の内部電極４２〜４４を流れる電流に起因して発生する磁界と第２の内部電極６２〜６４を流れる電流に起因して発生する磁界とは相殺される。このため、第３４実施形態に係る積層コンデンサでは、等価直列インダクタンスの低減を図ることが可能となる。
【０３３７】
また、第３４実施形態に係る積層コンデンサでは、引き出し導体５３Ａ〜５３Ｄを介して第１の端子電極３Ａ〜３Ｄに直接接続される第１の内部電極４１、４５の数を２つとし、第１の内部電極４１〜４５の総数（本実施形態では、５つ）よりも少なくされている。また、引き出し導体７３Ａ〜７３Ｄを介して第２の端子電極５Ａ〜５Ｄに直接接続される第２の内部電極６１，６５の数を２つとし、第２の内部電極６１〜６５の総数（本実施形態では、５つ）よりも少なくされている。これらにより、第３４実施形態に係る積層コンデンサは、すべての内部電極が対応する端子電極に引き出し導体を介して接続されている従来の積層コンデンサに比して、等価直列抵抗が大きくなる。
【０３３８】
以上のように、本実施形態によれば、引き出し導体５３Ａ〜５３Ｄを介して第１の端子電極３Ａ〜３Ｄに電気的に接続される第１の内部電極４１、４５の数と引き出し導体７３Ａ〜７３Ｄを介して第２の端子電極５Ａ〜５Ｄに電気的に接続される第２の内部電極６１、６５の数とをそれぞれ調整することにより、第３４実施形態に係る積層コンデンサの等価直列抵抗が所望の値に設定されるので、等価直列抵抗の制御を容易に且つ精度良く行うことができる。
【０３３９】
（第３５実施形態）
図３８を参照して、第３５実施形態に係る積層コンデンサの構成について説明する。第３５実施形態に係る積層コンデンサは、積層体１の構成の点で第２８実施形態に係る積層コンデンサＣ３と相違する。図３８は、第３５実施形態に係る積層コンデンサに含まれる積層体の分解斜視図である。
【０３４０】
第３５実施形態に係る積層コンデンサは、図示は省略するが、第２８実施形態に係る積層コンデンサＣ３と同じく、積層体１と、当該積層体１に形成された第１の端子電極３Ａ〜３Ｄと、同じく積層体１に形成された第２の端子電極５Ａ〜５Ｄと、第１及び第２の接続導体７、９とを備えている。
【０３４１】
積層体１は、図３８にも示されるように、第１〜第３のコンデンサ部１２１，１３１，１４１を含んでいる。第１のコンデンサ部１２１は、第２のコンデンサ部１３１と第３のコンデンサ部１４１との間に位置している。
【０３４２】
まず、第１のコンデンサ部１２１の構成について説明する。第１のコンデンサ部１２１は、第２８実施形態に係る積層コンデンサにおける積層体１と、誘電体層３５の点を除いて同じ構成を有している。すなわち、第１のコンデンサ部１２１は、複数（本実施形態では、１１層）の誘電体層１１〜２０と、複数（本実施形態では、各５層）の第１及び第１の内部電極４１〜４５，６１〜６５とが交互に積層されることにより構成される。第１のコンデンサ部１２１では、５つの第１の内部電極４１〜４５のうち２つの第１の内部電極４１，４５が、引き出し導体５３Ａ〜５３Ｄを介して対応する第１の端子電極３Ａ〜３Ｄに電気的に接続されている。また、５つの第２の内部電極６１〜６５のうち２つの第２の内部電極６１，６５が、引き出し導体７３Ａ〜７３Ｄを介して対応する第２の端子電極５Ａ〜５Ｄに電気的に接続されている。
【０３４３】
次に、第２のコンデンサ部１３１の構成について説明する。第２のコンデンサ部１３１は、複数（本実施形態では、５層）の誘電体層１３３と、複数（本実施形態では、各２層）の第１及び第２の内部電極１３５，１３７とが交互に積層されることにより構成される。各第１の内部電極１３５は、引き出し導体１３６を介して第１の端子電極３Ａ〜３Ｄに電気的に接続されている。引き出し導体１３６は、各第１の内部電極１３５と一体に形成されており、積層体１の側面１ａ，１ｂに臨むように、第１の内部電極１３５からそれぞれ伸びている。各第２の内部電極１３７は、引き出し導体１３８を介して第２の端子電極５Ａ〜５Ｄに電気的に接続されている。引き出し導体１３８は、各第２の内部電極１３７と一体に形成されており、積層体１の側面１ａ，１ｂに臨むように、第２の内部電極１３７からそれぞれ伸びている。
【０３４４】
次に、第３のコンデンサ部１４１の構成について説明する。第３のコンデンサ部１４１は、複数（本実施形態では、４層）の誘電体層１４３と、複数（本実施形態では、各２層）の第１及び第２の内部電極１４５，１４７とが交互に積層されることにより構成される。各第１の内部電極１４５は、引き出し導体１４６を介して第１の端子電極３Ａ〜３Ｄに電気的に接続されている。引き出し導体１４６は、各第１の内部電極１４５と一体に形成されており、積層体１の側面１ａ，１ｂに臨むように、第１の内部電極１４５からそれぞれ伸びている。各第２の内部電極１４７は、引き出し導体１４８を介して第２の端子電極５Ａ〜５Ｄに電気的に接続されている。引き出し導体１４８は、各第２の内部電極１４７と一体に形成されており、積層体１の側面１ａ，１ｂに臨むように、第２の内部電極１４７からそれぞれ伸びている。
【０３４５】
第１のコンデンサ部１２１の内部電極４１，４５は、端子電極３Ａ〜３Ｄを通して第２のコンデンサ部１３１の第１の内部電極１３５及び第３のコンデンサ部１４１の第１の内部電極１４５と電気的に接続される。第１のコンデンサ部１２１の第２の内部電極６１、６５は、端子電極５Ａ〜５Ｄを通して第２のコンデンサ部１３１の第２の内部電極１３７及び第３のコンデンサ部１４１の第２の内部電極１４７と電気的に接続される。
【０３４６】
以上のように、本実施形態では、第１のコンデンサ部１２１を有することにより、第２８実施形態において記載したように、積層コンデンサの等価直列抵抗が所望の値に設定されるので、等価直列抵抗の制御を容易に且つ精度良く行うことができる。
【０３４７】
（第３６実施形態）
図３９を参照して、第３６実施形態に係る積層コンデンサの構成について説明する。第３６実施形態に係る積層コンデンサは、第１のコンデンサ部１２１の構成の点で第３５実施形態に係る積層コンデンサと相違する。図３９は、第３６実施形態に係る積層コンデンサに含まれる積層体の分解斜視図である。
【０３４８】
第３６実施形態に係る積層コンデンサは、図示は省略するが、第２８実施形態に係る積層コンデンサＣ３と同じく、積層体１と、当該積層体１に形成された第１の端子電極３Ａ〜３Ｄと、同じく積層体１に形成された第２の端子電極５Ａ〜５Ｄと、第１及び第２の接続導体７、９とを備えている。
【０３４９】
第１のコンデンサ部１２１は、第２９実施形態に係る積層コンデンサにおける積層体１と、誘電体層３５の点を除いて同じ構成を有している。すなわち、第１のコンデンサ部１２１は、複数（本実施形態では、１１層）の誘電体層１１〜２０と、複数（本実施形態では、各５層）の第１及び第２の内部電極４１〜４５，６１〜６５とが交互に積層されることにより構成される。第１のコンデンサ部１２１では、５つの第１の内部電極４１〜４５のうち２つの第１の内部電極４１，４２が、引き出し導体５３Ａ〜５３Ｄを介して対応する第１の端子電極３Ａ〜３Ｄに電気的に接続されている。また、５つの第２の内部電極６１〜６５のうち２つの第２の内部電極６１，６２が、引き出し導体７３Ａ〜７３Ｄを介して対応する第２の端子電極５Ａ〜５Ｄに電気的に接続されている。
【０３５０】
以上のように、本実施形態では、第１のコンデンサ部１２１を有することにより、第２９実施形態において記載したように、積層コンデンサの等価直列抵抗が所望の値に設定されるので、等価直列抵抗の制御を容易に且つ精度良く行うことができる。
【０３５１】
（第３７実施形態）
図４０を参照して、第３７実施形態に係る積層コンデンサの構成について説明する。第３７実施形態に係る積層コンデンサは、第１のコンデンサ部１２１の構成の点で第３５実施形態に係る積層コンデンサと相違する。図４０は、第３７実施形態に係る積層コンデンサに含まれる積層体の分解斜視図である。
【０３５２】
第３７実施形態に係る積層コンデンサは、図示は省略するが、第２８実施形態に係る積層コンデンサＣ３と同じく、積層体１と、当該積層体１に形成された第１の端子電極３Ａ〜３Ｄと、同じく積層体１に形成された第２の端子電極５Ａ〜５Ｄと、第１及び第２の接続導体７、９とを備えている。
【０３５３】
第１のコンデンサ部１２１は、第３２実施形態に係る積層コンデンサにおける積層体１と、誘電体層３５の点を除いて同じ構成を有している。すなわち、第１のコンデンサ部１２１は、複数（本実施形態では、１１層）の誘電体層１１〜２０と、複数（本実施形態では、各５層）の第１及び第２の内部電極４１〜４５，６１〜６５とが交互に積層されることにより構成される。第１のコンデンサ部１２１では、５つの第１の内部電極４１〜４５のうち１つの第１の内部電極４１が、引き出し導体５３Ａ〜５３Ｄを介して対応する第１の端子電極３Ａ〜３Ｄに電気的に接続されている。また、５つの第２の内部電極６１〜６５のうち１つの第２の内部電極６５が、引き出し導体７３Ａ〜７３Ｄを介して対応する第２の端子電極５Ａ〜５Ｄに電気的に接続されている。
【０３５４】
以上のように、本実施形態では、第１のコンデンサ部１２１を有することにより、第３２実施形態において記載したように、積層コンデンサの等価直列抵抗が所望の値に設定されるので、等価直列抵抗の制御を容易に且つ精度良く行うことができる。
【０３５５】
第１のコンデンサ部１２１の構成として、第３０、第３１、第３３及び第３４実施形態に係る積層コンデンサの積層体１と同じ構成（但し、誘電体層３５を除く）を採用してもよい。また、端子電極の数を増やし、第１のコンデンサ部１２１の構成として、第２２〜第２４実施形態に係る積層コンデンサの積層体１と同じ構成（但し、誘電体層３５を除く）を採用してもよい。
【０３５６】
第１〜第３７実施形態においては、引き出し導体５３，５３Ａ〜５３Ａ，７３，７３Ａ〜７３Ｄを介して端子電極３、３Ａ〜３Ｄ，５、５Ａ〜５Ｄに直接接続される内部電極の数及び積層方向での位置の少なくともいずれか一方を調整することにより、各積層コンデンサの等価直列抵抗が所望の値に設定している。この結果、各積層コンデンサの等価直列抵抗の制御を容易に且つ精度良く行うことができる。
【０３５７】
上述した第１の内部電極４１〜５２、２５３〜２５９の数の調整は、１つ以上第１の内部電極４１〜５２、２５３〜２５９の総数より１つ少ない数以下の範囲で行うことができる。上述した第２の内部電極６１〜７２、２７３〜２７９の数の調整は、１つ以上第２の内部電極６１〜７２、２７３〜２７９の総数より１つ少ない数以下の範囲で行うことができる。引き出し導体５３、５３Ａ〜５３Ｄを介して端子電極３、３Ａ〜３Ｄに直接接続される第１の内部電極の数と、引き出し導体７３、７３Ａ〜７３Ｄを介して端子電極５、５Ａ〜５Ｄに直接接続される第２の内部電極の数とは、異なってもよい。
【０３５８】
更に、接続導体の数を調整して、各積層コンデンサの等価直列抵抗が所望の値に設定するようにしてもよい。この場合、各積層コンデンサの等価直列抵抗の制御をより一層精度良く行うことができる。
【０３５９】
接続導体の数を調整する一例を、図４１及び図４２に示す。図４１及び図４２に示された積層コンデンサでは、第１５実施形態に係る積層コンデンサにおける第１及び第２の接続導体の数をそれぞれ２つに設定することで、等価直列抵抗を所望の値に設定している。図４１は、第１５実施形態に係る積層コンデンサの変形例の斜視図である。図４２は、第１５実施形態に係る積層コンデンサの変形例に含まれる積層体の分解斜視図である。図４１に示すように、第１５実施形態に係る積層コンデンサの変形例は、第１及び第２の接続導体７、９をそれぞれ２つ備える。図４２に示すように、第１の内部電極４１〜６２はそれぞれ、接続導体に接続される２つの引き出し導体８１〜９２、１０１〜１１２を有する。したがって、第１の内部電極４１〜６２同士は２つの通電経路を通して電気的に接続されることとなり、第２の内部電極６１〜８２同士も２つの通電経路を通して電気的に接続されることとなる。第１５実施形態に係る積層コンデンサ以外の第１〜第１４、及び第１６〜第３７実施形態に係る積層コンデンサにおける接続導体７、９をそれぞれ複数に設定してもよい。
【０３６０】
以上、本発明の好適な実施形態について詳細に説明したが、本発明は上記実施形態及び変形例に限定されるものではない。例えば、誘電体層１１〜３５、２３５〜２４８，１３３，１４３の積層数及び第１及び第２の内部電極４１〜５２、２５３〜２５９，１３５，１４５，６１〜７２，２７３〜２７９、１３７，１４７の積層数は、上述した実施形態に記載された数に限られない。また、端子電極３、３Ａ〜３Ｄ，５、５Ａ〜５Ｄの数も、上述した実施形態に記載された数に限られない。また、引き出し導体５３、５３Ａ〜５３Ｄ，７３、７３Ａ〜７３Ｄを介して端子電極３Ａ〜３Ｄ，５Ａ〜５Ｄに直接接続される内部電極の数及び積層方向での位置は、上述した実施形態に記載された数及び位置に限られない。また、第１のコンデンサ部１２１の数及び積層方向での位置も、上述した実施形態に記載された数及び位置に限られない。また、第１及び第２の内部電極は引き出し導体を介さず、直接第１及び第２の接続導体と接続していてもよい。
【０３６１】
また、スリットは、引き出し導体を介して第１及び第２の端子電極に電気的に接続される第１及び第２の内部電極に形成されていてもよい。この場合の例をとして、第２３実施形態の変形例を図４３に示す。引き出し導体５３Ａ〜５３Ｄ、７３Ａ〜７３Ｄを介して第１及び第２の端子電極３Ａ〜３Ｄ、５Ａ〜５Ｄに電気的に接続される第１及び第２の内部電極４１〜４４、６１〜６４にスリットを形成することによって、これらの内部電極４１〜４４、６１〜６４においても電流に起因して発生する磁界が相殺される。そのため、積層コンデンサにおける等価直列インダクタンスのさらなる低減を図ることが可能となる。
【図面の簡単な説明】
【０３６２】
【図１】第１実施形態に係る積層コンデンサの斜視図である。
【図２】第１実施形態に係る積層コンデンサに含まれる積層体の分解斜視図である。
【図３】第２実施形態に係る積層コンデンサに含まれる積層体の分解斜視図である。
【図４】第３実施形態に係る積層コンデンサに含まれる積層体の分解斜視図である。
【図５】第４実施形態に係る積層コンデンサに含まれる積層体の分解斜視図である。
【図６】第５実施形態に係る積層コンデンサに含まれる積層体の分解斜視図である。
【図７】第６実施形態に係る積層コンデンサに含まれる積層体の分解斜視図である。
【図８】第７実施形態に係る積層コンデンサに含まれる積層体の分解斜視図である。
【図９】第８実施形態に係る積層コンデンサに含まれる積層体の分解斜視図である。
【図１０】第９実施形態に係る積層コンデンサに含まれる積層体の分解斜視図である。
【図１１】第１０実施形態に係る積層コンデンサに含まれる積層体の分解斜視図である。
【図１２】第１１実施形態に係る積層コンデンサに含まれる積層体の分解斜視図である。
【図１３】第１２実施形態に係る積層コンデンサに含まれる積層体の分解斜視図である。
【図１４】第１３実施形態に係る積層コンデンサに含まれる積層体の分解斜視図である。
【図１５】第１４実施形態に係る積層コンデンサの斜視図である。
【図１６】第１４実施形態に係る積層コンデンサに含まれる積層体の分解斜視図である。
【図１７】第１５実施形態に係る積層コンデンサに含まれる積層体の分解斜視図である。
【図１８】第１６実施形態に係る積層コンデンサに含まれる積層体の分解斜視図である。
【図１９】第１７実施形態に係る積層コンデンサに含まれる積層体の分解斜視図である。
【図２０】第１８実施形態に係る積層コンデンサに含まれる積層体の分解斜視図である。
【図２１】第１９実施形態に係る積層コンデンサに含まれる積層体の分解斜視図である。
【図２２】第２０実施形態に係る積層コンデンサに含まれる積層体の分解斜視図である。
【図２３】第２１実施形態に係る積層コンデンサに含まれる積層体の分解斜視図である。
【図２４】第２２実施形態に係る積層コンデンサに含まれる積層体の分解斜視図である。
【図２５】第２３実施形態に係る積層コンデンサに含まれる積層体の分解斜視図である。
【図２６】第２４実施形態に係る積層コンデンサに含まれる積層体の分解斜視図である。
【図２７】第２５実施形態に係る積層コンデンサに含まれる積層体の分解斜視図である。
【図２８】第２６実施形態に係る積層コンデンサに含まれる積層体の分解斜視図である。
【図２９】第２７実施形態に係る積層コンデンサに含まれる積層体の分解斜視図である。
【図３０】第２８実施形態に係る積層コンデンサの斜視図である。
【図３１】第２８実施形態に係る積層コンデンサに含まれる積層体の分解斜視図である。
【図３２】第２９実施形態に係る積層コンデンサに含まれる積層体の分解斜視図である。
【図３３】第３０実施形態に係る積層コンデンサに含まれる積層体の分解斜視図である。
【図３４】第３１実施形態に係る積層コンデンサに含まれる積層体の分解斜視図である。
【図３５】第３２実施形態に係る積層コンデンサに含まれる積層体の分解斜視図である。
【図３６】第３３実施形態に係る積層コンデンサに含まれる積層体の分解斜視図である。
【図３７】第３４実施形態に係る積層コンデンサに含まれる積層体の分解斜視図である。
【図３８】第３５実施形態に係る積層コンデンサに含まれる積層体の分解斜視図である。
【図３９】第３６実施形態に係る積層コンデンサに含まれる積層体の分解斜視図である。
【図４０】第３７実施形態に係る積層コンデンサに含まれる積層体の分解斜視図である。
【図４１】第１５実施形態に係る積層コンデンサの変形例の斜視図である。
【図４２】第１５実施形態に係る積層コンデンサの変形例に含まれる積層体の分解斜視図である。
【図４３】第２３実施形態に係る積層コンデンサの変形例に含まれる積層体の分解斜視図である。
【符号の説明】
【０３６３】
１…積層体、１ａ〜１ｄ…側面、３、３Ａ〜３Ｄ…第１の端子電極、５、５Ａ〜５Ｄ…第２の端子電極、７…第１の接続導体、９…第２の接続導体、１１〜３５、１３３、１４３、２３５〜２４８…誘電体層、４１〜５２、１３５、１４５、２５３〜２５９…第１の内部電極、８１〜９２…引き出し導体、６１〜７２、１３７、１４７、２７３〜２７９…第２の内部電極、１０１〜１１２…引き出し導体、５３、５３Ａ〜５３Ｄ、７３、７３Ａ〜７３Ｄ、１３６、１３８、１４６、１４８…引き出し導体、１２１…第１のコンデンサ部、１３１…第２のコンデンサ部、１４１…第３のコンデンサ部、Ｓ１１〜Ｓ１８、Ｓ２１〜Ｓ２８…スリット、Ｃ１〜Ｃ３…積層コンデンサ。
【図１】
2006253419.tif 000003
【図２】
2006253419.tif 000004
【図３】
2006253419.tif 000005
【図４】
2006253419.tif 000006
【図５】
2006253419.tif 000007
【図６】
2006253419.tif 000008
【図７】
2006253419.tif 000009
【図８】
2006253419.tif 000010
【図９】
2006253419.tif 000011
【図１０】
2006253419.tif 000012
【図１１】
2006253419.tif 000013
【図１２】
2006253419.tif 000014
【図１３】
2006253419.tif 000015
【図１４】
2006253419.tif 000016
【図１５】
2006253419.tif 000017
【図１６】
2006253419.tif 000018
【図１７】
2006253419.tif 000019
【図１８】
2006253419.tif 000020
【図１９】
2006253419.tif 000021
【図２０】
2006253419.tif 000022
【図２１】
2006253419.tif 000023
【図２２】
2006253419.tif 000024
【図２３】
2006253419.tif 000025
【図２４】
2006253419.tif 000026
【図２５】
2006253419.tif 000027
【図２６】
2006253419.tif 000028
【図２７】
2006253419.tif 000029
【図２８】
2006253419.tif 000030
【図２９】
2006253419.tif 000031
【図３０】
2006253419.tif 000032
【図３１】
2006253419.tif 000033
【図３２】
2006253419.tif 000034
【図３３】
2006253419.tif 000035
【図３４】
2006253419.tif 000036
【図３５】
2006253419.tif 000037
【図３６】
2006253419.tif 000038
【図３７】
2006253419.tif 000039
【図３８】
2006253419.tif 000040
【図３９】
2006253419.tif 000041
【図４０】
2006253419.tif 000042
【図４１】
2006253419.tif 000043
【図４２】
2006253419.tif 000044
【図４３】
2006253419.tif 000045